(57)【要約】  本出願は、セッション管理機能ネットワーク要素が、第1のサービスに対応する第1のアクセスネットワークトンネル情報および第2のアクセスネットワークトンネル情報を受信するステップと、ユーザプレーン機能ネットワーク要素に下り転送規則を送信するステップであって、下り転送規則が、第1のアクセスネットワークトンネル情報および第2のアクセスネットワークトンネル情報を含み、下り転送規則がユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する、ステップとを含む、パケット伝送方法を提供する。この解決策は、パケット伝送の信頼性を改善することができる。
2021518079.tif 000002
【特許請求の範囲】
【請求項１】
セッション管理機能ネットワーク要素が、第1のサービスに対応する第1のアクセスネットワークトンネル情報および第2のアクセスネットワークトンネル情報を受信するステップと、
前記セッション管理機能ネットワーク要素が、ユーザプレーン機能ネットワーク要素に下り転送規則を送信するステップであって、前記下り転送規則が、前記第1のアクセスネットワークトンネル情報および前記第2のアクセスネットワークトンネル情報を含み、前記下り転送規則が前記ユーザプレーン機能ネットワーク要素に、前記第1のサービスの受信した下りパケットを複製し、前記第1のサービスの下りパケットを、前記第1のアクセスネットワークトンネル情報と前記第2のアクセスネットワークトンネル情報とにそれぞれ対応する2つの経路を経由して送信するよう指示する、ステップと
を含む、パケット伝送方法。
【請求項２】
前記第1のサービスがサービスフロー粒度である場合、前記下り転送規則が前記第1のサービスのサービスフロー識別子およびセッション識別子をさらに含むか、または
前記第1のサービスがセッション粒度である場合、前記下り転送規則が前記第1のサービスのセッション識別子をさらに含む、請求項1に記載の方法。
【請求項３】
前記方法が、
前記セッション管理機能ネットワーク要素が、基地局に指示情報を送信するステップであって、前記指示情報が前記第1のアクセスネットワークトンネル情報および前記第2のアクセスネットワークトンネル情報の決定をトリガする、ステップをさらに含む、請求項1または2に記載の方法。
【請求項４】
前記指示情報が、
サービス品質パラメータ、
スライス識別情報、
データネットワーク名、ならびに
第1のコアネットワークトンネル情報および第2のコアネットワークトンネル情報のうちの少なくとも1つを含む、請求項3に記載の方法。
【請求項５】
前記方法が、
前記セッション管理機能ネットワーク要素が、前記基地局に上り転送規則を送信するステップであって、前記上り転送規則が、前記第1のコアネットワークトンネル情報および前記第2のコアネットワークトンネル情報を含み、前記上り転送規則が前記基地局に、前記第1のサービスの受信した上りパケットを複製し、前記第1のサービスの上りパケットを、前記第1のコアネットワークトンネル情報と前記第2のコアネットワークトンネル情報とにそれぞれ対応する2つの経路を経由して前記ユーザプレーン機能ネットワーク要素に送信するよう指示する、ステップをさらに含む、請求項1から4のいずれか一項に記載の方法。
【請求項６】
前記第1のサービスが前記サービスフロー粒度である場合、前記上り転送規則が前記第1のサービスの前記サービスフロー識別子および前記セッション識別子をさらに含むか、または
前記第1のサービスが前記セッション粒度である場合、前記上り転送規則が前記第1のサービスの前記セッション識別子をさらに含む、請求項5に記載の方法。
【請求項７】
前記第1のアクセスネットワークトンネル情報と前記第2のアクセスネットワークトンネル情報とにそれぞれ対応する前記2つの経路を経由して送信される前記第1のサービスの前記下りパケットが、第1の下りパケットおよび第2の下りパケットを含み、前記第1の下りパケットと前記第2の下りパケットとが同じ通し番号を有し、前記第1の下りパケットが第1のサービスフロー識別子をさらに含み、前記第2の下りパケットが第2のサービスフロー識別子をさらに含む、請求項1に記載の方法。
【請求項８】
前記方法が、
前記セッション管理機能ネットワーク要素が、前記第1のサービスに前記第1のサービスフロー識別子および前記第2のサービスフロー識別子を割り振るステップと、前記第1のサービスフロー識別子および前記第2のサービスフロー識別子をユーザ機器に送信するステップとをさらに含む、請求項7に記載の方法。
【請求項９】
前記方法が、
前記セッション管理機能ネットワーク要素が、前記ユーザプレーン機能ネットワーク要素に上り転送規則を送信するステップであって、前記上り転送規則が前記ユーザプレーン機能ネットワーク要素に、同じ通し番号を有し、前記第1のサービスフロー識別子と前記第2のサービスフロー識別子とをそれぞれ有する2つの上りパケットの重複を排除するよう指示する、ステップをさらに含む、請求項7または8に記載の方法。
【請求項１０】
前記方法が、
前記セッション管理機能ネットワーク要素が、非アクセス層NASメッセージを使用して前記ユーザ機器に指示情報を送信するステップをさらに含み、
前記指示情報が前記ユーザ機器に、第1の上りパケットおよび第2の上りパケットを取得するために上りパケットを複製し、前記第1の上りパケットと前記第2の上りパケットとを異なる無線ベアラ上で送信するよう指示し、前記第1の上りパケットと前記第2の上りパケットとが同じ通し番号を有する、請求項1から9のいずれか一項に記載の方法。
【請求項１１】
前記第1の上りパケットが前記第1のサービスフロー識別子に対応し、前記第2の上りパケットが前記第2のサービスフロー識別子に対応する、請求項10に記載の方法。
【請求項１２】
基地局が、第1のサービスに対応する第1のアクセスネットワークトンネル情報および第2のアクセスネットワークトンネル情報を決定するステップと、
前記基地局が、前記第1のアクセスネットワークトンネル情報および前記第2のアクセスネットワークトンネル情報をセッション管理機能ネットワーク要素に送信するステップであって、前記第1のアクセスネットワークトンネル情報および前記第2のアクセスネットワークトンネル情報が決定下り転送規則に使用可能であり、前記下り転送規則がユーザプレーン機能ネットワーク要素に、前記第1のサービスの受信した下りパケットを複製し、前記第1のサービスの下りパケットを、前記第1のアクセスネットワークトンネル情報と前記第2のアクセスネットワークトンネル情報とにそれぞれ対応する2つの経路を経由して送信するよう指示する、ステップと
を含む、パケット伝送方法。
【請求項１３】
前記第1のサービスがサービスフロー粒度である場合、前記下り転送規則が前記第1のサービスのサービスフロー識別子およびセッション識別子をさらに含むか、または
前記第1のサービスがセッション粒度である場合、前記下り転送規則が前記第1のサービスのセッション識別子をさらに含む、請求項12に記載の方法。
【請求項１４】
前記方法が、
前記基地局が、前記セッション管理機能ネットワーク要素から指示情報を受信するステップを含み、
基地局が、第1のサービスに対応する第1のアクセスネットワークトンネル情報および第2のアクセスネットワークトンネル情報を決定する前記ステップが、
前記基地局が、前記指示情報に基づいて前記第1のアクセスネットワークトンネル情報および前記第2のアクセスネットワークトンネル情報を決定するステップを含む、請求項12または13に記載の方法。
【請求項１５】
前記指示情報が、
サービス品質パラメータ、
スライス識別情報、
データネットワーク名、ならびに
第1のコアネットワークトンネル情報および第2のコアネットワークトンネル情報のうちの少なくとも1つを含む、請求項14に記載の方法。
【請求項１６】
前記方法が、
前記基地局が、前記セッション管理機能ネットワーク要素から上り転送規則を受信するステップであって、前記上り転送規則が、前記第1のコアネットワークトンネル情報および前記第2のコアネットワークトンネル情報を含む、ステップと、
前記基地局が、前記上り転送規則に従って前記第1のサービスの受信した上りパケットを複製し、前記第1のサービスの上りパケットを、前記第1のコアネットワークトンネル情報と前記第2のコアネットワークトンネル情報とにそれぞれ対応する2つの経路を経由して前記ユーザプレーン機能ネットワーク要素に送信するステップとを含む、請求項12から15のいずれか一項に記載の方法。
【請求項１７】
前記第1のサービスが前記サービスフロー粒度である場合、前記上り転送規則が前記第1のサービスの前記サービスフロー識別子および前記セッション識別子をさらに含むか、または
前記第1のサービスが前記セッション粒度である場合、前記上り転送規則が前記第1のサービスの前記セッション識別子をさらに含む、請求項16に記載の方法。
【請求項１８】
前記方法が、
前記基地局が、アクセス層ASメッセージを使用してユーザ機器に指示情報を送信するステップであって、前記指示情報が前記ユーザ機器に、第1の上りパケットおよび第2の上りパケットを取得するために上りパケットを複製し、前記第1の上りパケットと前記第2の上りパケットとを異なる無線ベアラ上で送信するよう指示する、ステップをさらに含む、請求項12に記載の方法。
【請求項１９】
前記方法が、
前記基地局が、前記ユーザ機器に、第1の上りパケットにサービスフロー識別子を付加するよう指示するステップをさらに含む、請求項12から17のいずれか一項に記載の方法。
【請求項２０】
基地局が、第1の指示を取得するステップと、
前記基地局が前記第1の指示に従って、ユーザ機器に、第1の上りパケットにサービスフロー識別子を付加するよう指示するステップと
を含み、
前記第1の指示が、セッション管理ネットワーク要素からのものである能力情報または指示情報を含む、パケット伝送方法。
【請求項２１】
前記指示情報が前記基地局に、前記ユーザ機器に、前記サービスフロー識別子を、第1のセッションの上りパケットまたは第1のセッションの第1のサービスフローの上りパケットに付加するよう指示するよう指示する、請求項20に記載の方法。
【請求項２２】
前記第1の指示が前記能力情報を含むとき、前記基地局が前記第1の指示に従って、ユーザ機器に、第1の上りパケットにサービスフロー識別子を付加するよう指示する前記ステップが、
前記能力情報が第1の条件を満たす場合、前記基地局が、前記ユーザ機器に、前記第1の上りパケットに前記サービスフロー識別子を付加するよう指示するステップを含み、
前記第1の条件が、
前記能力情報が、前記基地局にデュアルコネクティビティ方式でパケットを伝送または受信する能力があることを指示すること、
前記能力情報が、前記基地局の近隣の基地局に前記デュアルコネクティビティ方式でパケットを伝送または受信する前記能力があることを指示すること、および
前記能力情報が、前記デュアルコネクティビティ方式でパケットを伝送または受信する前記能力がある別の基地局が、前記基地局と関連付けられたスライスに配置されていることを指示することのうちの少なくとも1つを含む、請求項21に記載の方法。
【請求項２３】
前記方法が、
前記基地局がパケットを前記デュアルコネクティビティ方式で伝送すると決定したとき、前記基地局が、前記ユーザ機器に、2つの第2の上りパケットを生成するよう指示するステップであって、前記2つの第2の上りパケットが同じ通し番号および前記同じサービスフロー識別子を有する、ステップをさらに含む、請求項19から22のいずれか一項に記載の方法。
【請求項２４】
前記方法が、
前記基地局が、前記ユーザ機器に、同じ通し番号および同じサービスフロー識別子を有する受信した下りパケットの重複を排除するよう指示するステップをさらに含む、請求項23に記載の方法。
【請求項２５】
前記方法が、
前記基地局が、前記第1のアクセスネットワークトンネル情報と前記第2のアクセスネットワークトンネル情報とにそれぞれ対応する前記2つの経路を経由して前記第1のサービスの前記下りパケットを受信するステップと、
前記基地局が、同じ通し番号および同じサービスフロー識別子を有する下りパケットの重複を排除するステップとをさらに含む、請求項12から22のいずれか一項に記載の方法。
【請求項２６】
ユーザ機器が、第1の基地局から取得された指示に従って第1の上りパケットおよび第2の上りパケットを生成するステップであって、前記第1の上りパケットと前記第2の上りパケットとが同じ第1のサービスフロー識別子および同じ第1の通し番号を有する、ステップと、
前記ユーザ機器が、前記第1の上りパケットを前記第1の基地局に送信し、前記第2の上りパケットを第2の基地局に送信するステップと
を含む、パケット伝送方法。
【請求項２７】
前記方法が、
前記ユーザ機器が、前記第1の基地局と前記第2の基地局とからそれぞれ第1の下りパケットと第2の下りパケットとを受信するステップであって、前記第1の下りパケットと前記第2の下りパケットとが同じ第2のサービスフロー識別子および同じ第2の通し番号を含む、ステップと、
前記ユーザ機器が、前記基地局の前記指示に従って前記第1の下りパケットと前記第2の下りパケットの重複を排除するステップとをさらに含む、請求項26に記載の方法。
【請求項２８】
第1の基地局が、前記第1の基地局とユーザ機器との間の第1の無線ベアラの確立を開始するステップと、
第2の基地局と前記ユーザ機器との間の第2の無線ベアラを確立するプロセスにおいて、前記第1の基地局または前記第2の基地局が、前記ユーザ機器に指示情報を送信するステップであって、前記指示情報が前記ユーザ機器に、前記第1の無線ベアラおよび前記第2の無線ベアラを前記ユーザ機器上の同じパケットデータ収束プロトコルPDCPエンティティと関連付けるよう指示する、ステップと
を含む、パケット伝送方法。
【請求項２９】
前記第1の基地局または前記第2の基地局が、前記ユーザ機器に指示情報を送信する前記ステップが、
前記第1の基地局または前記第2の基地局が、無線リソース制御RRC層メッセージを使用して前記ユーザ機器に前記指示情報を送信するステップを含む、請求項28に記載の方法。
【請求項３０】
ユーザ機器が、第1の基地局と前記ユーザ機器との間の第1の無線ベアラを確立するために、前記第1の基地局とやり取りするステップと、
第2の基地局と前記ユーザ機器との間の第2の無線ベアラを確立するプロセスにおいて、前記ユーザ機器が、前記第1の基地局または前記第2の基地局から指示情報を受信するステップであって、前記指示情報が前記ユーザ機器に、前記第1の無線ベアラおよび前記第2の無線ベアラを前記ユーザ機器上の同じパケットデータ収束プロトコルPDCPエンティティと関連付けるよう指示する、ステップと、
前記ユーザ機器が、前記指示情報に基づいて第1のパケットおよび第2のパケットを生成するステップであって、前記第1のパケットと前記第2のパケットとが同じ通し番号を有する、ステップと、
前記ユーザ機器が、前記第1のパケットを前記第1の無線ベアラ上で前記第1の基地局に送信し、前記第2のパケットを前記第2の無線ベアラ上で前記第2の基地局に送信するステップと
を含む、パケット伝送方法。
【請求項３１】
前記ユーザ機器が、前記指示情報に基づいて第1のパケットおよび第2のパケットを生成する前記ステップが、
前記ユーザ機器が、前記第1のパケットおよび前記第2のパケットを取得するために、前記指示情報に基づいてPDCP層でパケットを複製するステップを含む、請求項30に記載の方法。
【請求項３２】
ユーザ機器が、ネットワーク側機器から指示情報を取得するステップと、
前記ユーザ機器が、前記指示情報に基づいて第1の上りパケットおよび第2の上りパケットを生成し、前記第1の上りパケットを第1の無線ベアラ上で第1の基地局に送信し、前記第2の上りパケットを第2の無線ベアラ上で第2の基地局に送信するステップと
を含み、
前記第1の上りパケットと前記第2の上りパケットとが同じ通し番号を有する、パケット伝送方法。
【請求項３３】
前記第1の上りパケットが第1のサービスフロー識別子に対応し、前記第2の上りパケットが第2のサービスフロー識別子に対応する、請求項32に記載の方法。
【請求項３４】
前記ユーザ機器が、前記指示情報に基づいて第1の上りパケットおよび第2の上りパケットを生成する前記ステップが、
前記ユーザ機器が、前記第1の上りパケットおよび前記第2の上りパケットを取得するために、前記指示情報に基づいて第1のプロトコル層でパケットを複製するステップを含む、請求項32または33に記載の方法。
【請求項３５】
前記第1のプロトコル層が高信頼プロトコルHRP層を含み、
ユーザ機器が、ネットワーク側機器から指示情報を取得する前記ステップが、前記ユーザ機器が、非アクセス層NASメッセージを使用してセッション管理機能ネットワーク要素から前記指示情報を取得するステップを含む、請求項34に記載の方法。
【請求項３６】
前記第1のプロトコル層がサービスデータ適応プロトコルSDAP層を含み、
ユーザ機器が、ネットワーク側機器から指示情報を取得する前記ステップが、前記ユーザ機器が、ASメッセージを使用して前記第1の基地局から前記指示情報を取得するステップを含む、請求項34に記載の方法。
【請求項３７】
前記方法が、
前記ユーザ機器が、前記第1の基地局と前記第2の基地局とからそれぞれ第1の下りパケットと第2の下りパケットとを受信するステップであって、前記第1の下りパケットが第2の通し番号を有し、前記第1のサービスフロー識別子に対応し、前記第2の下りパケットが前記第2の通し番号を有し、前記第2のサービスフロー識別子に対応する、ステップと、
前記ユーザ機器が、前記指示情報に基づいて前記第1の下りパケットと前記第2の下りパケットの重複を排除するステップとをさらに含む、請求項32から36のいずれか一項に記載の方法。
【請求項３８】
ユーザプレーン機能ネットワーク要素が、セッション管理機能ネットワーク要素から上り転送規則を受信するステップと、
前記ユーザプレーン機能ネットワーク要素が、第1の上りパケットおよび第2の上りパケットを受信するステップであって、前記第1の上りパケットが第1のサービスフロー識別子および第1の通し番号を有し、前記第2の上りパケットが第2のサービスフロー識別子および前記第1の通し番号を有する、ステップと、
前記ユーザプレーン機能ネットワーク要素が、前記上り転送規則に従って前記第1の上りパケットと前記第2の上りパケットの重複を排除するステップと
を含む、パケット伝送方法。
【請求項３９】
前記上り転送規則が前記ユーザプレーン機能ネットワーク要素に、前記同じ通し番号を有し、前記第1のサービスフロー識別子と前記第2のサービスフロー識別子とをそれぞれ有する前記2つの上りパケットの重複を排除するよう指示する、請求項38に記載の方法。
【請求項４０】
前記方法が、
前記ユーザプレーン機能ネットワーク要素が、前記セッション管理機能ネットワーク要素から下り転送規則を受信するステップと、
前記ユーザプレーン機能ネットワーク要素が、前記下り転送規則に従って第1の下りパケットおよび第2の下りパケットを生成し、前記第1の下りパケットを第1の基地局に送信し、前記第2の下りパケットを第2の基地局に送信するステップであって、前記第1の下りパケットが前記第1のサービスフロー識別子および第2の通し番号を有し、前記第2の下りパケットが前記第2のサービスフロー識別子および前記第2の通し番号を有する、ステップとをさらに含む、請求項38または39に記載の方法。
【請求項４１】
前記ユーザプレーン機能ネットワーク要素が、前記下り転送規則に従って第1の下りパケットおよび第2の下りパケットを生成する前記ステップが、
前記ユーザプレーン機能ネットワーク要素が、前記第1の下りパケットおよび前記第2の下りパケットを取得するために、前記下り転送規則に従って第1のプロトコル層でパケットを複製するステップであって、前記第1のプロトコル層が高信頼プロトコルHRP層または汎用パケット無線システムトンネリングプロトコル・ユーザプレーンGTP−U層を含む、ステップを含む、請求項40に記載の方法。
【請求項４２】
コンピュータ可読記憶媒体であって、前記記憶媒体がプログラムを格納し、前記プログラムが実行されると、請求項1から41のいずれか一項に記載のパケット伝送方法が実施される、コンピュータ可読記憶媒体。
【請求項４３】
パケット伝送装置であって、
前記装置が、
プログラム命令に関連したハードウェアであって、前記ハードウェアが、請求項1から41のいずれか一項に記載の方法のステップを行うように構成される、ハードウェアを含む、パケット伝送装置。
【請求項４４】
第1のサービスに対応する第1のアクセスネットワークトンネル情報および第2のアクセスネットワークトンネル情報を受信するように構成された受信モジュールと、
ユーザプレーン機能ネットワーク要素に下り転送規則を送信するように構成された送信モジュールであって、前記下り転送規則が、前記第1のアクセスネットワークトンネル情報および前記第2のアクセスネットワークトンネル情報を含み、前記下り転送規則が前記ユーザプレーン機能ネットワーク要素に、前記第1のサービスの受信した下りパケットを複製し、前記第1のサービスの下りパケットを、前記第1のアクセスネットワークトンネル情報と前記第2のアクセスネットワークトンネル情報とにそれぞれ対応する2つの経路を経由して送信するよう指示する、送信モジュールと
を含む、パケット伝送装置。
【請求項４５】
前記第1のサービスがサービスフロー粒度である場合、前記下り転送規則が前記第1のサービスのサービスフロー識別子およびセッション識別子をさらに含むか、または
前記第1のサービスがセッション粒度である場合、前記下り転送規則が前記第1のサービスのセッション識別子をさらに含む、請求項44に記載の装置。
【請求項４６】
前記送信モジュールが、基地局に指示情報を送信し、前記指示情報が前記第1のアクセスネットワークトンネル情報および前記第2のアクセスネットワークトンネル情報の決定をトリガする、ようにさらに構成される、請求項44または45に記載の装置。
【請求項４７】
前記指示情報が、
サービス品質パラメータ、
スライス識別情報、
データネットワーク名、ならびに
第1のコアネットワークトンネル情報および第2のコアネットワークトンネル情報
のうちの少なくとも1つを含む、請求項46に記載の装置。
【請求項４８】
前記送信モジュールが、前記基地局に上り転送規則を送信し、前記上り転送規則が、前記第1のコアネットワークトンネル情報および前記第2のコアネットワークトンネル情報を含み、前記上り転送規則が前記基地局に、前記第1のサービスの受信した上りパケットを複製し、前記第1のサービスの上りパケットを、前記第1のコアネットワークトンネル情報と前記第2のコアネットワークトンネル情報とにそれぞれ対応する2つの経路を経由して前記ユーザプレーン機能ネットワーク要素に送信するよう指示する、ように構成される、請求項44から47のいずれか一項に記載の装置。
【請求項４９】
前記第1のサービスが前記サービスフロー粒度である場合、前記上り転送規則が前記第1のサービスの前記サービスフロー識別子および前記セッション識別子をさらに含むか、または
前記第1のサービスが前記セッション粒度である場合、前記上り転送規則が前記第1のサービスの前記セッション識別子をさらに含む、請求項48に記載の装置。
【請求項５０】
前記第1のアクセスネットワークトンネル情報と前記第2のアクセスネットワークトンネル情報とにそれぞれ対応する前記2つの経路を経由して送信される前記第1のサービスの前記下りパケットが、第1の下りパケットおよび第2の下りパケットを含み、前記第1の下りパケットと前記第2の下りパケットとが同じ通し番号を有し、前記第1の下りパケットが第1のサービスフロー識別子をさらに含み、前記第2の下りパケットが第2のサービスフロー識別子をさらに含む、請求項44に記載の装置。
【請求項５１】
前記装置が、前記第1のサービスに前記第1のサービスフロー識別子および前記第2のサービスフロー識別子を割り振るように構成された処理モジュールをさらに含み、
前記送信モジュールが、前記第1のサービスフロー識別子および前記第2のサービスフロー識別子をユーザ機器に送信するようにさらに構成される、請求項50に記載の装置。
【請求項５２】
前記送信モジュールが、前記ユーザプレーン機能ネットワーク要素に前記上り転送規則を送信し、前記上り転送規則が前記ユーザプレーン機能ネットワーク要素に、同じ通し番号を有し、前記第1のサービスフロー識別子と前記第2のサービスフロー識別子とをそれぞれ有する2つの上りパケットの重複を排除するよう指示する、ようにさらに構成される、請求項50または51に記載の装置。
【請求項５３】
前記送信モジュールが、非アクセス層NASメッセージを使用して前記ユーザ機器に指示情報を送信するようにさらに構成され、
前記指示情報が前記ユーザ機器に、第1の上りパケットおよび第2の上りパケットを取得するために上りパケットを複製し、前記第1の上りパケットと前記第2の上りパケットとを異なる無線ベアラ上で送信するよう指示し、前記第1の上りパケットと前記第2の上りパケットとが同じ通し番号を有する、請求項44から52のいずれか一項に記載の装置。
【請求項５４】
前記第1の上りパケットが前記第1のサービスフロー識別子に対応し、前記第2の上りパケットが前記第2のサービスフロー識別子に対応する、請求項53に記載の装置。
【請求項５５】
第1のサービスに対応する第1のアクセスネットワークトンネル情報および第2のアクセスネットワークトンネル情報を決定するように構成された処理モジュールと、
前記第1のアクセスネットワークトンネル情報および前記第2のアクセスネットワークトンネル情報をセッション管理機能ネットワーク要素に送信するように構成された送信モジュールであって、前記第1のアクセスネットワークトンネル情報および前記第2のアクセスネットワークトンネル情報が下り転送規則の決定に使用可能であり、前記下り転送規則がユーザプレーン機能ネットワーク要素に、前記第1のサービスの受信した下りパケットを複製し、前記第1のサービスの下りパケットを、前記第1のアクセスネットワークトンネル情報と前記第2のアクセスネットワークトンネル情報とにそれぞれ対応する2つの経路を経由して送信するよう指示する、送信モジュールと
を含む、パケット伝送装置。
【請求項５６】
前記第1のサービスがサービスフロー粒度である場合、前記下り転送規則が前記第1のサービスのサービスフロー識別子およびセッション識別子をさらに含むか、または
前記第1のサービスがセッション粒度である場合、前記下り転送規則が前記第1のサービスのセッション識別子をさらに含む、請求項55に記載の装置。
【請求項５７】
前記装置が、
前記処理モジュールが前記第1のサービスに対応する前記第1のアクセスネットワークトンネル情報および前記第2のアクセスネットワークトンネル情報を決定する前に、前記セッション管理機能ネットワーク要素から指示情報を受信するように構成された受信モジュールをさらに含み、
前記処理モジュールが、前記指示情報に基づいて前記第1のアクセスネットワークトンネル情報および前記第2のアクセスネットワークトンネル情報を決定するように構成される、請求項55または56に記載の装置。
【請求項５８】
前記指示情報が、
サービス品質パラメータ、
スライス識別情報、
データネットワーク名、ならびに
第1のコアネットワークトンネル情報および第2のコアネットワークトンネル情報
のうちの少なくとも1つを含む、請求項57に記載の装置。
【請求項５９】
前記装置が、
前記セッション管理機能ネットワーク要素から上り転送規則を受信するように構成された受信モジュールであって、前記上り転送規則が、前記第1のコアネットワークトンネル情報および前記第2のコアネットワークトンネル情報を含む、受信モジュールをさらに含み、
前記処理モジュールが、前記上り転送規則に従って前記第1のサービスの受信した上りパケットを複製するように構成され、前記送信モジュールが、前記第1のサービスの上りパケットを、前記第1のコアネットワークトンネル情報と前記第2のコアネットワークトンネル情報とにそれぞれ対応する2つの経路を経由して前記ユーザプレーン機能ネットワーク要素に送信するように構成される、請求項55から58のいずれか一項に記載の装置。
【請求項６０】
前記第1のサービスが前記サービスフロー粒度である場合、前記上り転送規則が前記第1のサービスの前記サービスフロー識別子および前記セッション識別子をさらに含むか、または
前記第1のサービスが前記セッション粒度である場合、前記上り転送規則が前記第1のサービスの前記セッション識別子をさらに含む、請求項59に記載の装置。
【請求項６１】
前記送信モジュールが、アクセス層ASメッセージを使用してユーザ機器に指示情報を送信し、前記指示情報が前記ユーザ機器に、第1の上りパケットおよび第2の上りパケットを取得するために上りパケットを複製し、前記第1の上りパケットと前記第2の上りパケットとを異なる無線ベアラ上で送信するよう指示する、ようにさらに構成される、請求項55に記載の装置。
【請求項６２】
前記処理モジュールが前記ユーザ機器に、前記第1の上りパケットにサービスフロー識別子を付加するよう指示するようにさらに構成される、請求項55から60のいずれか一項に記載の装置。
【請求項６３】
請求項20から25のいずれか一項に記載の方法を行うように構成された、パケット伝送装置。
【請求項６４】
請求項26または27に記載の方法を行うように構成された、パケット伝送装置。
【請求項６５】
請求項28または29に記載の方法を行うように構成された、パケット伝送装置。
【請求項６６】
請求項30または31に記載の方法を行うように構成された、パケット伝送装置。
【請求項６７】
請求項32から37のいずれか一項に記載の方法を行うように構成された、パケット伝送装置。
【請求項６８】
請求項38から41のいずれか一項に記載の方法を行うように構成された、パケット伝送装置。
【請求項６９】
前記第1のコアネットワークトンネル情報が、前記ユーザプレーン機能ネットワーク要素の第1のインターネットプロトコルIPアドレスおよび前記ユーザプレーン機能ネットワーク要素の第1のトンネルエンドポイント識別子を含み、前記第2のコアネットワークトンネル情報が、前記ユーザプレーン機能ネットワーク要素の第2のIPアドレスおよび前記ユーザプレーン機能ネットワーク要素の第2のトンネルエンドポイント識別子を含む、請求項4から6のいずれか一項もしくは請求項15から17のいずれか一項に記載の方法、または請求項47から49のいずれか一項もしくは請求項58から60のいずれか一項に記載の装置。
【請求項７０】
前記第1のコアネットワークトンネル情報が、前記ユーザプレーン機能ネットワーク要素の第1のIPアドレスおよび前記ユーザプレーン機能ネットワーク要素の第1のトンネルエンドポイント識別子を含み、前記第2のコアネットワークトンネル情報が、前記ユーザプレーン機能ネットワーク要素の前記第1のIPアドレスおよび前記ユーザプレーン機能ネットワーク要素の第2のトンネルエンドポイント識別子を含み、前記上り転送規則が、前記第1のトンネルエンドポイント識別子に対応する第1のネットワーク識別情報および前記第2のトンネルエンドポイント識別子に対応する第2のネットワーク識別情報をさらに含む、請求項5、6、16、および17のいずれか一項に記載の方法、または請求項48、49、59、および60のいずれか一項に記載の装置。
【請求項７１】
前記第1のアクセスネットワークトンネル情報が、前記基地局の第3のIPアドレスおよび前記基地局の第3のトンネルエンドポイント識別子を含み、前記第2のアクセスネットワークトンネル情報が、前記基地局の第4のIPアドレスおよび前記基地局の第4のトンネルエンドポイント識別子を含む、請求項1から17のいずれか一項に記載の方法または請求項44から60のいずれか一項に記載の装置。
【請求項７２】
前記第1のアクセスネットワークトンネル情報が、前記基地局の第3のIPアドレスおよび前記基地局の第3のトンネルエンドポイント識別子を含み、前記第2のアクセスネットワークトンネル情報が、前記基地局の前記第3のIPアドレスおよび第4のトンネルエンドポイント識別子を含み、前記下り転送規則が、前記第3のトンネルエンドポイント識別子に対応する第3のネットワーク識別情報および前記第4のトンネルエンドポイント識別子に対応する第4のネットワーク識別情報をさらに含む、請求項1から17のいずれか一項に記載の方法または請求項44から60のいずれか一項に記載の装置。
【発明の詳細な説明】
【技術分野】
【０００１】
本出願は、2018年4月3日に中国国家知識産権局に出願された、「PACKET TRANSMISSION METHOD，APPARATUS，AND SYSTEM（パケット伝送方法、装置、およびシステム）」という名称の中国特許出願第201810291412．3号の優先権を主張し、2018年5月18日に中国国家知識産権局に出願された、「PACKET TRANSMISSION METHOD，APPARATUS，AND SYSTEM」という名称の中国特許出願第201810483377．5号の優先権を主張し、2018年11月20日に中国国家知識産権局に出願された、「PACKET TRANSMISSION METHOD，APPARATUS，AND SYSTEM」という名称の中国特許出願第201811386638．8号の優先権を主張するものであり、これらは参照によりその全体が本明細書に組み込まれる。
【０００２】
本発明は、通信技術の分野に関し、特に、パケット伝送方法、装置、およびシステムに関する。
【背景技術】
【０００３】
第5世代（the 5th−Generation、5G）通信システムではデュアルコネクティビティ（dual connection、DC）機構が提案されている。デュアルコネクティビティ機構の通信システムは、2つの無線アクセスネットワーク（radio access network、RAN）機器、マスタ無線アクセスネットワーク機器（master RAN、M−RAN）とセカンダリ無線アクセスネットワーク機器（secondary RAN、S−RAN）とを含む。
【０００４】
図1に示されるように、デュアルコネクティビティ機構には、上りパケット／下りパケットを伝送するための2つの経路があり、経路の一方は、（1）ユーザ機器（user equipment、UE）、M−RAN、ユーザプレーン機能（user plane function、UPF）ネットワーク要素、およびデータネットワーク（data network、DN）を通り、経路の他方は、（2）UE、S−RAN、UPF、およびDNを通る。
【０００５】
伝送路を一例として下りパケットを使用して説明する。DNによって送信された下りパケットを受信すると、UPFネットワーク要素はパケット特性に基づいて下りパケットを送信する。例えば、特定の特性を満たすパケットがM−RANを経由してUEに送信され、別の特性を満たすパケットがS−RANを経由してUEに送信される。すなわち、異なるパケットが2つの伝送路を経由して送信される。
【０００６】
5Gの発展に伴って、低遅延および高信頼の接続を必要とする、主に無人運転や産業オートメーションなどのサービスを含む超高信頼低遅延通信（ultra−reliable low latency communication、URLLC）シナリオが、5Gネットワークアーキテクチャにおいて定義されている。前述のURLLCシナリオの大部分は生命の安全や製造の安全に関連したサービスであるため、誤りは許されない。URLLCシナリオでは、デュアルコネクティビティ機構におけるデュアル伝送路を経由したパケット伝送の信頼性をどのように改善するかが、至急の解決を要する問題になっている。
【発明の概要】
【課題を解決するための手段】
【０００７】
本発明の実施形態は、パケット伝送方法、装置、およびシステムを提供する。
【０００８】
第1の態様によれば、本出願の一実施形態は伝送制御方法を提供する。本方法は、セッション管理機能ネットワーク要素が、第1のサービスに対応する第1のアクセスネットワークトンネル情報および第2のアクセスネットワークトンネル情報を受信するステップと、セッション管理機能ネットワーク要素が、ユーザプレーン機能ネットワーク要素に下り転送規則を送信するステップであって、下り転送規則が、第1のアクセスネットワークトンネル情報および第2のアクセスネットワークトンネル情報を含み、ユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する、ステップとを含む。例えば、デュアルコネクティビティシナリオでは、2つの経路は、ユーザプレーン機能ネットワーク要素とマスタ基地局との間の第1の経路、およびユーザプレーン機能ネットワーク要素とセカンダリ基地局との間の第2の経路であり得る。シングルコネクティビティシナリオでは、2つの経路は、ユーザプレーン機能ネットワーク要素と基地局との間の第1の経路および第2の経路であり得る。
【０００９】
前述の方法によれば、特定の第1のサービス（例えば、高信頼性を必要とするURLLCサービス）について、セッション管理機能ネットワーク要素が、ユーザプレーン機能ネットワーク要素に、第1のアクセスネットワークトンネル情報および第2のアクセスネットワークトンネル情報を含む下り転送規則を送信するので、第1のサービスの下りパケットを続いて受信した後、ユーザプレーン機能ネットワーク要素は、第1のサービスの下りパケットを複製し、第1のサービスの下りパケットを、第1のアクセスネットワークトンネル情報と第2のアクセスネットワークトンネル情報とにそれぞれ対応する2つの経路を経由して送信する。このようにして、第1のサービスのパケット伝送の信頼性が改善される。
【００１０】
1つの可能な設計では、第1のサービスがサービスフロー粒度である場合、下り転送規則は第1のサービスのサービスフロー識別子およびセッション識別子をさらに含むか、または第1のサービスがセッション粒度である場合、下り転送規則は第1のサービスのセッション識別子をさらに含む。したがって、異なる粒度のサービスについて、対応する粒度についての下り転送規則が提供され得るので、ユーザプレーン機能ネットワーク要素は、より正確で効率的なパケット伝送を実施することができる。
【００１１】
1つの可能な設計では、本方法は、セッション管理機能ネットワーク要素が、基地局に指示情報を送信するステップであって、指示情報が第1のアクセスネットワークトンネル情報および第2のアクセスネットワークトンネル情報の決定をトリガする、ステップをさらに含む。言い換えると、指示情報を受信した後、基地局は、第1のアクセスネットワークトンネル情報および第2のアクセスネットワークトンネル情報が決定される必要があることを知る。例えば、指示情報は、サービス品質パラメータ、スライス識別情報、データネットワーク名、ならびに第1のコアネットワークトンネル情報および第2のコアネットワークトンネル情報のうちの少なくとも1つを含み得る。
【００１２】
1つの可能な設計では、本方法は、セッション管理機能ネットワーク要素が、基地局に上り転送規則を送信するステップであって、上り転送規則が、第1のコアネットワークトンネル情報および第2のコアネットワークトンネル情報を含み、上り転送規則が基地局に、第1のサービスの受信した上りパケットを複製し、第1のサービスの上りパケットを、第1のコアネットワークトンネル情報と第2のコアネットワークトンネル情報とにそれぞれ対応する2つの経路を経由してユーザプレーン機能ネットワーク要素に送信するよう指示する、ステップをさらに含む。基地局はこの場合、シングルコネクティビティシナリオの基地局である。
【００１３】
同様に、第1のサービスがサービスフロー粒度である場合、上り転送規則は第1のサービスのサービスフロー識別子およびセッション識別子をさらに含むか、または第1のサービスがセッション粒度である場合、上り転送規則は第1のサービスのセッション識別子をさらに含む。
【００１４】
1つの可能な設計では、第1のアクセスネットワークトンネル情報と第2のアクセスネットワークトンネル情報とにそれぞれ対応する2つの経路を経由して送信される第1のサービスの下りパケットは、第1の下りパケットおよび第2の下りパケットを含み、第1の下りパケットと第2の下りパケットとは同じ通し番号を有し、第1の下りパケットは第1のサービスフロー識別子をさらに含み、第2の下りパケットは第2のサービスフロー識別子をさらに含む。
【００１５】
1つの可能な設計では、本方法は、セッション管理機能ネットワーク要素が、第1のサービスに第1のサービスフロー識別子および第2のサービスフロー識別子を割り振るステップと、第1のサービスフロー識別子および第2のサービスフロー識別子をユーザ機器に送信するステップとをさらに含む。
【００１６】
1つの可能な設計では、本方法は、セッション管理機能ネットワーク要素が、ユーザプレーン機能ネットワーク要素に上り転送規則を送信するステップであって、上り転送規則がユーザプレーン機能ネットワーク要素に、同じ通し番号を有し、第1のサービスフロー識別子と第2のサービスフロー識別子とをそれぞれ有する2つの上りパケットの重複を排除するよう指示する、ステップをさらに含む。
【００１７】
1つの可能な設計では、本方法は、セッション管理機能ネットワーク要素が、非アクセス層NASメッセージを使用してユーザ機器に指示情報を送信するステップをさらに含み、指示情報がユーザ機器に、第1の上りパケットおよび第2の上りパケットを取得するために上りパケットを複製し、第1の上りパケットと第2の上りパケットとを異なる無線ベアラ上で送信するよう指示し、第1の上りパケットと第2の上りパケットとが同じ通し番号を有する。例えば、第1の上りパケットは第1のサービスフロー識別子に対応し、第2の上りパケットは第2のサービスフロー識別子に対応する。
【００１８】
第2の態様によれば、本出願の一実施形態はパケット伝送方法を提供する。本方法は、基地局が、第1のサービスに対応する第1のアクセスネットワークトンネル情報および第2のアクセスネットワークトンネル情報を決定するステップと、基地局が、第1のアクセスネットワークトンネル情報および第2のアクセスネットワークトンネル情報をセッション管理機能ネットワーク要素に送信するステップであって、第1のアクセスネットワークトンネル情報および第2のアクセスネットワークトンネル情報が下り転送規則の決定に使用可能であり、下り転送規則がユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する、ステップとを含む。例えば、デュアルコネクティビティシナリオでは、2つの経路は、ユーザプレーン機能ネットワーク要素とマスタ基地局との間の第1の経路、およびユーザプレーン機能ネットワーク要素とセカンダリ基地局との間の第2の経路であり得る。基地局はマスタ基地局である。シングルコネクティビティシナリオでは、2つの経路は、ユーザプレーン機能ネットワーク要素と基地局との間の第1の経路および第2の経路であり得る。
【００１９】
前述の方法によれば、基地局は、第1のアクセスネットワークトンネル情報および第2のアクセスネットワークトンネル情報をセッション管理機能ネットワーク要素に送信する。特定の第1のサービス（例えば、高信頼性を必要とするURLLCサービス）について、セッション管理機能ネットワーク要素が、ユーザプレーン機能ネットワーク要素に、第1のアクセスネットワークトンネル情報および第2のアクセスネットワークトンネル情報を含む下り転送規則を送信するので、第1のサービスの下りパケットを続いて受信した後、ユーザプレーン機能ネットワーク要素は、第1のサービスの下りパケットを複製し、第1のサービスの下りパケットを、第1のアクセスネットワークトンネル情報と第2のアクセスネットワークトンネル情報とにそれぞれ対応する2つの経路を経由して送信する。このようにして、第1のサービスのパケット伝送の信頼性が改善される。
【００２０】
1つの可能な設計では、第1のサービスがサービスフロー粒度である場合、下り転送規則は第1のサービスのサービスフロー識別子およびセッション識別子をさらに含むか、または第1のサービスがセッション粒度である場合、下り転送規則は第1のサービスのセッション識別子をさらに含む。したがって、異なる粒度のサービスについて、対応する粒度についての下り転送規則が提供され得るので、ユーザプレーン機能ネットワーク要素は、より正確で効率的なパケット伝送を実施することができる。
【００２１】
1つの可能な設計では、本方法は、基地局が、セッション管理機能ネットワーク要素から指示情報を受信するステップをさらに含む。これに対応して、基地局が、第1のサービスに対応する第1のアクセスネットワークトンネル情報および第2のアクセスネットワークトンネル情報を決定するステップは、基地局が、指示情報に基づいて第1のアクセスネットワークトンネル情報および第2のアクセスネットワークトンネル情報を決定するステップを含む。例えば、指示情報は、サービス品質パラメータ、スライス識別情報、データネットワーク名、ならびに第1のコアネットワークトンネル情報および第2のコアネットワークトンネル情報のうちの少なくとも1つを含み得る。
【００２２】
1つの可能な設計では、本方法は、基地局が、セッション管理機能ネットワーク要素から上り転送規則を受信するステップであって、上り転送規則が、第1のコアネットワークトンネル情報および第2のコアネットワークトンネル情報を含む、ステップと、基地局が、上り転送規則に従って第1のサービスの受信した上りパケットを複製し、第1のサービスの上りパケットを、第1のコアネットワークトンネル情報と第2のコアネットワークトンネル情報とにそれぞれ対応する2つの経路を経由してユーザプレーン機能ネットワーク要素に送信するステップとをさらに含む。基地局はこの場合、シングルコネクティビティシナリオの基地局である。
【００２３】
同様に、第1のサービスがサービスフロー粒度である場合、上り転送規則は第1のサービスのサービスフロー識別子およびセッション識別子をさらに含むか、または第1のサービスがセッション粒度である場合、上り転送規則は第1のサービスのセッション識別子をさらに含む。
【００２４】
1つの可能な設計では、本方法は、基地局が、ユーザ機器に、第1の上りパケットにサービスフロー識別子を付加するよう指示するステップをさらに含む。
【００２５】
1つの可能な設計では、本方法は、基地局がパケットをデュアルコネクティビティ方式で伝送すると決定したとき、基地局が、ユーザ機器に、2つの第2の上りパケットを生成するよう指示するステップであって、2つの第2の上りパケットが同じ通し番号および同じサービスフロー識別子を有する、ステップをさらに含む。
【００２６】
1つの可能な設計では、本方法は、基地局が、ユーザ機器に、同じ通し番号および同じサービスフロー識別子を有する受信した下りパケットの重複を排除するよう指示するステップをさらに含む。例えば、デュアルコネクティビティ（またはデュアル基地局）の下りシナリオでは、基地局はユーザ機器に、同じ通し番号および同じサービスフロー識別子を有する受信した下りパケットの重複を排除するよう指示する。
【００２７】
1つの可能な設計では、本方法は、基地局が、第1のアクセスネットワークトンネル情報と第2のアクセスネットワークトンネル情報とにそれぞれ対応する2つの経路を経由して第1のサービスの下りパケットを受信するステップと、同じ通し番号および同じサービスフロー識別子を有する下りパケットの重複を排除するステップとをさらに含む。例えば、シングルコネクティビティ（またはシングル基地局）の下りシナリオでは、基地局は、同じ通し番号および同じサービスフロー識別子を有する下りパケットの重複を排除する。
【００２８】
1つの可能な設計では、本方法は、基地局が、アクセス層ASメッセージを使用してユーザ機器に指示情報を送信するステップであって、指示情報がユーザ機器に、第1の上りパケットおよび第2の上りパケットを取得するために上りパケットを複製し、第1の上りパケットと第2の上りパケットとを異なる無線ベアラ上で送信するよう指示する、ステップをさらに含む。
【００２９】
第3の態様によれば、本出願の一実施形態はパケット伝送方法を提供する。本方法は、基地局が、第1の指示を取得するステップと、第1の指示に従って、ユーザ機器に、第1の上りパケットにサービスフロー識別子を付加するよう指示するステップとを含み、第1の指示が、セッション管理ネットワーク要素からのものである能力情報または指示情報を含む。したがって、UEでは、同じプロトコルスタックフォーマットが、シングルコネクティビティ方式とデュアルコネクティビティ方式とに使用される。UEが続いてデュアルコネクティビティ方式に切り替わった後、UEは、プロトコルスタックフォーマットに基づいて処理を直接行って、複雑な動作およびシグナリング交換を回避し、レイテンシを低減させることができ、それによってユーザ体験が改善される。
【００３０】
1つの可能な設計では、指示情報は基地局に、ユーザ機器に、第1のセッションの上りパケットまたは第1のセッションの第1のサービスフローの上りパケットにサービスフロー識別子を付加するよう指示するよう指示する。
【００３１】
1つの可能な設計では、第1の指示が能力情報を含むとき、基地局が第1の指示に従って、ユーザ機器に、第1の上りパケットにサービスフロー識別子を付加するよう指示するステップは、能力情報が第1の条件を満たす場合、基地局が、ユーザ機器に、第1の上りパケットにサービスフロー識別子を付加するよう指示するステップであって、第1の条件が、能力情報が、基地局にデュアルコネクティビティ方式でパケットを伝送または受信する能力があることを指示すること、能力情報が、基地局の近隣の基地局にデュアルコネクティビティ方式でパケットを伝送または受信する能力があることを指示すること、および能力情報が、デュアルコネクティビティ方式でパケットを伝送または受信する能力がある別の基地局が、基地局と関連付けられたスライスに配置されていることを指示すること、のうちの少なくとも1つを含む、ステップを含む。
【００３２】
1つの可能な設計では、本方法は、基地局がパケットをデュアルコネクティビティ方式で伝送すると決定したとき、基地局が、ユーザ機器に、2つの第2の上りパケットを生成するよう指示するステップであって、2つの第2の上りパケットが同じ通し番号および同じサービスフロー識別子を有する、ステップをさらに含む。
【００３３】
1つの可能な設計では、本方法は、基地局が、ユーザ機器に、同じ通し番号および同じサービスフロー識別子を有する受信した下りパケットの重複を排除するよう指示するステップをさらに含む。例えば、デュアルコネクティビティ（またはデュアル基地局）の下りシナリオでは、基地局はユーザ機器に、同じ通し番号および同じサービスフロー識別子を有する受信した下りパケットの重複を排除するよう指示する。
【００３４】
1つの可能な設計では、本方法は、基地局が、第1のアクセスネットワークトンネル情報と第2のアクセスネットワークトンネル情報とにそれぞれ対応する2つの経路を経由して第1のサービスの下りパケットを受信するステップと、同じ通し番号および同じサービスフロー識別子を有する下りパケットの重複を排除するステップとをさらに含む。例えば、シングルコネクティビティ（またはシングル基地局）の下りシナリオでは、基地局は、同じ通し番号および同じサービスフロー識別子を有する下りパケットの重複を排除する。
【００３５】
第4の態様によれば、本出願の一実施形態はパケット伝送方法を提供する。本方法は、ユーザ機器が、第1の基地局から取得された指示に従って第1の上りパケットおよび第2の上りパケットを生成するステップであって、第1の上りパケットと第2の上りパケットとが同じ第1のサービスフロー識別子および同じ第1の通し番号を有する、ステップと、第1の上りパケットを第1の基地局に送信し、第2の上りパケットを第2の基地局に送信するステップとを含む。したがって、デュアルコネクティビティ方式では、UEは、基地局の指示に従って上りパケットにサービスフロー識別子および通し番号を付加する。特定のサービス（例えば、高信頼性を必要とするURLLCサービス）のパケットについて、UEはパケットを複製する。このようにして、特定のサービスのパケット伝送の信頼性が改善される。
【００３６】
1つの可能な設計では、本方法は、ユーザ機器が、第1の基地局と第2の基地局とからそれぞれ第1の下りパケットと第2の下りパケットとを受信するステップであって、第1の下りパケットと第2の下りパケットとが同じ第2のサービスフロー識別子および同じ第2の通し番号を含む、ステップと、ユーザ機器が、基地局の指示に従って第1の下りパケットと第2の下りパケットの重複を排除するステップとをさらに含む。
【００３７】
第5の態様によれば、本出願の一実施形態はパケット伝送方法を提供する。本方法は、第1の基地局が、第1の基地局とユーザ機器との間の第1の無線ベアラの確立を開始するステップと、第2の基地局とユーザ機器との間の第2の無線ベアラを確立するプロセスにおいて、第1の基地局または第2の基地局が、ユーザ機器に指示情報を送信するステップであって、指示情報がユーザ機器に、第1の無線ベアラおよび第2の無線ベアラをユーザ機器上の同じパケットデータ収束プロトコルPDCPエンティティと関連付けるよう指示する、ステップとを含む。
【００３８】
1つの可能な設計では、第1の基地局または第2の基地局が、ユーザ機器に指示情報を送信するステップは、第1の基地局または第2の基地局が、無線リソース制御RRC層メッセージを使用してユーザ機器に指示情報を送信するステップを含む。
【００３９】
第6の態様によれば、本出願の一実施形態はパケット伝送方法を提供する。本方法は、ユーザ機器が、第1の基地局とユーザ機器との間の第1の無線ベアラを確立するために、第1の基地局とやり取りするステップと、第2の基地局とユーザ機器との間の第2の無線ベアラを確立するプロセスにおいて、ユーザ機器が、第1の基地局または第2の基地局から指示情報を受信するステップであって、指示情報がユーザ機器に、第1の無線ベアラおよび第2の無線ベアラをユーザ機器上の同じパケットデータ収束プロトコルPDCPエンティティと関連付けるよう指示する、ステップと、ユーザ機器が、指示情報に基づいて第1のパケットおよび第2のパケットを生成するステップであって、第1のパケットと第2のパケットとが同じ通し番号を有する、ステップと、ユーザ機器が、第1のパケットを第1の無線ベアラ上で第1の基地局に送信し、第2のパケットを第2の無線ベアラ上で第2の基地局に送信するステップとを含む。
【００４０】
1つの可能な設計では、ユーザ機器が、指示情報に基づいて第1のパケットおよび第2のパケットを生成するステップは、ユーザ機器が、第1のパケットおよび第2のパケットを取得するために、指示情報に基づいてPDCP層でパケットを複製するステップを含む。
【００４１】
第7の態様によれば、本出願の一実施形態はパケット伝送方法を提供する。本方法は、ユーザ機器が、ネットワーク側機器から指示情報を取得するステップと、ユーザ機器が、指示情報に基づいて第1の上りパケットおよび第2の上りパケットを生成し、第1の上りパケットを第1の無線ベアラ上で第1の基地局に送信し、第2の上りパケットを第2の無線ベアラ上で第2の基地局に送信するステップとを含み、第1の上りパケットと第2の上りパケットとが同じ通し番号を有する。
【００４２】
1つの可能な設計では、第1の上りパケットは第1のサービスフロー識別子に対応し、第2の上りパケットは第2のサービスフロー識別子に対応する。
【００４３】
1つの可能な設計では、ユーザ機器が、指示情報に基づいて第1の上りパケットおよび第2の上りパケットを生成するステップは、ユーザ機器が、第1の上りパケットおよび第2の上りパケットを取得するために、指示情報に基づいて第1のプロトコル層でパケットを複製するステップを含む。例えば、第1のプロトコル層は高信頼プロトコルHRP層を含み、ユーザ機器は、非アクセス層NASメッセージを使用してセッション管理機能ネットワーク要素から指示情報を取得するか、または第1のプロトコル層はサービスデータ適応プロトコルSDAP層を含み、ユーザ機器はASメッセージを使用して第1の基地局から指示情報を取得する。
【００４４】
1つの可能な設計では、本方法は、ユーザ機器が、第1の基地局と第2の基地局とからそれぞれ第1の下りパケットと第2の下りパケットとを受信するステップであって、第1の下りパケットが第2の通し番号を有し、第1のサービスフロー識別子に対応し、第2の下りパケットが第2の通し番号を有し、第2のサービスフロー識別子に対応する、ステップと、ユーザ機器が、指示情報に基づいて第1の下りパケットと第2の下りパケットの重複を排除するステップとをさらに含む。
【００４５】
第8の態様によれば、本出願の一実施形態はパケット伝送方法を提供する。本方法は、ユーザプレーン機能ネットワーク要素が、セッション管理機能ネットワーク要素から上り転送規則を受信するステップと、ユーザプレーン機能ネットワーク要素が、第1の上りパケットおよび第2の上りパケットを受信するステップであって、第1の上りパケットが第1のサービスフロー識別子および第1の通し番号を有し、第2の上りパケットが第2のサービスフロー識別子および第1の通し番号を有する、ステップと、ユーザプレーン機能ネットワーク要素が、上り転送規則に従って第1の上りパケットと第2の上りパケットの重複を排除するステップとを含む。
【００４６】
1つの可能な設計では、上り転送規則はユーザプレーン機能ネットワーク要素に、同じ通し番号を有し、第1のサービスフロー識別子と第2のサービスフロー識別子とをそれぞれ有する2つの上りパケットの重複を排除するよう指示する。
【００４７】
1つの可能な設計では、本方法は、ユーザプレーン機能ネットワーク要素が、セッション管理機能ネットワーク要素から下り転送規則を受信するステップと、ユーザプレーン機能ネットワーク要素が、下り転送規則に従って第1の下りパケットおよび第2の下りパケットを生成し、第1の下りパケットを第1の基地局に送信し、第2の下りパケットを第2の基地局に送信するステップであって、第1の下りパケットが第1のサービスフロー識別子および第2の通し番号を有し、第2の下りパケットが第2のサービスフロー識別子および第2の通し番号を有する、ステップとをさらに含む。
【００４８】
1つの可能な設計では、ユーザプレーン機能ネットワーク要素が、下り転送規則に従って第1の下りパケットおよび第2の下りパケットを生成するステップは、ユーザプレーン機能ネットワーク要素が、第1の下りパケットおよび第2の下りパケットを取得するために、下り転送規則に従って第1のプロトコル層でパケットを複製するステップであって、第1のプロトコル層が高信頼プロトコルHRP層または汎用パケット無線システムトンネリングプロトコル・ユーザプレーンGTP−U層を含む、ステップを含む。
【００４９】
第9の態様によれば、本出願の一実施形態はパケット伝送装置を提供する。本装置は、セッション管理機能ネットワーク要素またはチップであり得る。本装置は、第1の態様または第1の態様の可能な設計によるセッション管理機能ネットワーク要素の挙動を実施する機能を有する。この機能は、ハードウェアによって実施され得るか、またはハードウェアが対応するソフトウェアを実行することによって実施され得る。ハードウェアまたはソフトウェアは、前述の機能に対応する1つまたは複数のモジュールを含む。1つの可能な設計では、本装置の構造は、プロセッサと送受信機とを含む。プロセッサは、第1の態様または第1の態様の可能な設計による対応する機能を行うように構成される。送受信機は、本装置とユーザプレーン機能ネットワーク要素との間および本装置と基地局との間の通信を実施するように構成される。本装置は、メモリをさらに含み得る。メモリは、プロセッサに結合され、本装置に必要なプログラム命令およびデータを格納する、ように構成される。
【００５０】
第10の態様によれば、本出願の一実施形態はパケット伝送装置を提供する。本装置は、基地局であり得るか、またはチップであり得る。本装置は、第2の態様もしくは第2の態様の可能な設計による基地局の挙動を実施する機能を有するか、または第3の態様もしくは第3の態様の可能な設計による基地局の挙動を実施する機能を有するか、または第5の態様もしくは第5の態様の可能な設計による基地局の挙動を実施する機能を有する。この機能は、ハードウェアによって実施され得るか、またはハードウェアが対応するソフトウェアを実行することによって実施され得る。ハードウェアまたはソフトウェアは、前述の機能に対応する1つまたは複数のモジュールを含む。1つの可能な設計では、本装置の構造は、プロセッサと送受信機とを含む。プロセッサは、第2の態様もしくは第2の態様の可能な設計による対応する機能を行うか、または第3の態様もしくは第3の態様の可能な設計による対応する機能を行うか、または第5の態様もしくは第5の態様の可能な設計による対応する機能を行うように構成される。送受信機は、本装置とセッション管理機能ネットワーク要素との間および本装置とユーザプレーン機能ネットワーク要素との間の通信を実施するように構成される。本装置は、メモリをさらに含み得る。メモリは、プロセッサに結合され、本装置に必要なプログラム命令およびデータを格納する、ように構成される。
【００５１】
第11の態様によれば、本出願の一実施形態はパケット伝送装置を提供する。本装置は、ユーザ機器であり得るか、またはチップであり得る。本装置は、第4の態様もしくは第4の態様の可能な設計によるユーザ機器の挙動を実施する機能を有するか、または第6の態様もしくは第6の態様の可能な設計によるユーザ機器の挙動を実施する機能を有するか、または第7の態様もしくは第7の態様の可能な設計による基地局の挙動を実施する機能を有する。この機能は、ハードウェアによって実施され得るか、またはハードウェアが対応するソフトウェアを実行することによって実施され得る。ハードウェアまたはソフトウェアは、前述の機能に対応する1つまたは複数のモジュールを含む。1つの可能な設計では、本装置の構造は、プロセッサと送受信機とを含む。プロセッサは、第4の態様もしくは第4の態様の可能な設計による対応する機能を行うか、または第6の態様もしくは第6の態様の可能な設計による対応する機能を行うか、または第7の態様もしくは第7の態様の可能な設計による対応する機能を行うように構成される。送受信機は、本装置と基地局との間および本装置とセッション管理機能ネットワーク要素との間の通信を実施するように構成される。本装置は、メモリをさらに含み得る。メモリは、プロセッサに結合され、本装置に必要なプログラム命令およびデータを格納する、ように構成される。
【００５２】
第12の態様によれば、本出願の一実施形態はパケット伝送装置を提供する。本装置は、ユーザプレーン機能ネットワーク要素またはチップであり得る。本装置は、第8の態様または第8の態様の可能な設計によるユーザプレーン機能ネットワーク要素の挙動を実施する機能を有する。この機能は、ハードウェアによって実施され得るか、またはハードウェアが対応するソフトウェアを実行することによって実施され得る。ハードウェアまたはソフトウェアは、前述の機能に対応する1つまたは複数のモジュールを含む。1つの可能な設計では、本装置の構造は、プロセッサと送受信機とを含む。プロセッサは、第8の態様または第8の態様の可能な設計による対応する機能を行うように構成される。送受信機は、本装置とセッション管理機能ネットワーク要素との間および本装置と基地局との間の通信を実施するように構成される。本装置は、メモリをさらに含み得る。メモリは、プロセッサに結合され、本装置に必要なプログラム命令およびデータを格納する、ように構成される。
【００５３】
第13の態様によれば、本出願の一実施形態はパケット伝送システムを提供する。本システムは、第1の態様または第1の態様の可能な設計による方法を行うように構成されたセッション管理機能ネットワーク要素と、第2の態様または第2の態様の可能な設計による方法を行うように構成された基地局とを含む。デュアルコネクティビティシナリオでは、第2の態様または第2の態様の可能な設計による方法を行う基地局は、マスタ基地局である。任意選択で、本システムは、デュアルコネクティビティを実施するように構成されたセカンダリ基地局をさらに含み得る。
【００５４】
第14の態様によれば、本出願の一実施形態は、コンピュータ可読記憶媒体をさらに提供する。本コンピュータ可読記憶媒体は命令を格納し、命令がコンピュータ上で実行されると、コンピュータは、前述の態様による方法を行うことができるようになる。
【００５５】
第15の態様によれば、本出願の一実施形態は、命令を含むコンピュータプログラム製品を提供する。本コンピュータプログラム製品がコンピュータ上で実行されると、コンピュータは、前述の態様による方法を行うことができるようになる。
【図面の簡単な説明】
【００５６】
【図１】5Gデュアルコネクティビティ機構におけるデュアル伝送路の概略図である。
【図２】5G通信システムにおけるデュアルコネクティビティの概略図である。
【図３Ａ】本出願の一実施形態によるパケット伝送方法のシグナリング交換図である。
【図３Ｂ】本出願の一実施形態によるパケット伝送方法のシグナリング交換図である。
【図４】5G通信システムにおけるシングルコネクティビティの概略図である。
【図５】本出願の別の実施形態によるパケット伝送方法のシグナリング交換図である。
【図６】本出願の一実施形態によるパケット伝送方法の流れ図である。
【図７】本出願の一実施形態によるパケット伝送方法の別の流れ図である。
【図８】本出願の一実施形態によるパケット伝送装置の概略的構造図である。
【図９】本出願の一実施形態による別のパケット伝送装置の概略的構造図である。
【図１０】本出願の一実施形態によるパケット伝送装置の別の概略的構造図である。
【図１１Ａ】本出願の別の実施形態によるパケット伝送方法のシグナリング交換図である。
【図１１Ｂ】本出願の別の実施形態によるパケット伝送方法のシグナリング交換図である。
【図１２Ａ】本出願の別の実施形態によるパケット伝送方法のシグナリング交換図である。
【図１２Ｂ】本出願の別の実施形態によるパケット伝送方法のシグナリング交換図である。
【図１３】本出願の別の実施形態によるパケット伝送方法の流れ図である。
【図１４】本出願の別の実施形態によるパケット伝送方法の流れ図である。
【図１５Ａ】方法がPDCP層を拡張するための解決策に適用可能な、本出願の別の実施形態によるパケット伝送方法のシグナリング交換図である。
【図１５Ｂ】方法がPDCP層を拡張するための解決策に適用可能な、本出願の別の実施形態によるパケット伝送方法のシグナリング交換図である。
【図１６】本出願の別の実施形態による基地局側のパケット伝送方法の流れ図である。
【図１７】本出願の別の実施形態によるUE側のパケット伝送方法の流れ図である。
【図１８Ａ】方法がHRP層の解決策に適用可能な、本出願の別の実施形態によるパケット伝送方法のシグナリング交換図である。
【図１８Ｂ】方法がHRP層の解決策に適用可能な、本出願の別の実施形態によるパケット伝送方法のシグナリング交換図である。
【図１９Ａ】方法がSDAP層の解決策に適用可能な、本出願の別の実施形態によるパケット伝送方法のシグナリング交換図である。
【図１９Ｂ】方法がSDAP層の解決策に適用可能な、本出願の別の実施形態によるパケット伝送方法のシグナリング交換図である。
【図２０】本出願の別の実施形態によるUE側のパケット伝送方法の流れ図である。
【図２１】本出願の別の実施形態によるUPF側のパケット伝送方法の流れ図である。
【発明を実施するための形態】
【００５７】
以下で、本出願の実施形態における添付の図面に関連して、本出願の実施形態における技術的解決法を明確に説明する。
【００５８】
5Gモバイルネットワークアーキテクチャでは、コアネットワークが、制御プレーン（control plane）ネットワーク要素およびユーザプレーン（user plane）ネットワーク要素を含む。制御プレーンネットワーク要素は、従来の第3世代パートナーシッププロジェクト（third generation partnership project、3GPP）の制御ネットワーク要素モビリティ管理エンティティ（mobility management entity、MME）、サービングゲートウェイ（serving gateway、SGW）の制御プレーン機能、パケットデータネットワークゲートウェイ（packet data network gateway、PGW）の制御プレーン機能などを統合した統合制御プレーンである。ユーザプレーン機能ネットワーク要素は、SGWのユーザプレーン機能（SGW−U）およびPGWのユーザプレーン機能（PGW−U）を実施することができる。さらに、統合制御プレーンネットワーク要素は、アクセスおよびモビリティ管理機能（access and mobility management function、AMF）ネットワーク要素と、セッション管理機能（session management function、SMF）ネットワーク要素とに分解され得る。
【００５９】
図2は、本出願の一実施形態による5G通信システムの概略図である。図2に示されるように、この通信システムは、少なくともUE201と、RAN機器（例えばM−RAN機器202やS−RAN機器203）と、AMFネットワーク要素204と、SMFネットワーク要素205と、UPFネットワーク要素206とを含む。
【００６０】
このシステムのUE201は、5Gネットワーク内にあるとは限定されず、携帯電話、モノのインターネット機器、スマートホーム機器、産業用制御機器、車両機器などを含む。ユーザ機器は、端末（terminal）、端末機器（terminal device）、移動局（Mobile Station）、移動局（Mobile）、リモート局（Remote Station）、リモート端末（Remote Terminal）、アクセス端末（Access Terminal）、ユーザ端末（User Terminal）、またはユーザエージェント（User Agent）と呼ばれる場合もある。これについてはここでは限定されない。ユーザ機器は代替として、車両間（Vehicle−to−vehicle、V2V）通信の車両、マシンタイプ通信のマシンなどであってもよい。
【００６１】
RAN機器は、UE201に無線通信機能を提供するように構成された装置である。M−RAN機器202を例として使用する。M−RAN機器202は、様々な形態の基地局、例えば、マクロ基地局、マイクロ基地局（スモールセルとも呼ばれる）、中継局、またはアクセスポイントを含み得る。異なる無線アクセス技術を使用するシステムでは、基地局機能を有する機器の名前が異なり得る。例えば、第3世代（3rd generation、3G）システムでは、機器はノードB（Node B）と呼ばれる。ロングタームエボリューション（long term evolution、LTE）システムでは、機器は進化型ノードB（evolved NodeB、eNBまたはeNodeB）と呼ばれる。第5世代システムでは、機器はgNB（gNodeB）と呼ばれる。以下ではM−RAN機器202を短くM−RAN202と呼ぶ。S−RAN機器203はM−RAN機器202と同様であり、詳細は繰り返さない。
【００６２】
AMFネットワーク要素204は、UE201の登録、モビリティ管理、トラッキングエリア更新手順などの責任を負い得る。以下ではAMFネットワーク要素204を短くAMF204と呼ぶ。
【００６３】
SMFネットワーク要素205は、UE201のセッション管理の責任を負い得る。例えば、セッション管理は、セッションの確立、変更、および解放、UPFネットワーク要素の選択および再選択、ならびにインターネットプロトコル（internet protocol、IP）アドレス割当てを含む。以下ではSMFネットワーク要素205を短くSMF205と呼ぶ。
【００６４】
UPFネットワーク要素206は、データネットワーク（data network、DN）207に接続されてもよく、サービスのデータパケットを伝送するように構成される。以下ではUPFネットワーク要素206を短くUPF206と呼ぶ。
【００６５】
デュアルコネクティビティ機構には、上りパケット／下りパケットを伝送するための2つの経路があり、一方の経路は（1）UE201、M−RAN202、UPF206、およびDN207を通り、他方の経路は（2）UE201、S−RAN203、UPF206、およびDN207を通る。M−RAN202とS−RAN203との間にはシグナリング接続があり、M−RAN202と、AMF204やSMF205などの制御プレーン（control plane、CP）ネットワーク要素との間にはシグナリング接続がある。任意選択で、S−RANとCPとの間にシグナリング接続がない場合もある。
【００６６】
前述のネットワーク要素は、機器またはエンティティとも呼ばれ得る。例えば、AMFネットワーク要素は、AMF機器またはAMFエンティティとも呼ばれ得る。
【００６７】
前述のネットワーク要素は、指定されたハードウェアによって実施され得るか、または指定されたハードウェア上のソフトウェアインスタンスによって実施され得るか、または適切なプラットフォーム上でインスタンス化された仮想機能によって実施され得る。これについては本発明では限定されない。
【００６８】
任意選択で、通信システムは、サービスフレームワーク（service framework）に適用可能である。サービスフレームワークでは、制御プレーン上でサービスベースのインターフェース（service−based interface）が使用される。例えば、AMFネットワーク要素204とSMFネットワーク要素204とは、サービスベースのインターフェースNamfとサービスベースのインターフェースNsmfとをそれぞれ有する。1つの機能ネットワーク要素は、ネットワーク機能（network function、NF）サービスを提供するために、サービスベースのインターフェースを介して別の許可された機能ネットワーク要素にその能力を公開し得る。言い換えると、NFサービスは、提供され得る様々なサービスを指す。
【００６９】
加えて、本出願の本実施形態は、別の未来志向の通信技術にもさらに適用可能である。本出願に記載されるネットワークアーキテクチャおよびサービスシナリオは、本出願における技術的解決策をより明確に説明するためのものであり、本出願において提供される技術的解決策に対する限定を構成するものではない。ネットワークアーキテクチャの進化および新しいサービスシナリオの出現とともに、本出願において提供される技術的解決策が、同様の技術的問題にも適用可能になることが、当業者にはわかるであろう。
【００７０】
第3世代パートナーシッププロジェクト（Third Generation Partnership Project、3GPP）は、高度モバイルブロードバンド（enhanced Mobile Broadband、eMBB）、大量マシンタイプ通信（massive Machine Type Communications、mMTC）、およびURLLC、の3つの主要な5Gシナリオを定義している。URLLCの特徴には高信頼性および低遅延が含まれ、URLLCは、無人運転、産業オートメーション、遠隔製造、遠隔訓練、遠隔手術などに適用され得る。例えば、URLLCでは、求められる上りユーザプレーンレイテンシは0．5msであり、求められる下りユーザプレーンレイテンシは0．5msである。信頼性の目標は、32バイトパケットのパケット損失率が1msのユーザプレーンレイテンシ以内で1〜10＾（−5）を超えないことである。
【００７１】
本出願は、高信頼性を有するパケット伝送解決策を提供するためのものである。例えば、このパケット伝送解決策は、URLLCシナリオに適用され得る。
【００７２】
図3Aおよび図3Bは、本出願の一実施形態によるパケット伝送方法のシグナリング交換図である。図3Aおよび図3Bは、UEとマスタ基地局とセカンダリ基地局とAMFとSMFとUPFとの間のインタラクションに関する。例えば、UE、マスタ基地局、セカンダリ基地局、AMF、SMF、およびUPFはそれぞれ、図2のUE201、M−RAN202、S−RAN203、AMF204、SMF205、およびUPF206であり得る。
【００７３】
図3Aおよび図3Bに示されるように、本方法は以下のステップを含む。
【００７４】
ステップ301：UEが、マスタ基地局を介してAMFに、UEのためのパケットデータユニット（packet data unit、PDU）セッションを確立するよう要求するために、セッション確立要求を搬送する非アクセス層（non−access stratum、NAS）メッセージを送信する。
【００７５】
NASメッセージは、UEによってセッションに割り振られるPDUセッション識別子（PDU session ID）、単一ネットワークスライス選択補助情報（Single Network Slice Selection Assistance Information、S−NSSAI）、およびデータネットワーク名（data network name、DNN）をさらに含み得る。S−NSSAIは、セッションに対応するスライスタイプを指示する。DNNは、セッションに対応するDNを指示する。
【００７６】
ステップ302：セッション確立手順の他のステップが行われる。
【００７７】
例えば、前述の他のステップは少なくとも、AMFがSMFを選択し、SMFがUPFを選択することを含む。ここでは詳細を述べない。
【００７８】
ステップ303：SMFがAMFにN2セッション管理情報（N2 session management information、N2 SM information）を伝送する。
【００７９】
例えば、SMFは、AMFのN1N2メッセージ転送サービス（Namf＿Communication＿N1N2MessageTransfer）を呼び出すために、AMFにN2 SM情報を送信する。N2 SM情報は少なくとも、PDUセッション識別子およびコアネットワークトンネル情報（CN tunnel info）を含む。N2 SM情報は、サービス品質（quality of service、QoS）パラメータ、QoSフロー識別子（QoS flow identifier、QFI）、スライス識別情報（例えばS−NSSAI）、セッション集約最大ビットレート（session−aggregate maximum bit rate、session−AMBR）、およびPDUセッションタイプをさらに含み得る。任意選択で、N2 SM情報は、データネットワーク名（data network name、DNN）をさらに含み得る。加えて、サービスを呼び出すことによってセッション受け入れメッセージを含むN1 SMコンテナ（container）もAMFにさらに送信され得る。
【００８０】
ステップ304：AMFがマスタ基地局にN2 SM情報を送信する。
【００８１】
例えば、AMFはマスタ基地局にN2セッション要求を送信し、N2セッション要求はN2 SM情報およびNASメッセージを含む。NASメッセージはPDUセッション識別子およびN1 SMコンテナを含む。
【００８２】
コアネットワークトンネル情報は、第1のコアネットワークトンネル情報および第2のコアネットワークトンネル情報を含む。第1のコアネットワークトンネル情報および第2のコアネットワークトンネル情報は、SMFによって割り振られ、AMFによって転送されることによってマスタ基地局に送信され得るか、またはUPFによって割り振られ、SMFに送信され、次いでAMFによって転送されることによりSMFによってマスタ基地局に送信され得る。
【００８３】
例えば、第1のコアネットワークトンネル情報は、UPFの第1のインターネットプロトコル（internet protocol、IP）アドレスおよび第1のトンネルエンドポイント識別子（tunnel endpoint identifier、TEID）を含む。第2のコアネットワークトンネル情報は、UPFの第2のIPアドレスおよびUPFの第2のTEIDを含む。第1のIPアドレスと第2のIPアドレスとは、同じであり得るか、または異なり得る。第1のTEIDと第2のTEIDとは異なる。
【００８４】
第1のIPアドレスと第2のIPアドレスとが異なる場合、第1のIPアドレスと第2のIPアドレスとは、互いに独立した2つの経路を識別し得る。互いに独立した2つの経路は、異なる伝送エンティティ（スイッチやルータなど）を通る2つの経路である。以下では詳細を繰り返さない。
【００８５】
第1のIPアドレスと第2のIPアドレスとが同じである場合、N2 SM情報は、第1のTEIDに対応する第1のネットワーク識別情報および第2のTEIDに対応する第2のネットワーク識別情報をさらに含む。第1のネットワーク識別情報と第2のネットワーク識別情報とは、互いに独立した2つの経路を識別する。第1のネットワーク識別情報を例にとる。第1のTEIDと第1のネットワーク識別情報とは異なるネットワーク要素によって割り振られ得る。第1のネットワーク識別情報は、仮想ローカルエリアネットワーク（virtual local area network、VLAN）識別子（identifier、ID）またはマルチプロトコルラベルスイッチング（multi−protocol label switching、MPLS）ラベルを含み得る。例えば、第1のTEIDに対応するネットワーク識別情報はVLAN ID 1であり、第2のTEIDに対応するネットワーク識別情報はVLAN ID 2である。このように、第1のIPアドレスと第2のIPアドレスとが同じである場合、第1のコアネットワークトンネル情報および第2のコアネットワークトンネル情報が続いて送信されるとき、第1のTEIDに対応する第1のネットワーク識別情報および第2のTEIDに対応する第2のネットワーク識別情報も送信される。以下では詳細を繰り返さない。例えば、第1のコアネットワークトンネル情報および第1のネットワーク識別情報は、第1のコンテナを使用して送信され、第2のコアネットワークトンネル情報および第2のネットワーク識別情報は、第2のコンテナを使用して送信され得る。
【００８６】
ステップ305：マスタ基地局が、マスタ基地局とUEとの間のアクセスネットワークリソースの確立を開始する。
【００８７】
ステップ306：マスタ基地局が、セカンダリ基地局を追加すると決定し、セカンダリ基地局にセカンダリ基地局追加要求を送信する。
【００８８】
マスタ基地局は、セカンダリ基地局が追加される必要があると決定するために、指示情報に基づいて、第1のサービスの上りパケットを、二重経路を経由して伝送すると決定し得る。第1のサービスはURLLCサービスを含む。例えば、N2 SM情報に含まれるQoSパラメータ、スライス識別情報、DNN、ならびに第1のコアネットワークトンネル情報および第2のコアネットワークトンネル情報のいずれか1つまたは組み合わせが、指示情報として使用され得る。QoSパラメータは、5G QoS識別子（5G QoS identifier、5QI）およびQoSフロー識別子（QoS flow identifier、QFI）の少なくとも一方を含む。例えば、マスタ基地局が、N2 SM情報内のQoSパラメータに基づいて、セッションが高信頼性を必要とすると判断した場合、マスタ基地局はセカンダリ基地局を追加すると決定するか、またはマスタ基地局が、N2 SM情報内のスライス識別情報に基づいて、セッションが超高信頼低遅延通信のスライスと関連付けられていると判断した場合、マスタ基地局はセカンダリ基地局を追加すると決定するか、またはマスタ基地局が、N2 SM情報内のDNNに基づいて、セッションが超高信頼低遅延通信のデータネットワークと関連付けられていると判断した場合、マスタ基地局はセカンダリ基地局を追加すると決定するか、またはマスタ基地局が、N2 SM情報内の第1のコアネットワークトンネル情報および第2のコアネットワークトンネル情報に基づいて、上りパケットを二重経路を経由して伝送すると直接決定した場合、マスタ基地局はセカンダリ基地局を追加すると決定する。二重経路を経由した下りパケットの伝送に第1のアクセスネットワークトンネル情報および第2のアクセスネットワークトンネル情報が使用される必要があるので、指示情報が第1のアクセスネットワークトンネル情報および第2のアクセスネットワークトンネル情報の決定をトリガすることも考慮され得る。第1のアクセスネットワークトンネル情報はマスタ基地局によって決定され、第2のアクセスネットワークトンネル情報はセカンダリ基地局によって決定され、マスタ基地局に送信され得る。
【００８９】
例えば、第1のアクセスネットワークトンネル情報は、マスタ基地局の第3のIPアドレスおよびマスタ基地局の第3のTEIDを含み、第2のアクセスネットワークトンネル情報は、セカンダリ基地局の第4のIPアドレスおよびセカンダリ基地局の第4のTEIDを含む。
【００９０】
任意選択で、マスタ基地局が、第1のサービスの下りパケットを、（UEによって報告された測定報告に記載される）現在の環境において二重経路を経由して伝送することができないことを知った場合、マスタ基地局はAMFに指示情報をフィードバックし、AMFはSMFに指示情報を送信し、指示情報は、第1のサービスの下りパケットを、二重経路を経由して伝送することができないことを指示する。指示情報を受信した後、SMFは、セッション確立手順を拒絶するか、または先行技術のセッション確立手順における後続のステップを行う。
【００９１】
ステップ307：セカンダリ基地局がマスタ基地局にセカンダリ基地局追加要求確認応答を返す。
【００９２】
例えば、セカンダリ基地局追加要求確認応答は、セカンダリ基地局によって決定された第2のアクセスネットワークトンネル情報を含む。
【００９３】
任意選択で、第1のサービスがセッション粒度である場合、ステップ306で送信されるセカンダリ基地局追加要求は第1のサービスのセッション識別子を含む。したがって、セカンダリ基地局によって決定される第2のアクセスネットワークトンネル情報もセッション粒度であり、セッション識別子に対応する。第1のサービスがサービスフロー粒度である場合、ステップ306で送信されるセカンダリ基地局追加要求は第1のサービスのサービスフローのQFIを含む。したがって、セカンダリ基地局によって決定される第2のアクセスネットワークトンネル情報もサービスフロー粒度であり、QFIに対応する。プロトコルスタックの観点から見ると、マスタ基地局がセカンダリ基地局を追加すると決定した場合、マスタ基地局は、QFIのパケットデータ収束プロトコル（Packet Data Convergence Protocol、PDCP）エンティティ（entity）を生成し、セカンダリ基地局追加要求を受信した後、セカンダリ基地局はQFIのPDCPエンティティを生成する。このようにして、QFIは2つのPDCPエンティティと関連付けられる。したがって、マスタ基地局がセカンダリ基地局を追加すると決定する、具体的には、パケットをデュアルコネクティビティ方式で伝送することは、QFIが2つのPDCPエンティティと関連付けられることとしても理解され得る。
【００９４】
上述したように、第1のアクセスネットワークトンネル情報は、マスタ基地局の第3のIPアドレスおよびマスタ基地局の第3のTEIDを含み、第2のアクセスネットワークトンネル情報は、セカンダリ基地局の第4のIPアドレスおよびセカンダリ基地局の第4のTEIDを含む。第3のIPアドレスと第4のIPアドレスとは、同じであり得るか、または異なり得る。第3のTEIDと第4のTEIDとは異なる。
【００９５】
第3のIPアドレスと第4のIPアドレスとが異なる場合、第3のIPアドレスと第4のIPアドレスとは、互いに独立した2つの経路を識別する。
【００９６】
第3のIPアドレスと第4のIPアドレスとが同じである場合、第2のアクセスネットワークトンネル情報を受信した後、マスタ基地局は、第3のTEIDに対応する第3のネットワーク識別情報および第4のTEIDに対応する第4のネットワーク識別情報を割り振る。第3のネットワーク識別情報と第4のネットワーク識別情報とは、互いに独立した2つの経路を識別する。第3／第4のネットワーク識別情報については、第1のネットワーク識別情報の説明を参照されたい。ここでは詳細を繰り返さない。このように、第3のIPアドレスと第4のIPアドレスとが同じである場合、第1のアクセスネットワークトンネル情報および第2のアクセスネットワークトンネル情報を続いて送信するとき、マスタ基地局はさらに、第3のTEIDに対応する第3のネットワーク識別情報を送信し、第4のTEIDに対応する第4のネットワーク識別情報を送信する。以下では詳細を繰り返さない。例えば、マスタ基地局は、第3のコンテナを使用して第1のアクセスネットワークトンネル情報および第3のネットワーク識別情報を送信し、第4のコンテナを使用して第2のアクセスネットワークトンネル情報および第4のネットワーク識別情報を送信し得る。
【００９７】
ステップ308：マスタ基地局がUEへの無線リソース制御（radio resource control、RRC）接続の再構成を開始する。
【００９８】
ステップ309：マスタ基地局が、セカンダリ基地局に、UEがRRC接続再構成を正常に完了したことを通知するために、セカンダリ基地局にセカンダリ基地局再構成完了をフィードバックする。
任意選択で、セカンダリ基地局がRRC機能を有する場合、前述のステップ307からステップ309は以下のステップで置き換えられてもよい。
【００９９】
307’：セカンダリ基地局がUEへのRRC接続確立プロセスを開始する。
【０１００】
308’：セカンダリ基地局がマスタ基地局にセカンダリ基地局追加要求確認応答を返す。詳細については、ステップ307の説明を参照されたい。詳細は繰り返さない。
【０１０１】
ステップ310：ランダムアクセス手順が行われる。
【０１０２】
ステップ308、ステップ309、およびステップ310の順序はここでは限定されないか、またはランダムアクセス手順がまず行われてもよく、次いでステップ308およびステップ309が行われることに留意されたい。
【０１０３】
任意選択で、別の実施形態では、マスタ基地局は、ステップ305の前に、セカンダリ基地局が追加される必要があるかどうかを判断し得る。マスタ基地局が、セカンダリ基地局が追加される必要があるかどうかをどのように判断するかについては、ステップ306の説明を参照されたい。ここでは詳細を繰り返さない。マスタ基地局がセカンダリ基地局を追加する（具体的には、パケットをデュアルコネクティビティ方式で伝送する）と決定した場合、マスタ基地局は、ステップ305またはステップ308によって、UEに、上りパケットにサービスフロー識別子および通し番号を付加する（上りパケットを複製する、複製された上りパケットは同じサービスフロー識別子および同じ通し番号を有する）よう指示し得る。マスタ基地局がセカンダリ基地局を追加しない（具体的には、パケットをシングルコネクティビティ方式で伝送する）と決定した場合、マスタ基地局は、取得した能力情報が第1の条件を満たすかどうかをさらに判断する。能力情報が第1の条件を満たす場合、マスタ基地局は、ステップ305またはステップ308によって、UEに、上りパケットにサービスフロー識別子を付加するよう指示し得る。
【０１０４】
例えば、能力情報は、基地局（すなわちマスタ基地局）にデュアルコネクティビティ方式でパケットを伝送または受信する能力があるかどうか、基地局の近隣の基地局（すなわち、基地局とのXnインターフェースを有する基地局、例えばセカンダリ基地局）にデュアルコネクティビティ方式でパケットを送信または受信する能力があるかどうか、およびデュアルコネクティビティ方式でパケットを送信または受信する能力がある別の基地局（例えばセカンダリ基地局）が、基地局と関連付けられたスライスに配置されているかどうか、のうちの少なくとも1つを指示する。
【０１０５】
例えば、マスタ基地局は、マスタ基地局と近隣の基地局との間のXn接続確立プロセスにおいて、またはN2セッション確立プロセスにおいて、構成により能力情報を取得し得る。例えば、基地局と近隣の基地局との間のXn接続確立プロセスでは、近隣の基地局は基地局に近隣の基地局の能力情報を送信する。基地局とAMFとの間のN2セッション確立プロセスでは、SMFはN2セッション確立プロセスにおいて基地局にスライスにおける配置状況を送信する。
【０１０６】
加えて、基地局は、登録手順においてAMFによって返されたネットワークスライス選択補助情報（allowed Network Slice Selection Assistance Information、allowed NSSAI）を使用して、基地局と関連付けられたスライスを決定してもよく、または基地局は、セッションに対応する、セッション確立プロセスでSMFによって返されたS−NSSAIに基づいて、基地局と関連付けられたスライスを決定してもよい。したがって、基地局は、取得したスライスにおける基地局配置状況を参照して、デュアルコネクティビティ方式でパケットを伝送または受信する能力がある別の基地局が、基地局と関連付けられたスライスに配置されているかどうかを判断し得る。
【０１０７】
第1の条件は、基地局（すなわちマスタ基地局）にデュアルコネクティビティ方式でパケットを伝送または受信する能力があること、基地局の近隣の基地局（すなわちセカンダリ基地局）にデュアルコネクティビティ方式でパケットを伝送または受信する能力があること、およびデュアルコネクティビティ方式でパケットを伝送または受信する能力がある別の基地局（例えばセカンダリ基地局）が、マスタ基地局と関連付けられたスライスに配置されていること、のうちの少なくとも1つを含む。
【０１０８】
言い換えると、能力情報は、基地局にデュアルコネクティビティ方式でパケットを伝送または受信する能力があると指示すること、基地局の近隣の基地局（例えばセカンダリ基地局）にデュアルコネクティビティ方式でパケットを伝送または受信する能力があると指示すること、およびデュアルコネクティビティ方式でパケットを伝送または受信する能力がある別の基地局（例えばセカンダリ基地局）が、基地局と関連付けられたスライスに配置されていると指示すること、のうちの少なくとも1つを能力情報が指示するときに、第1の条件を満たす。能力情報が第1の条件を満たすとき、それはUEにデュアルコネクティビティ方式でパケットを伝送または受信する可能性があることを指示することが理解されよう。たとえUEが現在シングルコネクティビティ方式を使用していたとしても、UEは続いてデュアルコネクティビティ方式に切り替わり得る。
【０１０９】
したがって、デュアルコネクティビティ方式が使用されるか、またはデュアルコネクティビティ方式が続いて使用され得る場合、基地局はUEに、上りパケットにサービスフロー識別子を付加するよう指示する。例えば、基地局はUEに、上りパケットにサービスフロー識別子を付加するよう指示するために、UEに、サービスデータ適応プロトコル（Service Data Adaptation Protocol、SDAP）を使用可能にするよう指示し得る。サービスフロー識別子は、SDAPヘッダ（header）に含まれ得る。UEがSDAPを使用可能にすることは、UEが上りパケットにSDAPヘッダを付加することを意味する。
【０１１０】
サービスフロー識別子は、セッション識別子、QFI、および5タプルのうちの少なくとも1つを含み得る。
【０１１１】
したがって、デュアルコネクティビティ方式が続いて使用され得る場合、たとえ現在シングルコネクティビティが使用されていても、基地局はやはりUEに、サービスフロー識別子を付加するよう指示する。このように、UEでは、同じプロトコルスタックフォーマットが、シングルコネクティビティ方式とデュアルコネクティビティ方式とに使用される。UEが続いてデュアルコネクティビティ方式に切り替わった後、UEは、プロトコルスタックフォーマットに基づいて処理を直接行って、複雑な動作およびシグナリング交換を回避し、レイテンシを低減させることができ、それによってユーザ体験が改善される。
【０１１２】
しかしながら、デュアルコネクティビティ方式では、UEが上りパケットを複製する必要があるので、マスタ基地局はUEに、通し番号を付加するよう指示する。UEは上りパケットを様々な方法で処理し得ること、および複数の処理された上りパケットが同じ通し番号を有することが理解されよう。例えば、UEは、まず第1の上りパケットに通し番号を付加し、次いで通し番号が付加された第1の上りパケットを複製して、同じ通し番号を有する第2の上りパケットを取得し得るか、またはUEは、まず第1の上りパケットを複製して第2の上りパケットを取得し、次いで第1の上りパケットと第2の上りパケットとに同じ通し番号を付加し得る。これについては本出願では限定されない。
【０１１３】
任意選択で、基地局はUEに、同じ通し番号および同じサービスフロー識別子を有する受信した下りパケットの重複を排除するようさらに指示する。
【０１１４】
任意選択で、別の実施形態では、基地局（すなわちマスタ基地局）は、ステップ305の前に、取得した能力情報が第1の条件を満たすかどうかを判断し得る。能力情報が第1の条件を満たす場合、UEは、ステップ305によって、上りパケットにサービスフロー識別子を付加するよう指示され得る。マスタ基地局が、ステップ306で、セカンダリ基地局が追加される必要があると判断した場合、マスタ基地局は、ステップ308によって、UEに、上りパケットに通し番号を付加するよう指示し得る。能力情報が第1の条件を満たすかどうかをどのように判断するか、セカンダリ基地局が追加される必要があるかどうかをどのように判断するか、UEに、上りパケットにサービスフロー識別子を付加するようどのように指示するか、およびUEに、上りパケットの通し番号を付加するようどのように指示するかについては、前述の説明を参照されたい。ここでは詳細を繰り返さない。
【０１１５】
任意選択で、基地局はUEに、同じ通し番号および同じサービスフロー識別子を有する受信した下りパケットの重複を排除するようさらに指示する。
【０１１６】
任意選択で、さらに別の実施形態では、ステップ303およびステップ304で伝送されるN2 SM情報は指示情報をさらに含み、指示情報は基地局（すなわちマスタ基地局）に、UEに、第1のセッションの上りパケットまたは第1のセッションの第1のサービスフローの上りパケットにサービスフロー識別子を付加するよう指示するよう指示する。すなわち、SMFは、UEが上りパケットにサービスフロー識別子を付加する必要があるかどうかを判断し得る。例えば、SMFが、UEによってSMFに送信されたN2 SM情報内のQFIに基づいて、セッションが高信頼性を必要とすると判断し、かつ／またはN2 SM情報内のスライス識別情報に基づいて、セッションが超高信頼低遅延通信のスライスと関連付けられていると判断し、かつ／またはN2 SM情報内のDNNに基づいて、セッションが超高信頼低遅延通信のデータネットワークと関連付けられていると判断し、かつ／またはUEの加入データに基づいて、UEが超高信頼低遅延通信のUEであると判断した場合、SMFは、UEは上りパケットにサービスフロー識別子を付加する必要があると判断し、したがって、基地局に指示情報を送信し、基地局が指示情報を受信した後、基地局はUEに、上りパケットにサービスフロー識別子を付加するよう指示する。このように、基地局が判断を行わない場合もあり、それによって基地局側の動作が簡略化される。
【０１１７】
任意選択で、基地局はUEに、同じ通し番号および同じサービスフロー識別子を有する受信した下りパケットの重複を排除するようさらに指示する。
【０１１８】
ステップ311：マスタ基地局がAMFに第1のアクセスネットワークトンネル情報および第2のアクセスネットワークトンネル情報を送信する。
【０１１９】
例えば、マスタ基地局はAMFにN2セッション応答を返す。N2セッション応答は、PDUセッション識別子およびN2 SM情報を含む。N2 SM情報は、第1のアクセスネットワークトンネル情報および第2のアクセスネットワークトンネル情報を含む。任意選択で、第1のサービスがセッション粒度である場合、N2 SM情報は、第1のサービスに対応するセッション識別子をさらに含み得るか、または第1のサービスがサービスフロー粒度である場合、N2 SM情報は、第1のサービスに対応するセッション識別子およびQFIをさらに含み得る。
【０１２０】
ステップ312：AMFがSMFにコンテキスト更新要求を送信する。
【０１２１】
例えば、AMFは、SMFのSMコンテキスト更新サービス（Nsmf＿PDUSession＿UpdateSMContext）を呼び出すために、Nsmf＿PDUSession＿UpdateSMContext要求を送信する。AMFは、この要求を使用してSMFに、ステップ311で受信したN2 SM情報を転送する。
【０１２２】
ステップ313：SMFがUPFに下り転送規則を送信する。
【０１２３】
例えば、SMFはUPFにN4セッション変更要求を送信し、セッション変更要求は下り転送規則を含む。UPFはN4セッション変更応答を返す。
【０１２４】
別の実施態様では、ステップ303のコアネットワークトンネル情報は第1のコアネットワークトンネル情報のみを含み得るが、ステップ311では第1のアクセスネットワークトンネル情報および第2のアクセスネットワークトンネル情報が含まれることに留意されたい。第1のアクセスネットワークトンネル情報および第2のアクセスネットワークトンネル情報を受信した後、SMFは、第2のコアネットワークトンネル情報を割り振り、ステップ313で第2のコアネットワークトンネル情報をUPFに送信し、第2のコアネットワークトンネル情報を、AMFを介してマスタ基地局に送信するか、またはSMFから第1のアクセスネットワークトンネル情報および第2のアクセスネットワークトンネル情報を受信した後、UPFは、第2のコアネットワークトンネル情報を割り振り、第2のコアネットワークトンネル情報を、N4セッション変更応答を使用してSMFに返す。SMFは、第2のコアネットワークトンネル情報を、AMFを介してマスタ基地局に送信する。マスタ基地局は、第2のコアネットワークトンネル情報をセカンダリ基地局に送信する。
【０１２５】
下り転送規則は、第1のアクセスネットワークトンネル情報および第2のアクセスネットワークトンネル情報を含む。下り転送規則はUPFに、第1のサービスの受信した下りパケットを複製し（下りパケットにフロー識別子および通し番号を付加し）、第1のサービスの下りパケットを、第1のアクセスネットワークトンネル情報と第2のアクセスネットワークトンネル情報とに対応する2つの経路を経由して、別々に送信し、具体的には、第1のサービスの1つの下りパケットを、第1のアクセスネットワークトンネル情報に対応する第1の経路を経由してマスタ基地局に送信し、第1のサービスの別の下りパケットを、第2のアクセスネットワークトンネル情報に対応する第2の経路を経由してセカンダリ基地局に送信するよう指示する。下り転送規則はUPFに、同じフロー識別子および同じ通し番号を有する受信した上りパケットの重複を排除するようさらに指示する。
【０１２６】
任意選択で、第1のサービスがセッション粒度である場合、ステップ312でSMFによって受信されるN2 SM情報は、第1のサービスに対応するセッション識別子をさらに含む。したがって、下り転送規則は、第1のサービスに対応するセッション識別子をさらに含む。第1のサービスがサービスフロー粒度である場合、ステップ312でSMFによって受信されるN2 SM情報は、第1のサービスに対応するセッション識別子およびQFIをさらに含む。したがって、下り転送規則は、第1のサービスに対応するセッション識別子およびQFIをさらに含む。
【０１２７】
任意選択で、ステップ312で受信されるN2 SM情報内の第1のサービスに対応するセッション識別子と下り転送規則内の第1のサービスに対応するセッション識別子とは、異なり得るが、互いに関連付けられている。例えば、ステップ312で受信されるN2 SM情報内の第1のサービスに対応するセッション識別子はPDUセッション識別子である。SMFは、PDUセッション識別子をN4セッション識別子に変換し、N4セッション識別子を、下り転送規則内の第1のサービスに対応するセッション識別子として使用し、N4セッション識別子をUPFに送信する。
【０１２８】
加えて、下り転送規則は、第1のサービスに関する情報をさらに含む。
【０１２９】
例えば、第1のサービスに関する情報は、少なくとも、第1のサービスの5タプルを含む。例えば、第1のサービスに関する情報は、そのパケットが第1のサービスのパケットに対応するIPアドレスを指示し得る。言い換えると、第1のサービスに関する情報は、フィルタリングによって第1のサービスのパケットを取得するように構成された、パケットフィルタとして機能する。例えば、SMFは、第1のサービスに関する情報を、ポリシー制御機能（policy control function、PCF）ネットワーク要素から取得するか、または第1のサービスに関する情報をローカルで構成し得る。
【０１３０】
ステップ314：SMFがAMFにコンテキスト更新応答を送信する。
【０１３１】
次いで、第1のサービスの下りパケットを受信した後、UPFは、第1のサービスの下りパケットを、転送規則に従って、第1のアクセスネットワークトンネル情報に対応する第1の経路と第2のアクセスネットワークトンネル情報に対応する第2の経路とを経由して別々にマスタ基地局とセカンダリ基地局とに送信する。第1のサービスの下りパケットが2つの経路を経由して伝送されることは、2つの経路を経由して送信される下りパケットが同じであることも意味する。
【０１３２】
例えば、下りパケットを受信した後、UPFは、下りパケットが第1のサービスのパケットであると判断するために、下りパケットのパケットヘッダ特性を、転送規則内の第1のサービスに関する情報と照合する。
【０１３３】
下りパケットが第1のサービスのパケットであると判断した後、UPFはパケットを複製し得る。1つの可能な実施態様では、UPFは、元のパケットを、UPFとマスタ基地局との間の、第1のアクセスネットワークトンネル情報に対応する第1の経路を経由してUEに送信し、複製されたパケットを、UPFとセカンダリ基地局との間の、第2のアクセスネットワークトンネル情報に対応する第2の経路を経由してUEに送信する。別の可能な実施態様では、UPFは、複製されたパケットを、UPFとマスタ基地局との間の、第1のアクセスネットワークトンネル情報に対応する第1の経路を経由してUEに送信し、元のパケットを、UPFとセカンダリ基地局との間の、第2のアクセスネットワークトンネル情報に対応する第2の経路を経由してUEに送信する。さらに別の可能な実施態様では、UPFは、パケット複製を行って2つのパケットを取得し、複製されたパケットを、それぞれ、UPFとマスタ基地局との間の、第1のアクセスネットワークトンネル情報に対応する第1の経路と、UPFとセカンダリ基地局との間の、第2のアクセスネットワークトンネル情報に対応する第2の経路とを経由してUEに送信する。前述のいくつかの方法では、二重経路を経由して伝送される下りパケットは同じである。
【０１３４】
加えて、上り方向では、ステップ304でN2 SM情報に含まれる第1のコアネットワークトンネル情報および第2のコアネットワークトンネル情報を受信した後、マスタ基地局は、UEが、第1のコアネットワークトンネル情報と第2のコアネットワークトンネル情報とにそれぞれ対応する2つの経路を経由して第1のサービスの上りパケットを続いて伝送し得ることを知る。例えば、マスタ基地局は、第1のコアネットワークトンネル情報に対応する第1の経路に対応し、セカンダリ基地局は、第2のコアネットワークトンネル情報に対応する第2の経路に対応する。したがって、マスタ基地局は、ステップ306のセカンダリ基地局追加要求を使用してセカンダリ基地局に第2のコアネットワークトンネル情報を送信し得る。ステップ308で、セカンダリ基地局によって決定された第2のアクセスネットワークトンネル情報を受信した後、マスタ基地局は、RRC接続再構成プロセスでUEに上り転送規則を送信する。上り転送規則は、第1のアクセスネットワークトンネル情報および第2のアクセスネットワークトンネル情報を含み、上り転送規則はUEに、第1のサービスの受信した上りパケットを複製し、第1のサービスの上りパケットを、第1のアクセスネットワークトンネル情報に対応する経路を経由してマスタ基地局に送信するよう指示し、情報を、第2のアクセスネットワークトンネル情報に対応する経路を経由してセカンダリ基地局に送信する。
【０１３５】
同様に、上り転送規則は、第1のサービスに関する情報をさらに含む。ここでは詳細を繰り返さない。第1のサービスに関する情報に基づいて、上りパケットが第1のサービスのパケットであると判断した後、UEはパケットを複製し得る。1つの可能な実施態様では、UEは、元のパケットを、第1のアクセスネットワークトンネル情報に対応する第1の経路を経由してマスタ基地局に送信し、複製されたパケットを、第2のアクセスネットワークトンネル情報に対応する第2の経路を経由してセカンダリ基地局に送信する。別の可能な実施態様では、UEは、複製されたパケットを、第1のアクセスネットワークトンネル情報に対応する第1の経路を経由してマスタ基地局に送信し、元のパケットを、第2のアクセスネットワークトンネル情報に対応する第2の経路を経由してセカンダリ基地局に送信する。さらに別の可能な実施態様では、UEは、パケット複製を行って2つのパケットを取得し、複製されたパケットの一方を、第1のアクセスネットワークトンネル情報に対応する第1の経路を経由してマスタ基地局に送信し、複製されたパケットの他方を、第2のアクセスネットワークトンネル情報に対応する第2の経路を経由してセカンダリ基地局に送信する。前述のいくつかの方法では、二重経路を経由して伝送される上りパケットは同じである。上りパケットを受信した後、マスタ基地局は上りパケットを、第1のコアネットワークトンネル情報に基づいてUPFに送信する。上りパケットを受信した後、セカンダリ基地局は上りパケットを、第2のコアネットワークトンネル情報に基づいてUPFに送信する。
【０１３６】
したがって、本発明の本実施形態におけるパケット伝送方法によれば、第1のサービス（例えばURLLCサービス）の上りパケット／下りパケットは、2つの経路を経由して伝送され得る。同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０１３７】
加えて、本出願のパケット伝送解決策は、図4に示されるように、シングルコネクティビティ（またはシングル基地局とも呼ばれる）シナリオにも適用可能である。このシナリオでは、RAN202’とUPF206との間に少なくとも2つの伝送路がある。
【０１３８】
図5は、本出願の別の実施形態によるパケット伝送方法のシグナリング交換図である。図5は、UEと基地局とAMFとSMFとUPFとの間のインタラクションに関する。例えば、UE、基地局、AMF、SMF、およびUPFはそれぞれ、図4のUE201、RAN202’、AMF204、SMF205、およびUPF206であり得る。
【０１３９】
図5に示されるように、本方法は以下のステップを含む。
【０１４０】
ステップ501：UEが、基地局を介してAMFに、UEのためのPDUセッションを確立するよう要求するために、セッション確立要求を搬送するNASメッセージを送信する。
【０１４１】
ステップ502：セッション確立手順の他のステップが行われる。
【０１４２】
ステップ503：SMFがAMFにN2 SM情報を伝送する。
【０１４３】
ステップ504：AMFが基地局にN2 SM情報を送信する。
【０１４４】
ステップ505：基地局が、基地局とUEとの間のアクセスネットワークリソースの確立を開始する。
【０１４５】
ステップ501からステップ505については、図3Aおよび図3Bのステップ301からステップ305の説明を参照されたい。ここでは詳細を繰り返さない。図5の基地局は、図3Aおよび図3Bでマスタ基地局によって行われる方法のステップを行い得る。
【０１４６】
同様に、基地局がSMFから指示情報を受信するか、または能力情報が第1の条件を満たすと判断すると、基地局は、ステップ505によって、UEに、サービスフロー識別子を付加するよう指示し得る。ここでは図3Aおよび図3Bの説明を参照されたく、ここでは詳細を繰り返さない。
【０１４７】
ステップ506：基地局が第1のアクセスネットワークトンネル情報および第2のアクセスネットワークトンネル情報を決定する。
【０１４８】
基地局は、2つのアクセスネットワークトンネル情報が決定される必要があると決定するために、指示情報に基づいて、第1のサービスの上りパケットを、二重経路を経由して伝送すると決定し得る。第1のサービスはURLLCサービスを含む。例えば、前述のステップ503およびステップ504で伝送されたN2 SM情報に含まれるQoSパラメータ、スライス識別情報、DNN、ならびに第1のコアネットワークトンネル情報および第2のコアネットワークトンネル情報のいずれか1つまたは組み合わせが、指示情報として使用され得る。QoSパラメータは、5QIおよびQFIの少なくとも一方を含む。例えば、基地局が、N2 SM情報内のQoSパラメータに基づいて、セッションが高信頼性を必要とすると判断した場合、またはN2 SM情報内のスライス識別情報に基づいて、セッションが超高信頼低遅延通信のスライスと関連付けられていると判断した場合、または基地局が、N2 SM情報内のDNNに基づいて、セッションが超高信頼低遅延通信のデータネットワークと関連付けられていると判断した場合、またはN2 SM情報内の第1のコアネットワークトンネル情報および第2のコアネットワークトンネル情報に基づいて、上りパケットを、二重経路を経由して伝送すると直接決定した場合、基地局は、2つのアクセスネットワークトンネル情報が決定される必要があると判断する。二重経路を経由した下りパケットの伝送に第1のアクセスネットワークトンネル情報および第2のアクセスネットワークトンネル情報が使用される必要があるので、指示情報が第1のアクセスネットワークトンネル情報および第2のアクセスネットワークトンネル情報の決定をトリガすることがさらに考慮され得る。
【０１４９】
任意選択で、基地局が、第1のサービスの下りパケットを、現在の環境において二重経路を経由して伝送することができないことを知った場合、基地局はAMFに指示情報をフィードバックし、AMFはSMFに指示情報を送信し、指示情報は、第1のサービスの下りパケットを、二重経路を経由して伝送することができないことを指示する。指示情報を受信した後、SMFは、セッション確立手順を拒絶するか、または先行技術のセッション確立手順における後続のステップを行う。
【０１５０】
同様に、第1のアクセスネットワークトンネル情報は、基地局のものである第3のIPアドレスおよび第3のTEIDを含み、基地局とUPFとの間の第1の経路を識別する。第2のアクセスネットワークトンネル情報は、基地局のものである第4のIPアドレスおよび第4のTEIDを含み、基地局とUPFとの間の第2の経路を識別する。第3のTEIDと第4のTEIDとは異なる。第3のIPアドレスと第4のIPアドレスとは、同じであり得るか、または異なり得る。
【０１５１】
第3のIPアドレスと第4のIPアドレスとが異なる場合、第3のIPアドレスと第4のIPアドレスとは、互いに独立した2つの経路を識別する。
【０１５２】
第3のIPアドレスと第4のIPアドレスとが同じである場合、基地局は、第3のTEIDに対応する第3のネットワーク識別情報および第4のTEIDに対応する第4のネットワーク識別情報をさらに割り振る。第3のネットワーク識別情報と第4のネットワーク識別情報とは、互いに独立した2つの経路を識別する。第3／第4のネットワーク識別情報については、第1のネットワーク識別情報の説明を参照されたい。ここでは詳細を繰り返さない。このように、第3のIPアドレスと第4のIPアドレスとが同じである場合、第1のアクセスネットワークトンネル情報および第2のアクセスネットワークトンネル情報を続いて送信するとき、マスタ基地局は、第3のTEIDに対応する第3のネットワーク識別情報および第4のTEIDに対応する第4のネットワーク識別情報をさらに送信する。以下では詳細を繰り返さない。例えば、基地局は、第3のコンテナを使用して第1のアクセスネットワークトンネル情報および第3のネットワーク識別情報を送信し、第4のコンテナを使用して第2のアクセスネットワークトンネル情報および第4のネットワーク識別情報を送信し得る。
【０１５３】
ステップ507：基地局がAMFに第1のアクセスネットワークトンネル情報および第2のアクセスネットワークトンネル情報を送信する。
【０１５４】
例えば、基地局はAMFにN2セッション応答を返す。N2セッション応答は、PDUセッション識別子およびN2 SM情報を含む。N2 SM情報は、第1のアクセスネットワークトンネル情報および第2のアクセスネットワークトンネル情報を含む。
【０１５５】
任意選択で、第1のサービスがセッション粒度である場合、N2 SM情報は第1のサービスに対応するセッション識別子をさらに含み得るか、または第1のサービスがサービスフロー粒度である場合、N2 SM情報は第1のサービスに対応するセッション識別子およびQFIをさらに含み得る。
【０１５６】
ステップ508：AMFがSMFにコンテキスト更新要求を送信する。
【０１５７】
例えば、AMFは、SMFのSMコンテキスト更新サービスNsmf＿PDUSession＿UpdateSMContextを呼び出すために、Nsmf＿PDUSession＿UpdateSMContext要求を送信する。AMFは、この要求を使用してSMFに、ステップ507で受信したN2 SM情報を転送する。
【０１５８】
ステップ509：SMFがUPFに下り転送規則を送信する。
【０１５９】
例えば、SMFはUPFにN4セッション変更要求を送信し、セッション変更要求は下り転送規則を含む。UPFはN4セッション変更応答を返す。
【０１６０】
別の実施態様では、ステップ503のコアネットワークトンネル情報は第1のコアネットワークトンネル情報のみを含み得るが、ステップ506では第1のアクセスネットワークトンネル情報および第2のアクセスネットワークトンネル情報が含まれることに留意されたい。第1のアクセスネットワークトンネル情報および第2のアクセスネットワークトンネル情報を受信した後、SMFは、第2のコアネットワークトンネル情報を割り振り、ステップ509で第2のコアネットワークトンネル情報をUPFに送信し、第2のコアネットワークトンネル情報を、AMFを介して基地局に送信するか、またはSMFから第1のアクセスネットワークトンネル情報および第2のアクセスネットワークトンネル情報を受信した後、UPFは、第2のコアネットワークトンネル情報を割り振り、第2のコアネットワークトンネル情報を、N4セッション変更応答を使用してSMFに返す。SMFは、AMFを介して基地局に第2のコアネットワークトンネル情報を送信する。
【０１６１】
下り転送規則は、第1のアクセスネットワークトンネル情報および第2のアクセスネットワークトンネル情報を含む。下り転送規則はUPFに、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信する、具体的には、第1のサービスの下りパケットの一方を、UPFと基地局との間の、第1のアクセスネットワークトンネル情報に対応する第1の経路を経由して送信し、第1のサービスの下りパケットの他方を、UPFと基地局との間の、第2のアクセスネットワークトンネル情報に対応する第2の経路を経由して送信するよう指示する。
【０１６２】
任意選択で、第1のサービスがセッション粒度である場合、ステップ508でSMFによって受信されるN2 SM情報は、第1のサービスに対応するセッション識別子をさらに含む。したがって、下り転送規則は、第1のサービスに対応するセッション識別子をさらに含む。第1のサービスがサービスフロー粒度である場合、ステップ508でSMFによって受信されるN2 SM情報は、第1のサービスに対応するセッション識別子およびQFIをさらに含む。したがって、下り転送規則は、第1のサービスに対応するセッション識別子およびQFIをさらに含む。
【０１６３】
任意選択で、ステップ508で受信されるN2 SM情報内の第1のサービスに対応するセッション識別子と下り転送規則内の第1のサービスに対応するセッション識別子とは、異なり得るが、互いに関連付けられている。例えば、ステップ508で受信されるN2 SM情報内の第1のサービスに対応するセッション識別子はPDUセッション識別子である。SMFは、PDUセッション識別子をN4セッション識別子に変換し、N4セッション識別子を、下り転送規則内の第1のサービスに対応するセッション識別子として使用し、N4セッション識別子をUPFに送信する。
【０１６４】
加えて、下り転送規則は、第1のサービス（例えばURLLCサービス）に関する情報をさらに含む。図3Aおよび図3Bのステップ313の説明を参照されたい。ここでは詳細を繰り返さない。
【０１６５】
ステップ510：SMFがAMFにコンテキスト更新応答を送信する。
【０１６６】
次いで、第1のサービスの下りパケットを受信した後、UPFは、第1のサービスの下りパケットを、転送規則に従ってUPFと基地局との間の、第1のアクセスネットワークトンネル情報に対応する第1の経路と、UPFと基地局との間の、第2のアクセスネットワークトンネル情報に対応する第2の経路とを経由して別々に送信する。第1のサービスの下りパケットが2つの経路を経由して伝送されることは、2つの経路を経由して送信される下りパケットが同じであることも意味する。
【０１６７】
例えば、下りパケットを受信した後、UPFは、下りパケットが第1のサービスのパケットであると判断するために、下りパケットのパケットヘッダ特性を、転送規則内の第1のサービスに関する情報と照合する。下りパケットが第1のサービスのパケットであると判断した後、UPFはパケットを複製し得る。1つの可能な実施態様では、UPFは、元のパケットを、UPFと基地局との間の、第1のアクセスネットワークトンネル情報に対応する第1の経路を経由してUEに送信し、複製されたパケットを、UPFと基地局との間の、第2のアクセスネットワークトンネル情報に対応する第2の経路を経由してUEに送信する。別の可能な実施態様では、UPFは、複製されたパケットを、UPFと基地局との間の、第1のアクセスネットワークトンネル情報に対応する第1の経路を経由してUEに送信し、元のパケットを、UPFと基地局との間の、第2のアクセスネットワークトンネル情報に対応する第2の経路を経由してUEに送信する。さらに別の可能な実施態様では、UPFは、パケット複製を行って2つのパケットを取得し、複製されたパケットを、UPFと基地局との間の、第1のアクセスネットワークトンネル情報と第2のアクセスネットワークトンネル情報とにそれぞれ対応する第1の経路と第2の経路とを経由してUEに送信する。前述のいくつかの方法では、二重経路を経由して伝送される下りパケットは同じである。
【０１６８】
加えて、上り方向では、ステップ504でN2 SM情報に含まれる第1のコアネットワークトンネル情報および第2のコアネットワークトンネル情報を受信した後、基地局は、UEが、第1のコアネットワークトンネル情報と第2のコアネットワークトンネル情報とにそれぞれ対応する2つの経路を経由して第1のサービスの上りパケットを続いて伝送し得ることを知る。第1のコアネットワークトンネル情報および第2のコアネットワークトンネル情報は、上り転送規則に含まれる情報と見なされ得る。上り転送規則は基地局に、第1のサービスの受信した上りパケットを複製し、第1のサービスの上りパケットを、第1のアクセスネットワークトンネル情報に対応する第1の経路および第2のアクセスネットワークトンネル情報に対応する第2の経路を経由してUPFに送信するよう指示する。
【０１６９】
同様に、上り転送規則は、第1のサービスに関する情報をさらに含む。ここでは詳細を繰り返さない。第1のサービスに関する情報に基づいて、上りパケットが第1のサービスのパケットであると判断した後、基地局はパケットを複製し得る。1つの可能な実施態様では、基地局は、元のパケットを、第1のアクセスネットワークトンネル情報に対応する第1の経路を経由してUPFに送信し、複製されたパケットを、第2のアクセスネットワークトンネル情報に対応する第2の経路を経由してUPFに送信する。別の可能な実施態様では、基地局は、複製されたパケットを、第1のアクセスネットワークトンネル情報に対応する第1の経路を経由してUPFに送信し、元のパケットを、第2のアクセスネットワークトンネル情報に対応する第2の経路を経由してUPFに送信する。さらに別の可能な実施態様では、基地局は、パケット複製を行って2つのパケットを取得し、複製されたパケットの一方を、第1のアクセスネットワークトンネル情報に対応する第1の経路を経由してUPFに送信し、複製されたパケットの他方を、第2のアクセスネットワークトンネル情報に対応する第2の経路を経由してUPFに送信する。前述のいくつかの方法では、二重経路を経由して伝送される上りパケットは同じである。
【０１７０】
したがって、本発明の本実施形態におけるパケット伝送方法によれば、第1のサービス（例えばURLLCサービス）の上りパケット／下りパケットは、2つの経路を経由して伝送され得る。同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０１７１】
図11Aおよび図11Bは、本出願の別の実施形態によるパケット伝送方法のシグナリング交換図である。図11Aおよび図11Bは、デュアルコネクティビティ（デュアル基地局）シナリオに適用可能である。このシナリオでは、高信頼パケット伝送が、マスタ基地局とUPFとの間とセカンダリ基地局とUPFとの間の2つの経路を経由して実施される。図11Aおよび図11Bに示されるように、本方法は、上り方向のステップ1101からステップ1103および／または下り方向のステップ1111からステップ1113を含む。以下は一例である。
【０１７２】
ステップ1101：デュアルコネクティビティの上り方向のために、UEが第1の上りパケットおよび第2の上りパケットを生成する。
【０１７３】
第1の上りパケットと第2の上りパケットとは同じ通し番号および同じサービスフロー識別子を有する。例えば、UEは、ステップ305またはステップ308でマスタ基地局から受信した指示に従って第1の上りパケットおよび第2の上りパケットを生成する。
【０１７４】
例えば、UEは、まず上りパケットを複製し、次いで同じ通し番号および同じサービスフロー識別子を付加し得るか、またはUEは、まず上りパケットに通し番号およびサービスフロー識別子を付加し、次いで上りパケットを複製し得る。どちらの方法かを問わず、UEによって生成される第1の上りパケットと第2の上りパケットとは同じ通し番号および同じサービスフロー識別子を有する。
【０１７５】
次いで、UEは、第1の上りパケットをマスタ基地局に送信し、第2の上りパケットをセカンダリ基地局に送信する。
【０１７６】
ステップ1102：第1の上りパケットを受信した後、マスタ基地局が、第1の上りパケットがデュアル基地局に対応すると判断し、第1の上りパケットを処理する。同様に、第2の上りパケットを受信した後、セカンダリ基地局が、第2の上りパケットがデュアル基地局に対応すると判断し、第2の上りパケットを処理する。
【０１７７】
例えば、マスタ基地局はステップS306でセカンダリ基地局を追加すると決定するので、第1の上りパケットを受信した後、マスタ基地局は、第1の上りパケットがデュアル基地局に対応することを知り、第1の上りパケットに対して従来の処理をさらに行い得る。第2の上りパケットを受信した後、デュアルコネクティビティにおける第2の基地局としてのセカンダリ基地局は、第2の上りパケットがデュアル基地局に対応することを知り、第2の上りパケットに対して従来の処理をさらに行い得る。
【０１７８】
この場合の従来の処理は、物理層、レイヤ2などにおけるカプセル化解除、GTP−U（General Packet Radio Service（GPRS）tunneling protocol user、GPRSトンネリングプロトコルユーザ）層、UDP（User Datagram Protocol、ユーザデータグラムプロトコル）／IP（Internet Protocol、インターネットプロトコル）層などにおけるカプセル化、およびQoS管理を含むがこれに限定されない。
【０１７９】
次いで、マスタ基地局は、処理された第1の上りパケットを、デュアルトンネルの第1のトンネルを経由してUPFに送信する。セカンダリ基地局は、処理された第2の上りパケットを、デュアルトンネルの第2のトンネルを経由してUPFに送信する。
【０１８０】
ステップ1103：第1の上りパケットおよび第2の上りパケットを受信した後、UPFが、転送規則に従い、第1の上りパケット内と第2の上りパケット内とのサービスフロー識別子および通し番号に基づいて、第1の上りパケットと第2の上りパケットの重複を排除する。
【０１８１】
例えば、UPFは、転送規則に従って、同じサービスフロー識別子および同じ通し番号を有する第1の上りパケットと第2の上りパケットの重複を排除する。
【０１８２】
重複した通し番号の異なるサービスフローがない場合、例えば、UEがパケットシーケンス内のパケットに通し番号を順次に付加する場合、UPFは、転送規則に従って、同じ通し番号を有する第1の上りパケットと第2の上りパケットの重複をさらに排除し得ることに留意されたい。
【０１８３】
ステップ1111：デュアルコネクティビティの下り方向のために、UPFが転送規則に従って第1の下りパケットおよび第2の下りパケットを生成する。
【０１８４】
例えば、UPFは、転送規則に従って下りパケットに通し番号およびサービスフロー識別子を付加する。言い換えると、UPFによって生成される第1の下りパケットと第2の下りパケットとは、同じ通し番号および同じサービスフロー識別子を有する。
【０１８５】
例えば、UPFは、まず下りパケットを複製し、次いで下りパケットに同じ通し番号および同じサービスフロー識別子を付加し得るか、またはUPFは、まず下りパケットに通し番号およびサービスフロー識別子を付加し、次いで下りパケットを複製し得る。
【０１８６】
次いで、UPFは、第1の下りパケットをマスタ基地局に送信し、第2の下りパケットをセカンダリ基地局に送信する。
【０１８７】
ステップ1112：第1の下りパケットを受信した後、マスタ基地局が、第1の下りパケットがデュアル基地局に対応すると判断し、第1の下りパケットを処理する。同様に、第2の下りパケットを受信した後、セカンダリ基地局が、第2の下りパケットがデュアル基地局に対応すると判断し、第2の下りパケットを処理する。
【０１８８】
マスタ基地局が、第1の下りパケットがデュアル基地局に対応するとどのように判断し、セカンダリ基地局が、第2の下りパケットがデュアル基地局に対応するとどのように判断するかについては、繰り返し詳述しない。
【０１８９】
ステップ1112の処理は、UDP／IP層、GTP−U層などにおけるカプセル化解除、レイヤ2、物理層などにおけるカプセル化、およびQoS管理を含むがこれに限定されない。
【０１９０】
次いで、マスタ基地局は処理された第1の下りパケットをUEに送信する。セカンダリ基地局は処理された第2の下りパケットをUEに送信する。第1の下りパケットと第2の下りパケットとは同じ第2のサービスフロー識別子および同じ第2の通し番号を含む。
【０１９１】
ステップ1113：マスタ基地局とセカンダリ基地局とからそれぞれ第1の下りパケットと第2の下りパケットとを受信した後、UEが、マスタ基地局からの指示に従い、第1の下りパケット内と第2の下りパケット内とのサービスフロー識別子および通し番号に基づいて、第1の下りパケットと第2の下りパケットの重複を排除する。例えば、UEは、ステップ305またはステップ308でマスタ基地局から受信した指示に従って、同じサービスフロー識別子および同じ通し番号を有する第1の下りパケットと第2の下りパケットの重複を排除する。
【０１９２】
重複した通し番号の異なるサービスフローがない場合、例えば、UPFがパケットシーケンス内のパケットに通し番号を順次に付加する場合、UEは、マスタ基地局から受信した指示に従って、同じ通し番号を有する第1の下りパケットと第2の下りパケットの重複をさらに排除し得ることに留意されたい。
【０１９３】
次いで、UEは、物理層、レイヤ2などにおけるカプセル化解除を行い、カプセル化解除されたパケットを上位層に伝送する。
【０１９４】
図12Aおよび図12Bは、本出願の別の実施形態によるパケット伝送方法のシグナリング交換図である。図12Aおよび図12Bは、シングルコネクティビティ（シングル基地局）シナリオに適用可能である。このシナリオでは、高信頼パケット伝送が、シングル基地局とUPFとの間の2つの経路を経由して実施される。図12Aおよび図12Bに示されるように、本方法は、上り方向のステップ1201からステップ1203および／または下り方向のステップ1211からステップ1213を含む。以下は一例である。
【０１９５】
ステップ1201：シングルコネクティビティの上り方向のために、UEが上りパケットにサービスフロー識別子を付加する。
【０１９６】
次いで、UEは、上りパケットを基地局に送信する。
【０１９７】
ステップ1202：上りパケットを受信した後、基地局が、上りパケットがシングル基地局に対応すると判断し、第1の上りパケットおよび第2の上りパケットを生成し、第1の上りパケットおよび第2の上りパケットを処理する。
【０１９８】
例えば、基地局が、前述のステップ手順で、セカンダリ基地局を追加しないと決定した場合、基地局は、上りパケットを受信した後、上りパケットがシングル基地局に対応することを知り、第1の上りパケットおよび第2の上りパケットをさらに生成し、第1の上りパケットおよび第2の上りパケットを処理し得る。
【０１９９】
例えば、基地局は、まず上りパケットを複製し、次いで上りパケットに同じ通し番号および同じサービスフロー識別子を付加し得るか、または基地局は、まず上りパケットに通し番号およびサービスフロー識別子を付加し、次いで上りパケットを複製し得る。どちらの方法かを問わず、基地局によって生成される第1の上りパケットと第2の上りパケットとは同じ通し番号および同じサービスフロー識別子を有する。
【０２００】
ここでの処理は、物理層、レイヤ2などにおけるカプセル化解除、GTP−U層、UDP／IP層などにおけるカプセル化、およびQoS管理を含むがこれに限定されない。
【０２０１】
次いで、基地局は、処理された第1の上りパケットを、デュアルトンネルの第1のトンネルを経由してUPFに送信し、処理された第2の上りパケットを、デュアルトンネルの第2のトンネルを経由してUPFに送信する。
【０２０２】
ステップ1203：第1の上りパケットおよび第2の上りパケットを受信した後、UPFが、転送規則に従い、第1の上りパケット内と第2の上りパケット内とのサービスフロー識別子および通し番号に基づいて、第1の上りパケットと第2の上りパケットの重複を排除する。
【０２０３】
例えば、UPFは、転送規則に従って、同じサービスフロー識別子および同じ通し番号を有する第1の上りパケットと第2の上りパケットの重複を排除する。
【０２０４】
重複した通し番号の異なるサービスフローがない場合、例えば、基地局がパケットシーケンス内のパケットに通し番号を順次に付加する場合、UPFは、転送規則に従って、同じ通し番号を有する第1の上りパケットと第2の上りパケットの重複をさらに排除し得ることに留意されたい。
【０２０５】
ステップ1211：シングルコネクティビティの下り方向のために、UPFが転送規則に従って第1の下りパケットおよび第2の下りパケットを生成する。
【０２０６】
ステップ1211については、ステップ1111の説明を参照されたい。ここでは詳細を繰り返さない。
【０２０７】
次いで、UPFは、第1の下りパケットと第2の下りパケットとを、それぞれ第1のトンネルと第2のトンネルとを経由して基地局に送信する。
【０２０８】
ステップ1212：第1の下りパケットおよび第2の下りパケットを受信した後、基地局が、第1の下りパケットおよび第2の下りパケットがシングル基地局に対応すると判断し、基地局の指示に従い、第1の下りパケット内と第2の下りパケット内とのサービスフロー識別子および通し番号に基づいて、第1の下りパケットと第2の下りパケットの重複を排除し、重複排除された下りパケットを処理する。
【０２０９】
基地局が、第1の下りパケットおよび第2の下りパケットがシングル基地局に対応するとどのように判断するかについては、繰り返し詳述しない。
【０２１０】
例えば、基地局は、第1の下りパケット内と第2の下りパケット内とのサービスフロー識別子および通し番号に基づいて第1の下りパケットと第2の下りパケットの重複を排除する。例えば、基地局は、同じサービスフロー識別子および同じ通し番号を有する第1の下りパケットと第2の下りパケットの重複を排除する。
【０２１１】
重複した通し番号の異なるサービスフローがない場合、例えば、UPFがパケットシーケンス内のパケットに通し番号を順次に付加する場合、基地局は、同じ通し番号を有する第1の下りパケットと第2の下りパケットの重複を排除することに留意されたい。
【０２１２】
後続の処理は、UDP／IP層、GTP−U層などにおけるカプセル化解除、レイヤ2、物理層などにおけるカプセル化、およびQoS管理を含むがこれに限定されない。
【０２１３】
次いで、基地局は処理された下りパケットをUEに送信する。
【０２１４】
ステップ1213：基地局から下りパケットを受信した後、UEが、物理層、レイヤ2などにおいてカプセル化解除を行い、カプセル化解除されたパケットを上位層に伝送する。
【０２１５】
図15Aおよび図15Bは、本出願の一実施形態による別のパケット伝送方法のシグナリング交換図である。図15Aおよび図15Bは、UEとマスタ基地局とセカンダリ基地局とAMFとSMFとUPFとの間のインタラクションに関する。例えば、UE、マスタ基地局、セカンダリ基地局、AMF、SMF、およびUPFはそれぞれ、図2のUE201、M−RAN202、S−RAN203、AMF204、SMF205、およびUPF206であり得る。図15Aおよび図15Bを、図3Aおよび図3Bを参照して説明する。
【０２１６】
例えば、図15Aおよび図15Bは、二重経路パケット伝送が実施され、パケット伝送の信頼性が改善されるように、上り方向で、UEのPDCP層が拡張され、拡張されたPDCP層でパケットを複製することができ、下り方向で、UPFがGTP−U層でパケットを複製することができる場合に適用可能である。
【０２１７】
図15Aおよび図15Bに示されるように、本方法は以下のステップを含む。
【０２１８】
ステップ1501：UEが、マスタ基地局を介してAMFに、UEのためのPDUセッションを確立するよう要求するために、セッション確立要求を搬送するNASメッセージを送信する。
【０２１９】
ステップ1502：セッション確立手順の他のステップが行われる。
【０２２０】
例えば、前述の他のステップは少なくとも、AMFがSMFを選択し、SMFがUPFを選択することを含む。ここでは詳細を述べない。
【０２２１】
ステップ1503：SMFがAMFにN2 SM情報を伝送する。
【０２２２】
ステップ1504：AMFがマスタ基地局にN2 SM情報を送信する。
【０２２３】
ステップ1501からステップ1504については、図3Aおよび図3Bのステップ301からステップ304の説明を参照されたい。ここでは詳細を繰り返さない。
【０２２４】
ステップ1505：マスタ基地局が、マスタ基地局とUEとの間のアクセスネットワークリソースの確立を開始する。
【０２２５】
言い換えると、マスタ基地局は、マスタ基地局とUEとの間に第1の無線ベアラの確立を開始する。例えば、第1の無線ベアラは第1のデータ無線ベアラ（data radio bearer、DRB）であり、以下ではこれを短くDRB1と呼ぶ。このステップでは、マスタ基地局はUEにDRB1の識別情報を送信する。マスタ基地局とUEとの間のDRB1はこのステップによって確立される。
【０２２６】
ステップ1506：マスタ基地局が、セカンダリ基地局を追加すると決定し、セカンダリ基地局にセカンダリ基地局追加要求を送信する。
【０２２７】
マスタ基地局は、セカンダリ基地局が追加される必要があると決定するために、指示情報に基づいて、第1のサービスの上りパケットを、二重経路を経由して伝送すると決定し得る。第1のサービスはURLLCサービスを含む。例えば、QoSパラメータ、スライス識別情報、DNN、ならびにN2 SM情報に含まれる第1のコアネットワークトンネル情報および第2のコアネットワークトンネル情報のいずれか1つまたは組み合わせが、指示情報として使用され得る。QoSパラメータは、5QIおよびQFIの少なくとも一方を含む。例えば、マスタ基地局が、N2 SM情報内のQoSパラメータに基づいて、セッションが高信頼性を必要とすると判断した場合、マスタ基地局はセカンダリ基地局を追加すると決定するか、またはマスタ基地局が、N2 SM情報内のスライス識別情報に基づいて、セッションが超高信頼低遅延通信のスライスと関連付けられていると判断した場合、マスタ基地局はセカンダリ基地局を追加すると決定するか、またはマスタ基地局が、N2 SM情報内のDNNに基づいて、セッションが超高信頼低遅延通信のデータネットワークと関連付けられていると判断した場合、マスタ基地局はセカンダリ基地局を追加すると決定するか、またはマスタ基地局が、N2 SM情報内の第1のコアネットワークトンネル情報および第2のコアネットワークトンネル情報に基づいて、上りパケットを二重経路を経由して伝送すると直接決定した場合、マスタ基地局はセカンダリ基地局を追加すると決定する。二重経路を経由した下りパケットの伝送に第1のアクセスネットワークトンネル情報および第2のアクセスネットワークトンネル情報が使用される必要があるので、指示情報が第1のアクセスネットワークトンネル情報および第2のアクセスネットワークトンネル情報の決定をトリガすることがさらに考慮され得る。第1のアクセスネットワークトンネル情報はマスタ基地局によって決定され、第2のアクセスネットワークトンネル情報はセカンダリ基地局によって決定され、マスタ基地局に送信され得る。
【０２２８】
第1のアクセスネットワークトンネル情報および第2のアクセスネットワークトンネル情報の詳細については、図3Aおよび図3Bの説明を参照されたい。ここでは詳細を繰り返さない。
【０２２９】
ステップ1507：セカンダリ基地局がマスタ基地局にセカンダリ基地局追加要求確認応答を返す。
【０２３０】
例えば、セカンダリ基地局追加要求確認応答は、セカンダリ基地局によって決定された第2のアクセスネットワークトンネル情報を含む。
【０２３１】
任意選択で、第1のサービスがセッション粒度である場合、ステップ1506で送信されるセカンダリ基地局追加要求は第1のサービスのセッション識別子を含む。したがって、セカンダリ基地局によって決定される第2のアクセスネットワークトンネル情報もセッション粒度であり、セッション識別子に対応する。第1のサービスがサービスフロー粒度である場合、ステップ1506で送信されるセカンダリ基地局追加要求は第1のサービスのサービスフローのサービスフロー識別子（例えばQFI）を含む。したがって、セカンダリ基地局によって決定される第2のアクセスネットワークトンネル情報もサービスフロー粒度であり、サービスフロー識別子に対応する。プロトコルスタックの観点から見ると、マスタ基地局はサービスフローのPDCPエンティティを生成する。したがって、サービスフローはPDCPエンティティと関連付けられる。マスタ基地局がセカンダリ基地局を追加すると決定した場合、セカンダリ基地局もサービスフローのためのPDCPエンティティを生成する。
【０２３２】
ステップ1508：マスタ基地局がUEへのRRC接続再構成を開始する。
【０２３３】
言い換えると、マスタ基地局は、セカンダリ基地局とUEとの間の第2の無線ベアラの確立を開始する。例えば、第2の無線ベアラはDRB2である。このステップでは、マスタ基地局はUEにDRB2の識別情報を送信する。セカンダリ基地局とUEとの間のDRB2はこのステップによって確立される。
【０２３４】
ステップ1508で、マスタ基地局はUEに指示情報を送信し、指示情報はUEに、第1の無線ベアラおよび第2の無線ベアラをUE上の同じPDCPエンティティと関連付けるよう指示する。すなわち、第1の無線ベアラと第2の無線ベアラとが互いに関連付けられる。言い換えると、マスタ基地局は、RRCメッセージを使用してUEに指示情報を送信する。具体的には、指示情報は新しい情報要素であり得るか、またはDRB1の識別子であり得るか、または別の情報要素であり得る。これについては本出願では限定されない。
【０２３５】
指示情報はUEに、第1の無線ベアラおよび第2の無線ベアラをUE上の同じPDCPエンティティと関連付けるよう指示する。指示情報を受信した後、UEは、PDCP層で上りパケットを複製して（具体的には、PDCP層で同じ通し番号を付加して）、第1の上りパケットおよび第2の上りパケットを取得し、次いで、第1の上りパケットと第2の上りパケットとを、それぞれPDCPエンティティと関連付けられた2つの異なる無線ベアラ（例えばDRB1およびDRB2）上で送信することも理解されよう。
【０２３６】
ステップ1509：マスタ基地局が、セカンダリ基地局に、UEがRRC接続再構成を正常に完了したことを通知するために、セカンダリ基地局にセカンダリ基地局再構成完了をフィードバックする。
任意選択で、セカンダリ基地局がRRC機能を有する場合、前述のステップ1507からステップ1509は以下のステップで置き換えられてもよい。
【０２３７】
1507’：セカンダリ基地局がUEへのRRC接続確立プロセスを開始する。
【０２３８】
言い換えると、セカンダリ基地局は、セカンダリ基地局とUEとの間の第2の無線ベアラの確立を開始する。例えば、第2の無線ベアラはDRB2である。セカンダリ基地局とUEとの間のDRB2はこのステップによって確立される。
【０２３９】
ステップ1507’で、セカンダリ基地局はUEに指示情報を送信し、指示情報はUEに、第1の無線ベアラおよび第2の無線ベアラをUE上の同じPDCPエンティティと関連付けるよう指示する。すなわち、第1の無線ベアラと第2の無線ベアラとが互いに関連付けられる。言い換えると、セカンダリ基地局は、RRCメッセージを使用してUEに指示情報を送信する。具体的には、指示情報は新しく追加された情報要素であり得るか、またはDRB1の識別子であり得るか、または別の情報要素であり得る。これについては本出願では限定されない。したがって、UEに第1の無線ベアラおよび第2の無線ベアラをUE上の同じPDCPエンティティと関連付けるよう指示する指示情報は、マスタ基地局によってUEに送信され得るか、またはセカンダリ基地局によってUEに送信され得る。これについては本出願では限定されない。
【０２４０】
1508’：セカンダリ基地局がマスタ基地局にセカンダリ基地局追加要求確認応答を返す。詳細については、ステップ1507の説明を参照されたい。詳細は繰り返さない。
【０２４１】
ステップ1510：ランダムアクセス手順が行われる。
【０２４２】
任意選択で、別の実施形態では、マスタ基地局は、ステップ1505の前に、セカンダリ基地局が追加される必要があるかどうかを判断し得る。マスタ基地局が、セカンダリ基地局が追加される必要があるかどうかをどのように判断するかについては、ステップ1506の説明を参照されたい。ここでは詳細を繰り返さない。マスタ基地局がセカンダリ基地局を追加する（具体的には、パケットをデュアルコネクティビティ方式で伝送する）と決定した場合、マスタ基地局は、ステップ1508またはステップ1507’によってUEに、2つのDRBを1つのPDCPエンティティと関連付けるための指示情報を送信し得る。
【０２４３】
UEは上りパケットを様々な方法で処理し得ること、および複数の処理された上りパケットが同じ通し番号を有することが理解されよう。例えば、UEは、まず第1の上りパケットに通し番号を付加し、次いで通し番号が付加された第1の上りパケットを複製して、同じ通し番号を有する第2の上りパケットを取得し得るか、またはUEは、まず第1の上りパケットを複製して第2の上りパケットを取得し、次いで第1の上りパケットと第2の上りパケットとに同じ通し番号を付加し得る。これについては本出願では限定されない。
【０２４４】
任意選択で、マスタ基地局はUEに、同じ通し番号を有し、同じサービスフロー識別子に対応する受信した下りパケットの重複を排除するようさらに指示する。
【０２４５】
任意選択で、さらに別の実施形態では、前述のステップ1503およびステップ1504で伝送されるN2 SM情報は指示情報をさらに含み、指示情報は基地局（すなわちマスタ基地局）に、UEに、第1の無線ベアラおよび第2の無線ベアラをUE上の同じPDCPエンティティを関連付けるための指示情報を送信するよう指示する。例えば、SMFが、UEによってSMFに送信されたN2 SM情報内のQFIに基づいて、セッションが高信頼性を必要とすると判断し、かつ／またはN2 SM情報内のスライス識別情報に基づいて、セッションが超高信頼低遅延通信のスライスと関連付けられていると判断し、かつ／またはN2 SM情報内のDNNに基づいて、セッションが超高信頼低遅延通信のデータネットワークと関連付けられていると判断し、かつ／またはUEの加入データに基づいて、UEが超高信頼低遅延通信のUEであると判断した場合、SMFは基地局に指示情報を送信し、基地局が指示情報を受信した後、基地局は、UEに、第1の無線ベアラおよび第2の無線ベアラをUE上の同じPDCPエンティティを関連付けるための指示情報を送信する。このように、基地局が判断を行わない場合もあり、それによって基地局側の動作が簡略化される。
【０２４６】
ステップ1511：マスタ基地局がAMFに第1のアクセスネットワークトンネル情報および第2のアクセスネットワークトンネル情報を送信する。
【０２４７】
ステップ1512：AMFがSMFにコンテキスト更新要求を送信する。
【０２４８】
ステップ1513：SMFがUPFに下り転送規則を送信する。
【０２４９】
ステップ1514：SMFがAMFにコンテキスト更新応答を送信する。
【０２５０】
ステップ1511からステップ1514については、図3Aおよび図3Bのステップ311からステップ314の説明を参照されたい。ここでは詳細を繰り返さない。
【０２５１】
次いで、UEは、指示情報に基づいて第1のパケットおよび第2のパケットを生成してもよく、第1のパケットと第2のパケットとは同じ通し番号を有する。UEは、第1のパケットを第1の無線ベアラ上でマスタ基地局に送信し、第2のパケットを第2の無線ベアラ上でセカンダリ基地局に送信する。例えば、UEは、第1のパケットおよび第2のパケットを取得するために、指示情報に基づいてPDCP層でパケットを複製する。加えて、UEは、指示情報に基づいて、第1の無線ベアラおよび第2の無線ベアラからのものであり、同じ通し番号を有する下りパケットの重複を排除し得る。
【０２５２】
したがって、本発明の本実施形態におけるパケット伝送方法によれば、第1のサービス（例えばURLLCサービス）の上りパケットは、2つの経路を経由して伝送され得る。同様に、本出願の本実施形態の方法は、複数の（3つ以上の）経路を経由して第1のサービスの上りパケットを伝送するためにさらに使用され得る。詳細は繰り返さない。したがって、URLLCサービスのパケット伝送の信頼性が改善される。
【０２５３】
図15Aおよび図15Bの説明に関連して、本出願の一実施形態はパケット伝送方法を提供する。図16に示されるように、本方法は以下のステップを含む。
【０２５４】
ステップ1601：第1の基地局が、第1の基地局とユーザ機器との間の第1の無線ベアラの確立を開始する。
【０２５５】
例えば、第1の基地局は、図15Aおよび図15Bのマスタ基地局であり、第1の無線ベアラはDRB1であり得る。ステップ1601については、図15Aおよび図15Bのステップ1505の説明を参照されたい。詳細は繰り返さない。
【０２５６】
ステップ1602：第2の基地局とユーザ機器との間の第2の無線ベアラを確立するプロセスにおいて、第1の基地局または第2の基地局がユーザ機器に指示情報を送信し、指示情報がユーザ機器に、第1の無線ベアラおよび第2の無線ベアラをユーザ機器上の同じPDCPエンティティと関連付けるよう指示する。
【０２５７】
例えば、第1の基地局または第2の基地局は、RRC層メッセージを使用してユーザ機器に指示情報を送信する。
【０２５８】
例えば、第2の基地局は、図15Aおよび図15Bのセカンダリ基地局であり、第2の無線ベアラはDRB2であり得る。ステップ1602については、図15Aおよび図15Bのステップ1508または1507’の説明を参照されたい。詳細は繰り返さない。
【０２５９】
前述の方法によれば、指示情報を受信した後、UEは、PDCP層でパケットを複製して（具体的には、PDCP層で同じ通し番号を付加して）、第1の上りパケットおよび第2の上りパケットを取得し、次いで、第1の上りパケットと第2の上りパケットとを、それぞれPDCPエンティティと関連付けられた2つの異なる無線ベアラ（例えばDRB1およびDRB2）上で送信する。したがって、本発明の本実施形態におけるパケット伝送方法によれば、第1のサービス（例えばURLLCサービス）の上りパケットが、2つの経路を経由して伝送され得る。同様に、本出願の本実施形態の方法は、複数の（3つ以上の）経路を経由して第1のサービスの上りパケットを伝送するためにさらに使用され得る。詳細は繰り返さない。したがって、URLLCサービスのパケット伝送の信頼性が改善される。
【０２６０】
図15Aおよび図15Bの説明に関連して、本出願の一実施形態はパケット伝送方法を提供する。図17に示されるように、本方法は以下のステップを含む。
【０２６１】
ステップ1701：ユーザ機器が、第1の基地局とユーザ機器との間の第1の無線ベアラを確立するために、第1の基地局とやり取りする。
【０２６２】
例えば、第1の基地局は、図15Aおよび図15Bのマスタ基地局であり、第1の無線ベアラはDRB1であり得る。ステップ1701については、図15Aおよび図15Bのステップ1505の説明を参照されたい。詳細は繰り返さない。
【０２６３】
ステップ1702：第2の基地局とユーザ機器との間の第2の無線ベアラを確立するプロセスにおいて、ユーザ機器が、第1の基地局または第2の基地局から指示情報を受信し、指示情報がユーザ機器に、第1の無線ベアラおよび第2の無線ベアラをユーザ機器上の同じPDCPエンティティと関連付けるよう指示する。
【０２６４】
例えば、第2の基地局は、図15Aおよび図15Bのセカンダリ基地局であり、第2の無線ベアラはDRB2であり得る。ステップ1702については、図15Aおよび図15Bのステップ1508または11507’の説明を参照されたい。詳細は繰り返さない。
【０２６５】
すなわち、ユーザ機器は、RRC層メッセージを使用して第1の基地局または第2の基地局から指示情報を受信する。
【０２６６】
ステップ1703：ユーザ機器が、指示情報に基づいて第1のパケットおよび第2のパケットを生成し、第1のパケットと第2のパケットとが同じ通し番号を有する。
【０２６７】
例えば、ユーザ機器は、第1のパケットおよび第2のパケットを取得するために、指示情報に基づいてPDCP層でパケットを複製する。
【０２６８】
ステップ1704：ユーザ機器が、第1のパケットを第1の無線ベアラ上で第1の基地局に送信し、第2のパケットを第2の無線ベアラ上で第2の基地局に送信する。
【０２６９】
前述の方法によれば、指示情報を受信した後、UEは、PDCP層で上りパケットを複製して（具体的には、PDCP層で同じ通し番号を付加して）、第1の上りパケットおよび第2の上りパケットを取得し、第1の上りパケットと第2の上りパケットとを、それぞれPDCPエンティティと関連付けられた2つの異なる無線ベアラ（例えばDRB1およびDRB2）上で送信し、PDCP層で、DRB1およびDRB2からのものである、同じ通し番号を有する下りパケットの重複を排除する。したがって、本発明の本実施形態におけるパケット伝送方法によれば、第1のサービス（例えばURLLCサービス）の上りパケットが、2つの経路を経由して伝送され得る。同様に、本出願の本実施形態の方法は、複数の（3つ以上の）経路を経由して第1のサービスの上りパケットを伝送するためにさらに使用され得る。詳細は繰り返さない。したがって、URLLCサービスのパケット伝送の信頼性が改善される。
【０２７０】
図18Aおよび図18Bは、本出願の一実施形態による別のパケット伝送方法のシグナリング交換図である。図18Aおよび図18Bは、UEとマスタ基地局とセカンダリ基地局とAMFとSMFとUPFとの間のインタラクションに関する。例えば、UE、マスタ基地局、セカンダリ基地局、AMF、SMF、およびUPFはそれぞれ、図2のUE201、M−RAN202、S−RAN203、AMF204、SMF205、およびUPF206であり得る。図18Aおよび図18Bを、図3Aおよび図3Bを参照して説明する。
【０２７１】
例えば、図18Aおよび図18Bは、二重経路パケット伝送が実施され、パケット伝送の信頼性が改善されるように、上り方向で、UEがSDAP層の上の新しいプロトコル層でパケットを複製し、下り方向で、UPFがGTP−U層上の新しいプロトコル層でパケットを複製する場合に適用可能である。例えば、新しいプロトコル層は、高信頼プロトコル（high reliable protocol、HRP）層と呼ばれ得る。
【０２７２】
図18Aおよび図18Bに示されるように、本方法は以下のステップを含む。
【０２７３】
ステップ1801：UEが、マスタ基地局を介してAMFに、UEのためのPDUセッションを確立するよう要求するために、セッション確立要求を搬送するNASメッセージを送信する。
【０２７４】
ステップ1802：セッション確立手順の他のステップが行われる。
【０２７５】
例えば、前述の他のステップは少なくとも、AMFがSMFを選択し、SMFがUPFを選択することを含む。ここでは詳細を述べない。
【０２７６】
ステップ1801およびステップ1802については、図3Aおよび図3Bのステップ301およびステップ302の説明を参照されたい。ここでは詳細を繰り返さない。
【０２７７】
ステップ1803：SMFが、第1のサービスに、2つの第1のサービスフロー識別子、すなわち、第1のサービスフロー識別子および第2のサービスフロー識別子を割り振る。第1のサービスはURLLCサービスを含む。サービスフロー識別子は、セッション識別子、QFI、および5タプルのうちの少なくとも1つを含み得る。例えば、2つのサービスフロー識別子はそれぞれQFI−aとQFI−bとである。
【０２７８】
ステップ1804：SMFがAMFにN2 SM情報およびN1 SMコンテナを伝送する。
【０２７９】
例えば、SMFは、AMFのN1N2メッセージ転送サービスを呼び出すことによってAMFにN2 SM情報を送信する。加えて、SMFは、サービスを呼び出すことによってAMFに、セッション受け入れメッセージを含むN1 SMコンテナをさらに送信し得る。
【０２８０】
ステップ1805：AMFが受信したN2 SM情報および受信したN1 SMコンテナをマスタ基地局に送信する。
【０２８１】
例えば、AMFはマスタ基地局にN2セッション要求を送信し、N2セッション要求はN2 SM情報およびNASメッセージを含む。NASメッセージはPDUセッション識別子およびN1 SMコンテナを含む。マスタ基地局はNASメッセージを、アクセスネットワークリソースを確立するプロセスにおいてUEに送信する。
【０２８２】
N1 SMコンテナは、UEに送信されるべきセッション受け入れメッセージを含む。セッション受け入れメッセージはQoS規則（rule）を含む。例えば、QoS規則は、QoS規則識別子、第1のサービスフロー識別子、第2のサービスフロー識別子、パケットフィルタ（packet filter）、および指示情報を含む。
【０２８３】
N2 SM情報は少なくとも、PDUセッション識別子およびコアネットワークトンネル情報（CN tunnel info）を含む。コアネットワークトンネル情報は、第1のコアネットワークトンネル情報および第2のコアネットワークトンネル情報を含む。詳細については、図3Aおよび図3Bの説明を参照されたい。ここでは詳細を繰り返さない。N2 SM情報は、QoSパラメータ、QFI−a、QFI−b、スライス識別情報（例えばS−NSSAI）、session−AMBR、およびPDUセッションタイプをさらに含み得る。任意選択で、N2 SM情報はDNNをさらに含み得る。
【０２８４】
UEは、N1 SMコンテナを使用して指示情報を受信し得る。上り方向では、UEは、指示情報に基づいて第1の上りパケットおよび第2の上りパケットを生成し、第1の上りパケットを第1の無線ベアラ上で送信し、第2の上りパケットを第2の無線ベアラ上で送信し得る。加えて、第1の上りパケットと第2の上りパケットとは同じ第1の通し番号を有する。第1の無線ベアラはQFI−aに対応し、第2の無線ベアラはQFI−bに対応する。UEが第1の上りパケットを第1の無線ベアラ上で送信することは、UEが第1の上りパケットをQFI−aに対応する無線ベアラ上で送信することとしても説明され得る。UEが第2の上りパケットを第2の無線ベアラ上で送信することは、UEが第2の上りパケットをQFI−bに対応する無線ベアラ上で送信することとしても説明され得る。例えば、指示情報はUEに、第1の上りパケットおよび第2の上りパケットを取得するために上りパケットを複製し、第1の上りパケットと第2の上りパケットとを異なる無線ベアラ上で送信するよう指示する。加えて、下り方向では、UEは、指示情報に基づいて、第1の無線ベアラおよび第2の無線ベアラからのものであり、同じ通し番号を有する下りパケットの重複を排除し得る。これは代替として次のように説明されてもよい。UEはQFI−aに対応する無線ベアラからの下りパケットおよびQFI−bに対応する無線ベアラからの下りパケットに対して、それらの下りパケットが同じ通し番号を有する場合、下りパケットの重複を排除する、という動作を行う。
【０２８５】
例えば、UEは、パケットフィルタを使用して、QFI−aおよびQFI−bに対応するパケットを決定し、それらのパケットを指示情報に基づいてHRP層で複製する。複製された上りパケットは同じ通し番号を有し、QFI−aとQFI−bとにそれぞれ対応するので、QFI−aに対応する第1の上りパケットおよびQFI−bに対応する第2の上りパケットが取得される。次いで、第1の上りパケットおよび第2の上りパケットはSDAP層に伝送される。UEは、QFIとPDCPエンティティとの間の対応関係に基づいてSDAP層で、第1の上りパケットをPDCPエンティティ1に送信し、第2の上りパケットをPDCPエンティティ2に送信し、PDCPエンティティ1はQFI−aに対応し、PDCPエンティティ2はQFI−bに対応する。同様に、第1の上りパケットおよび第2の上りパケットがRLC層や物理層などの別のプロトコル層で処理された後、UEは、第1の上りパケットをDRB1上でM−RANに送信し、第2の上りパケットをDRB2上でS−RANに送信する。DRB1はPDCPエンティティ1に対応し、DRB2なPDCPエンティティ2に対応する。2つの上りパケットをDRB1上とDRB2上とでそれぞれ受信した後、マスタ基地局およびセカンダリ基地局は、DRBとQFIとの間の対応関係に基づいて、または上りパケットのヘッダで搬送されたQFIに基づいて、上りパケットにQFIを付加する。具体的には、マスタ基地局は第1の上りパケットにQFI−aを付加し、セカンダリ基地局は第2の上りパケットにQFI−bを付加し、マスタ基地局およびセカンダリ基地局は上りパケットをUPFに送信する。したがって、UPFは、第1の上りパケットおよび第2の上りパケットを受信し、第1の上りパケットと第2の上りパケットとはQFI−aとQFI−bとをそれぞれ有し、同じ通し番号を有する。
【０２８６】
UEがパケットフィルタを使用して、QFI−aおよびQFI−bに対応するパケットを決定する別の実施態様は、UEが、パケットフィルタを使用して、パケットに対応するQFI（QFI−aまたはQFI−bであり得る）を決定することである、ことに留意されたい。QFI−aとQFI−bとが、SMFによって同じサービスに割り振られた2つのサービスフロー識別子であるため、QFI−aとQFI−bとは関連付けられていることが理解され得るので、UEは、指示情報に基づいて上りパケットを複製し、一方の上りパケットはQFI−aに対応し、他方の上りパケットはQFI−bに対応する。
【０２８７】
言い換えると、UEによって送信された第1の上りパケットはQFI−aに対応し、UEによって送信された第2の上りパケットはQFI−bに対応し、第1の上りパケットと第2の上りパケットとは同じ通し番号を有する。UPFによって受信された第1の上りパケットはQFI−aを含み、UPFによって受信された第2の上りパケットはQFI−bを含み、第1の上りパケットと第2の上りパケットとは同じ通し番号を有する。UPFによって受信される第1の上りパケットおよび第2の上りパケットの通し番号とサービスフロー識別子とは、異なるプロトコル層にあり得る。例えば、通し番号はHRP層にあり、サービスフロー識別子なGTP−U層にある。
【０２８８】
1つの可能な実施態様では、SMFによってUEに送信された指示情報は、第1の上りパケットがQFI−aに対応し、第2の上りパケットがQFI−bに対応することを指示し得る。別の可能な実施態様では、UEはさらに、HRP層で第1の上りパケットにQFI−aを付加し、第2の上りパケットにQFI−bを付加し得る。さらに、SMFによってUEに送信された指示情報は、UEに、第1の上りパケットにQFI−aを付加し、第2の上りパケットにQFI−bを付加するよう指示し得る。
【０２８９】
UEは、複製後に取得される第1の上りパケットと第2の上りパケットとを異なるDRB、PDCPエンティティ、またはSDAP構成（config）と関連付けることも理解されよう。一方のPDCPエンティティまたはSDAP構成は一方のDRB（例えばDRB1）に対応し、他方のPDCPエンティティまたはSDAP構成は他方のDRB（例えばDRB2）に対応する。SDAP構成は、無線ベアラ粒度（すなわちDRB粒度）のパラメータであり、ベアラ粒度に基づいてアクセスネットワーク側によって割り振られ、RRC再構成プロセスでUEに送信される。
【０２９０】
加えて、下り方向では、UEが、マスタ基地局とセカンダリ基地局とから第1の下りパケットと第2の下りパケットとをそれぞれ受信し、第1の下りパケットと第2の下りパケットとが同じ通し番号を有し、QFI−aとQFI−bとにそれぞれ対応する場合、UEは、指示情報に基づいて第1の下りパケットと第2の下りパケットの重複を排除する。したがって、さらに、任意選択で、SMFによってUEに送信された指示情報は、UEに、第1の下りパケットと第2の下りパケットの重複を排除するよう指示してもよい。第1の下りパケットと第2の下りパケットとは同じ通し番号を有し、QFI−aとQFI−bとにそれぞれ関連付けられている。
【０２９１】
ステップ1806：マスタ基地局が、マスタ基地局とUEとの間のアクセスネットワークリソースの確立を開始する。
【０２９２】
言い換えると、マスタ基地局は、マスタ基地局とUEとの間に第1の無線ベアラの確立を開始する。例えば、第1の無線ベアラはDRB1である。このステップでは、マスタ基地局はUEにDRB1の識別情報を送信する。マスタ基地局とUEとの間のDRB1はこのステップによって確立される。加えて、このステップでは、マスタ基地局はUEにステップ1805のNASメッセージを転送する。
【０２９３】
ステップ1807：マスタ基地局が、セカンダリ基地局を追加すると決定し、セカンダリ基地局にセカンダリ基地局追加要求を送信する。
【０２９４】
マスタ基地局は、セカンダリ基地局が追加される必要があると決定するために、指示情報に基づいて、第1のサービスの上りパケットを、二重経路を経由して伝送すると決定し得る。第1のサービスはURLLCサービスを含む。例えば、N2 SM情報に含まれるQoSパラメータ、スライス識別情報、DNN、ならびに第1のコアネットワークトンネル情報および第2のコアネットワークトンネル情報のいずれか1つまたは組み合わせが、指示情報として使用され得る。QoSパラメータは、5QIおよびQFIの少なくとも一方を含む。二重経路を経由した下りパケットの伝送に第1のアクセスネットワークトンネル情報および第2のアクセスネットワークトンネル情報が使用される必要があるので、指示情報が第1のアクセスネットワークトンネル情報および第2のアクセスネットワークトンネル情報の決定をトリガすることがさらに考慮され得る。第1のアクセスネットワークトンネル情報はマスタ基地局によって決定され、第2のアクセスネットワークトンネル情報はセカンダリ基地局によって決定され、マスタ基地局に送信され得る。
【０２９５】
第1のアクセスネットワークトンネル情報および第2のアクセスネットワークトンネル情報の詳細については、図3Aおよび図3Bの説明を参照されたい。ここでは詳細を繰り返さない。
【０２９６】
このステップでは、セカンダリ基地局追加要求は、QFI−bおよび第2のコアネットワークトンネル情報を搬送する。
【０２９７】
ステップ1808：セカンダリ基地局がマスタ基地局にセカンダリ基地局追加要求確認応答を返す。
【０２９８】
例えば、セカンダリ基地局追加要求確認応答は、セカンダリ基地局によって決定された第2のアクセスネットワークトンネル情報を含む。
【０２９９】
言い換えると、ステップ1807で送信されたセカンダリ基地局追加要求は、第1のサービスのサービスフロー識別子QFI−bを含む。したがって、セカンダリ基地局によって決定される第2のアクセスネットワークトンネル情報もサービスフロー粒度であり、QFI−bに対応する。プロトコルスタックの観点から見ると、マスタ基地局がセカンダリ基地局を追加すると決定した場合、マスタ基地局はQFI−aのPDCPエンティティを生成し、セカンダリ基地局追加要求を受信した後、セカンダリ基地局はQFI−bのPDCPエンティティを生成する。したがって、2つのPDCPエンティティはQFI−aとQFI−bとにそれぞれ関連付けられる。
【０３００】
ステップ1809：マスタ基地局がUEへのRRC接続再構成を開始する。
【０３０１】
言い換えると、マスタ基地局は、セカンダリ基地局とUEとの間の第2の無線ベアラの確立を開始する。例えば、第2の無線ベアラはDRB2である。このステップでは、マスタ基地局はUEにDRB2の識別情報を送信する。セカンダリ基地局とUEとの間のDRB2はこのステップによって確立される。
【０３０２】
ステップ1810：マスタ基地局が、セカンダリ基地局に、UEがRRC接続再構成を正常に完了したことを通知するために、セカンダリ基地局にセカンダリ基地局再構成完了をフィードバックする。
【０３０３】
任意選択で、セカンダリ基地局がRRC機能を有する場合、前述のステップ1808からステップ1810は以下のステップで置き換えられてもよい。
【０３０４】
1808’：セカンダリ基地局がUEへのRRC接続確立プロセスを開始する。
【０３０５】
言い換えると、セカンダリ基地局は、セカンダリ基地局とUEとの間の第2の無線ベアラの確立を開始する。例えば、第2の無線ベアラはDRB2である。このステップでは、セカンダリ基地局はUEにDRB2の識別情報を送信する。セカンダリ基地局とUEとの間のDRB2はこのステップによって確立される。
【０３０６】
1809’：セカンダリ基地局がマスタ基地局にセカンダリ基地局追加要求確認応答を返す。詳細については、ステップ1808の説明を参照されたい。詳細は繰り返さない。
【０３０７】
ステップ1811：ランダムアクセス手順が行われる。
【０３０８】
ステップ1812：マスタ基地局がAMFに第1のアクセスネットワークトンネル情報および第2のアクセスネットワークトンネル情報を送信する。第1のアクセスネットワークトンネル情報はQFI−aに対応し、第2のアクセスネットワークトンネル情報はQFI−bに対応する。任意選択で、マスタ基地局は、AMFに、QFI−aと第1のアクセスネットワークトンネル情報との間の対応関係およびQFI−bと第2のアクセスネットワークトンネル情報との間の対応関係をさらに送信する。
【０３０９】
例えば、マスタ基地局はAMFにN2セッション応答を返す。N2セッション応答は、PDUセッション識別子およびN2 SM情報を含む。N2 SM情報は、第1のアクセスネットワークトンネル情報および第2のアクセスネットワークトンネル情報を含む。任意選択で、N2 SM情報は、QFI−aと第1のアクセスネットワークトンネル情報との間の対応関係およびQFI−bと第2のアクセスネットワークトンネル情報との間の対応関係をさらに含み得る。
【０３１０】
ステップ1813：AMFが、受信したN2 SM情報をSMFに転送するために、SMFにコンテキスト更新要求を送信する。
【０３１１】
例えば、AMFは、SMFのSMコンテキスト更新サービスを呼び出すことによってNsmf＿PDUSession＿UpdateSMContext要求を送信する。AMFは、この要求を使用してSMFに、ステップ1812で受信したN2 SM情報を転送する。
【０３１２】
ステップ1814：SMFがUPFに転送規則を送信する。
【０３１３】
例えば、SMFはUPFにN4セッション変更要求を送信し、セッション変更要求は転送規則を含む。UPFはN4セッション変更応答を返す。転送規則は、上り転送規則および下り転送規則を含み得る。
【０３１４】
上り転送規則はUPFに、QFI−aとQFI−bとをそれぞれ有し、同じ通し番号を有する2つの受信した上りパケットの重複を排除するよう指示する。したがって、上り方向では、UPFが第1の上りパケットおよび第2の上りパケットを受信したとき、第1の上りパケットは第1のサービスフロー識別子および第1の通し番号を有し、第2の上りパケットは第2のサービスフロー識別子および第1の通し番号を有する。UPFは、上り転送規則に従って第1の上りパケットと第2の上りパケットの重複を排除する。
【０３１５】
下り転送規則は、第1のアクセスネットワークトンネル情報および第2のアクセスネットワークトンネル情報を含む。下り転送規則は、第1のアクセスネットワークトンネル情報に対応するQFI−aおよび第2のアクセスネットワークトンネル情報に対応するQFI−bをさらに含む。下り転送規則はUPFに、受信した第1のサービスの受信した下りパケットを複製し（第1の下りパケットにQFI−aおよび通し番号を付加し、第2の下りパケットにQFI−bおよび同じ通し番号を付加し）、第1のサービスの下りパケットを、第1のアクセスネットワークトンネル情報と第2のアクセスネットワークトンネル情報とにそれぞれ対応する2つの経路を経由して送信する、具体的には、第1の下りパケットを、第1のアクセスネットワークトンネル情報に対応する第1の経路を経由してマスタ基地局に送信し、第2の下りパケットを、第2のアクセスネットワークトンネル情報に対応する第2の経路を経由してセカンダリ基地局に送信するよう指示する。したがって、下り方向では、UPFは、下り転送規則に従って第1の下りパケットおよび第2の下りパケットを生成し（例えば、HRP層でパケットを複製し、第1の下りパケットにQFI−aおよび通し番号を付加し、第2の下りパケットにQFI−bおよび同じ通し番号を付加し）、第1の下りパケットを第1の基地局に送信し、第2の下りパケットを第2の基地局に送信し、第1の下りパケットは第1のサービスフロー識別子および第2の通し番号を有し、第2の下りパケットは第2のサービスフロー識別子および第2の通し番号を有する。
【０３１６】
ステップ1815：SMFがAMFにコンテキスト更新応答を送信する。
【０３１７】
したがって、本発明の本実施形態におけるパケット伝送方法によれば、第1のサービス（例えばURLLCサービス）の上りパケット／下りパケットは、2つの経路を経由して伝送され得る。同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０３１８】
加えて、UE側が新しいプロトコル層HRP層を含まない場合、前述のHRP層での動作は、代替として、SDAP層の上のPDU層で行われてもよい。これについては本出願では限定されない。
【０３１９】
図19Aおよび図19Bは、本出願の一実施形態による別のパケット伝送方法のシグナリング交換図である。図19Aおよび図19Bは、UEとマスタ基地局とセカンダリ基地局とAMFとSMFとUPFとの間のインタラクションに関する。例えば、UE、マスタ基地局、セカンダリ基地局、AMF、SMF、およびUPFはそれぞれ、図2のUE201、M−RAN202、S−RAN203、AMF204、SMF205、およびUPF206であり得る。図19Aおよび図19Bを、図18Aおよび図18Bを参照して説明する。
【０３２０】
例えば、図19Aおよび図19Bは、二重経路パケット伝送が実施され、パケット伝送の信頼性が改善されるように、上り方向で、UEのSDAP層が拡張され、拡張されたSDAP層でパケットを複製することができ、下り方向で、UPFがGTP−U層でパケットを複製することができる場合に適用可能である。
【０３２１】
図19Aと図19Bと図18Aと図18Bとの間の違いは、図18Aおよび図18Bでは、アクセスネットワークがHRP層を認識しないので、SMFは、NASメッセージを使用して、UEに、URLLCサービスのパケットを処理するよう指示するが、図19Aおよび図19Bでは、SDAP層が拡張されるので、マスタ基地局は、AS層メッセージを使用して、UEに、URLLCサービスのパケットを処理するよう指示し得る点にある。
【０３２２】
図19Aおよび図19Bに示されるように、本方法は以下のステップを含む。
【０３２３】
ステップ1901：UEが、マスタ基地局を介してAMFに、UEのためのPDUセッションを確立するよう要求するために、セッション確立要求を搬送するNASメッセージを送信する。
【０３２４】
ステップ1902：セッション確立手順の他のステップが行われる。
【０３２５】
例えば、前述の他のステップは少なくとも、AMFがSMFを選択し、SMFがUPFを選択することを含む。ここでは詳細を述べない。
【０３２６】
ステップ1903：SMFが、第1のサービスに、2つの第1のサービスフロー識別子、すなわち、第1のサービスフロー識別子および第2のサービスフロー識別子を割り振る。
【０３２７】
ステップ1901からステップ1903については、図18Aおよび図18Bのステップ1801からステップ1803の説明を参照されたい。ここでは詳細を繰り返さない。
【０３２８】
ステップ1904：SMFがAMFにN2 SM情報およびN1 SMコンテナを伝送する。
【０３２９】
例えば、SMFは、AMFのN1N2メッセージ転送サービスを呼び出すことによってAMFにN2 SM情報を送信する。加えて、サービスを呼び出すことによってセッション受け入れメッセージを含むN1 SMコンテナもAMFにさらに送信され得る。
【０３３０】
ステップ1905：AMFが受信したN2 SM情報および受信したN1 SMコンテナをマスタ基地局に送信する。
【０３３１】
例えば、AMFはマスタ基地局にN2セッション要求を送信し、N2セッション要求はN2 SM情報およびNASメッセージを含む。NASメッセージはPDUセッション識別子およびN1 SMコンテナを含む。
【０３３２】
N1 SMコンテナは、UEに送信されるべきセッション受け入れメッセージを含む。セッション受け入れメッセージはQoS規則を含む。例えば、QoS規則は、QoS規則識別子、第1のサービスフロー識別子、第2のサービスフロー識別子、およびパケットフィルタを含む、
【０３３３】
N2 SM情報は少なくとも、PDUセッション識別子およびコアネットワークトンネル情報を含む。コアネットワークトンネル情報は、第1のコアネットワークトンネル情報および第2のコアネットワークトンネル情報を含む。詳細については、図3Aおよび図3Bの説明を参照されたい。ここでは詳細を繰り返さない。N2 SM情報は、QoSパラメータ、QFI−a、QFI−b、スライス識別情報（例えばS−NSSAI）、session−AMBR、およびPDUセッションタイプをさらに含み得る。任意選択で、N2 SM情報はDNNをさらに含み得る。
【０３３４】
ステップ1906：マスタ基地局が、マスタ基地局とUEとの間のアクセスネットワークリソースの確立を開始する。
【０３３５】
言い換えると、マスタ基地局は、マスタ基地局とUEとの間に第1の無線ベアラの確立を開始する。例えば、第1の無線ベアラはDRB1である。このステップでは、マスタ基地局はUEにDRB1の識別情報を送信する。マスタ基地局とUEとの間のDRB1はこのステップによって確立される。加えて、一実施形態では、マスタ基地局は、AS層メッセージを使用してUEに指示情報をさらに送信する。
【０３３６】
UEは、AS層メッセージを使用して指示情報を受信し得る。上り方向では、UEは、指示情報に基づいて第1の上りパケットおよび第2の上りパケットを生成し、第1の上りパケットを第1の無線ベアラ上でマスタ基地局に送信し、第2の上りパケットを第2の無線ベアラ上でセカンダリ基地局に送信し、第1の上りパケットと第2の上りパケットとは同じ第1の通し番号を有する。例えば、指示情報はUEに、第1の上りパケットおよび第2の上りパケットを取得するために上りパケットを複製し、第1の上りパケットと第2の上りパケットとを異なる無線ベアラ上で送信するよう指示する。
【０３３７】
例えば、UEは、パケットフィルタを使用して、QFI−aおよびQFI−bに対応するパケットを決定し、指示情報に基づいてパケットを複製し、SDAP層で同じ通し番号を付加して、QFI−aに対応する第1の上りパケットおよびQFI−bに対応する第2の上りパケットを取得し、UEは、QFIとPDCPエンティティとの間の対応関係に基づいてSDAP層で、第1の上りパケットをPDCPエンティティ1に送信し、第2の上りパケットをPDCPエンティティ2に送信し、PDCPエンティティ1はQFI−aに対応し、PDCPエンティティ2はQFI−bに対応する。同様に、第1の上りパケットおよび第2の上りパケットがRLC層や物理層などの別のプロトコル層で処理された後、第1の上りパケットはDRB1上でM−RANに送信され、第2の上りパケットはDRB2上でS−RANに送信される。DRB1はPDCPエンティティ1に対応し、DRB2なPDCPエンティティ2に対応する。2つの上りパケットをDRB1上とDRB2上とでそれぞれ受信した後、マスタ基地局およびセカンダリ基地局は、DRBとQFIとの間の対応関係に基づいて、または上りパケットのヘッダで搬送されたQFIに基づいて、上りパケットにQFIを付加する。具体的には、マスタ基地局は第1の上りパケットにQFI−aを付加し、セカンダリ基地局は第2の上りパケットにQFI−bを付加し、マスタ基地局およびセカンダリ基地局は上りパケットをUPFに送信する。したがって、UPFは、第1の上りパケットおよび第2の上りパケットを受信し、第1の上りパケットと第2の上りパケットとはQFI−aとQFI−bとをそれぞれ有し、同じ通し番号を有する。
【０３３８】
言い換えると、UEによって送信された第1の上りパケットはQFI−aに対応し、第2の上りパケットはQFI−bに対応し、第1の上りパケットと第2の上りパケットとは同じ通し番号を有する。UPFによって受信された第1の上りパケットはQFI−aを含み、第2の上りパケットはQFI−bを含み、第1の上りパケットと第2の上りパケットとは同じ通し番号を有する。
【０３３９】
1つの可能な実施態様では、SMFによってUEに送信された指示情報は、第1の上りパケットがQFI−aに対応し、第2の上りパケットがQFI−bに対応することを指示し得る。別の可能な実施態様では、UEはさらに、SDAP層で第1の上りパケットにQFI−aを付加し、第2の上りパケットにQFI−bを付加し得る。さらに、SMFによってUEに送信された指示情報は、UEに、第1の上りパケットにQFI−aを付加し、第2の上りパケットにQFI−bを付加するよう指示し得る。
【０３４０】
加えて、下り方向では、UEが、マスタ基地局とセカンダリ基地局とから第1の下りパケットと第2の下りパケットとをそれぞれ受信し、第1の下りパケットと第2の下りパケットとが同じ通し番号を有し、QFI−aとQFI−bとにそれぞれ対応する場合、UEは、指示情報に基づいて第1の下りパケットと第2の下りパケットの重複を排除する。したがって、さらに、任意選択で、SMFによってUEに送信された指示情報は、UEに、第1の下りパケットと第2の下りパケットの重複を排除するよう指示してもよい。第1の下りパケットと第2の下りパケットとは同じ通し番号を有し、QFI−aとQFI−bとにそれぞれ関連付けられている。
【０３４１】
別の実施形態では、ステップ1906で指示情報が搬送されず、指示情報は、以下のステップ1909でUEに送信され得る。さらに別の実施形態では、セカンダリ基地局がRRC機能を有する場合、指示情報は、代替として、以下のステップ1908’によってUEに送信されてよい。これについては本出願では限定されない。
【０３４２】
ステップ1907：マスタ基地局が、セカンダリ基地局を追加すると決定し、セカンダリ基地局にセカンダリ基地局追加要求を送信する。
【０３４３】
ステップ1908：セカンダリ基地局がマスタ基地局にセカンダリ基地局追加要求確認応答を返す。
【０３４４】
ステップ1909：マスタ基地局がUEへのRRC接続再構成を開始する。
【０３４５】
言い換えると、マスタ基地局は、セカンダリ基地局とUEとの間の第2の無線ベアラの確立を開始する。例えば、第2の無線ベアラはDRB2である。このステップでは、セカンダリ基地局はUEにDRB2の識別情報を送信する。セカンダリ基地局とUEとの間のDRB2はこのステップによって確立される。
【０３４６】
ステップ1910：マスタ基地局が、セカンダリ基地局に、UEがRRC接続再構成を正常に完了したことを通知するために、セカンダリ基地局にセカンダリ基地局再構成完了をフィードバックする。
【０３４７】
ステップ1907からステップ1910については、図18Aおよび図18Bのステップ1807からステップ1810の説明を参照されたい。ここでは詳細を繰り返さない。
【０３４８】
任意選択で、セカンダリ基地局がRRC機能を有する場合、前述のステップ1908からステップ1910は以下のステップで置き換えられてもよい。
【０３４９】
1908’：セカンダリ基地局がUEへのRRC接続確立プロセスを開始する。詳細については、1808’の説明を参照されたい。詳細は繰り返さない。
【０３５０】
1909’セカンダリ基地局がマスタ基地局にセカンダリ基地局追加要求確認応答を返す。詳細については、ステップ1808の説明を参照されたい。詳細は繰り返さない。
【０３５１】
ステップ1911：ランダムアクセス手順。
【０３５２】
ステップ1912：マスタ基地局がAMFに第1のアクセスネットワークトンネル情報および第2のアクセスネットワークトンネル情報を送信する。任意選択で、マスタ基地局は、AMFに、QFI−aと第1のアクセスネットワークトンネル情報との間の対応関係およびQFI−bと第2のアクセスネットワークトンネル情報との間の対応関係をさらに送信する。
【０３５３】
ステップ1913：AMFが、受信したN2 SM情報をSMFに転送するために、SMFにコンテキスト更新要求を送信する。
【０３５４】
ステップ1914：SMFがUPFに転送規則を送信する。
【０３５５】
ステップ1915：SMFがAMFにコンテキスト更新応答を送信する。
【０３５６】
ステップ1912からステップ1915については、図18Aおよび図18Bのステップ1812からステップ1815の説明を参照されたい。ここでは詳細を繰り返さない。
【０３５７】
したがって、本発明の本実施形態におけるパケット伝送方法によれば、第1のサービス（例えばURLLCサービス）の上りパケット／下りパケットは、2つの経路を経由して伝送され得る。同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０３５８】
図18A、図18B、図19A、および図19Bの説明に関連して、本出願の一実施形態はパケット伝送方法を提供する。図20に示されるように、本方法は以下のステップを含む。
【０３５９】
ステップ2001：ユーザ機器が、ネットワーク側機器から指示情報を取得する。
【０３６０】
例えば、ネットワーク側機器がSMFである場合、UEはSMFから指示情報を取得し得る。図18Aおよび図18Bのステップ1804からステップ1806を参照されたい。あるいは、ネットワーク側機器が基地局である場合、UEはマスタ基地局から指示情報を取得してもよい。詳細については、図19Aおよび図19Bのステップ1906を参照されたい。詳細は繰り返さない。例えば、指示情報はUEに、第1の上りパケットおよび第2の上りパケットを取得するために上りパケットを複製し、第1の上りパケットと第2の上りパケットとを異なる無線ベアラ上で送信するよう指示する。第1の上りパケットと第2の上りパケットとは同じ通し番号を有する。
【０３６１】
ステップ2002：ユーザ機器が、指示情報に基づいて第1の上りパケットおよび第2の上りパケットを生成し、第1の上りパケットを第1の無線ベアラ上で第1の基地局に送信し、第2の上りパケットを第2の無線ベアラ上で第2の基地局に送信し、第1の上りパケットと第2の上りパケットとが同じ通し番号を有し、第1の上りパケットが第1のサービスフロー識別子に対応し、第2の上りパケットが第2のサービスフロー識別子に対応する。
【０３６２】
例えば、第1の基地局は、図18A、図18B、図19A、または図19Bのマスタ基地局であり、第2の基地局は、図18A、図18B、図19A、または図19Bのセカンダリ基地局であり、第1の無線ベアラは、図18A、図18B、図19A、または図19BのDRB1であり、第2の無線ベアラは、図18A、図18B、図19A、または図19BのDRB2であり得る。
【０３６３】
例えば、ユーザ機器は、第1の上りパケットおよび第2の上りパケットを取得するために、指示情報に基づいて第1のプロトコル層でパケットを複製する。例えば、第1のプロトコル層がHRP層を含む場合、ユーザ機器はNASメッセージを使用してSMFから指示情報を取得する。図18Aおよび図18Bの説明を参照されたい。あるいは、第1のプロトコル層がSDAP層を含む場合、ユーザ機器はASメッセージを使用して基地局から指示情報を取得する。図19Aおよび図19Bの説明を参照されたい。
【０３６４】
任意選択で、UEは、第1の上りパケットに第1のサービスフロー識別子を付加し、第2の上りパケットに第2のサービスフロー識別子を付加してもよい。言い換えると、第1の上りパケットは第1のサービスフロー識別子を含み、第2の上りパケットは第2のサービスフロー識別子を含む。さらに、任意選択で、指示情報は、ユーザ機器に、第1の上りパケットに第1のサービスフロー識別子を付加し、第2の上りパケットに第2のサービスフロー識別子を付加するようさらに指示する。
【０３６５】
加えて、下り方向では、ユーザ機器は、第1の基地局と第2の基地局とからそれぞれ第1の下りパケットと第2の下りパケットとを受信し、第1の下りパケットは第2の通し番号を有し、第1のサービスフロー識別子に対応し、第2の下りパケットは第2の通し番号を有し、第2のサービスフロー識別子に対応する。ユーザ機器は、指示情報に基づいて第1の下りパケットと第2の下りパケットの重複を排除する。
【０３６６】
任意選択で、指示情報は、ユーザ機器に、同じ通し番号を有し、第1のサービスフロー識別子と第2のサービスフロー識別子とをそれぞれ有する2つの下りパケットの重複を排除するようさらに指示する。
【０３６７】
下り方向の動作は上りの解決策に依存しないことに留意されたい。言い換えると、UEの下り側の動作も独立した解決策を構成し得る。
【０３６８】
同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０３６９】
図18A、図18B、図19A、および図19Bの説明に関連して、本出願の一実施形態はパケット伝送方法を提供する。図21に示されるように、本方法は以下のステップを含む。
【０３７０】
ステップ2101：ユーザプレーン機能ネットワーク要素が、セッション管理機能ネットワーク要素から上り転送規則を受信する。例えば、上り転送規則がユーザプレーン機能ネットワーク要素に、同じ通し番号を有し、第1のサービスフロー識別子と第2のサービスフロー識別子とをそれぞれ有する2つの上りパケットの重複を排除するよう指示する。
【０３７１】
例えば、ユーザプレーン機能ネットワーク要素は、図18A、図18B、図19A、または図19BのUPFであり、セッション管理機能ネットワーク要素は、図18A、図18B、図19A、または図19BのSMFであり得る。ステップ2101については、図18Aおよび図18Bのステップ1814または図19Aおよび図19Bのステップ1914の説明を参照されたい。詳細は繰り返さない。
【０３７２】
ステップ2102：ユーザプレーン機能ネットワーク要素が、第1の上りパケットおよび第2の上りパケットを受信し、第1の上りパケットが第1のサービスフロー識別子および第1の通し番号を有し、第2の上りパケットが第2のサービスフロー識別子および第1の通し番号を有する。
【０３７３】
ステップ2103：ユーザプレーン機能ネットワーク要素が、上り転送規則に従って第1の上りパケットと第2の上りパケットの重複を排除する。
【０３７４】
加えて、下り方向では、ユーザプレーン機能ネットワーク要素は、セッション管理機能ネットワーク要素から下り転送規則を受信し、下り転送規則に従って第1の下りパケットおよび第2の下りパケットを生成し、第1の下りパケットを第1の基地局に送信し、第2の下りパケットを第2の基地局に送信し、第1の下りパケットは第1のサービスフロー識別子および第2の通し番号を有し、第2の下りパケットは第2のサービスフロー識別子および第2の通し番号を有する。
【０３７５】
任意選択で、ユーザプレーン機能ネットワーク要素が、下り転送規則に従って第1の下りパケットおよび第2の下りパケットを生成するステップは、ユーザプレーン機能ネットワーク要素が、第1の下りパケットおよび第2の下りパケットを取得するために、下り転送規則に従って第1のプロトコル層でパケットを複製するステップであって、第1のプロトコル層がHRP層またはGTP−U層を含む、ステップを含む。
【０３７６】
下り方向の動作は上りの解決策に依存しないことに留意されたい。言い換えると、UPFの下り側の動作も独立した解決策を構成し得る。
【０３７７】
同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０３７８】
図3A、図3B、および図5の説明に関連して、本出願の一実施形態はパケット伝送方法を提供する。図6に示されるように、本方法は以下のステップを含む。
【０３７９】
ステップ601：セッション管理機能ネットワーク要素が、第1のサービスに対応する第1のアクセスネットワークトンネル情報および第2のアクセスネットワークトンネル情報を受信する。
【０３８０】
例えば、セッション管理機能ネットワーク要素は、図3A、図3B、または図5のSMFであり得る。
【０３８１】
例えば、第1のアクセスネットワークトンネル情報および第2のアクセスネットワークトンネル情報を含むN2 SM情報を受信した後、アクセスおよびモビリティ管理ネットワーク要素は、N2 SM情報をセッション管理機能ネットワーク要素に転送する。具体的には、ステップ601については、図3Aおよび図3Bのステップ311およびステップ312の説明または図5のステップ507およびステップ508の説明を参照されたい。ここでは詳細を繰り返さない。
【０３８２】
ステップ602：セッション管理機能ネットワーク要素が、ユーザプレーン機能ネットワーク要素に下り転送規則を送信し、下り転送規則が、第1のアクセスネットワークトンネル情報および第2のアクセスネットワークトンネル情報を含み、下り転送規則がユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する。
【０３８３】
例えば、ユーザプレーン機能ネットワーク要素は、図3A、図3B、または図5のUPFであり得る。例えば、デュアルコネクティビティシナリオでは、2つの経路は、ユーザプレーン機能ネットワーク要素とマスタ基地局との間の第1の経路、およびユーザプレーン機能ネットワーク要素とセカンダリ基地局との間の第2の経路であり得る。シングルコネクティビティシナリオでは、2つの経路は、ユーザプレーン機能ネットワーク要素と基地局との間の第1の経路および第2の経路であり得る。
【０３８４】
ステップ602については、図3Aおよび図3Bのステップ313または図5のステップ509の説明を参照されたい。ここでは詳細を繰り返さない。
【０３８５】
前述の方法によれば、特定の第1のサービス（例えば、高信頼性を必要とするURLLCサービス）について、セッション管理機能ネットワーク要素が、ユーザプレーン機能ネットワーク要素に、第1のアクセスネットワークトンネル情報および第2のアクセスネットワークトンネル情報を含む下り転送規則を送信するので、第1のサービスの下りパケットを続いて受信した後、ユーザプレーン機能ネットワーク要素は、第1のサービスの下りパケットを複製し、第1のサービスの下りパケットを、第1のアクセスネットワークトンネル情報と第2のアクセスネットワークトンネル情報とにそれぞれ対応する2つの経路を経由して送信する。このようにして、第1のサービスのパケット伝送の信頼性が改善される。
【０３８６】
同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０３８７】
任意選択で、第1のサービスがサービスフロー粒度である場合、下り転送規則は第1のサービスのサービスフロー識別子およびセッション識別子をさらに含むか、または第1のサービスがセッション粒度である場合、下り転送規則は第1のサービスのセッション識別子をさらに含む。したがって、異なる粒度のサービスについて、対応する粒度についての下り転送規則が提供され得るので、ユーザプレーン機能ネットワーク要素は、より正確で効率的なパケット伝送を実施することができる。
【０３８８】
任意選択で、本方法は、セッション管理機能ネットワーク要素が、基地局に指示情報を送信するステップであって、指示情報が第1のアクセスネットワークトンネル情報および第2のアクセスネットワークトンネル情報の決定をトリガする、ステップをさらに含む。言い換えると、指示情報を受信した後、基地局は、第1のアクセスネットワークトンネル情報および第2のアクセスネットワークトンネル情報が決定される必要があることを知る。例えば、指示情報は、サービス品質パラメータ、スライス識別情報、データネットワーク名、ならびに第1のコアネットワークトンネル情報および第2のコアネットワークトンネル情報のうちの少なくとも1つを含み得る。サービス品質パラメータは、5QIおよびQFIの少なくとも一方を含む。指示情報を受信する基地局はこの場合、デュアルコネクティビティシナリオにおけるマスタ基地局またはシングルコネクティビティシナリオにおける基地局であり得る。
【０３８９】
任意選択で、本方法は、セッション管理機能ネットワーク要素が、基地局に上り転送規則を送信するステップであって、上り転送規則が、第1のコアネットワークトンネル情報および第2のコアネットワークトンネル情報を含み、上り転送規則が基地局に、第1のサービスの受信した上りパケットを複製し、第1のサービスの上りパケットを、第1のコアネットワークトンネル情報と第2のコアネットワークトンネル情報とにそれぞれ対応する2つの経路を経由してユーザプレーン機能ネットワーク要素に送信するよう指示する、ステップをさらに含む。基地局はこの場合、シングルコネクティビティシナリオの基地局である。
【０３９０】
同様に、第1のサービスがサービスフロー粒度である場合、上り転送規則は第1のサービスのサービスフロー識別子およびセッション識別子をさらに含むか、または第1のサービスがセッション粒度であり、上り転送規則は第1のサービスのセッション識別子をさらに含む。
【０３９１】
任意選択で、本方法は、セッション管理機能ネットワーク要素が、第1のサービスに第1のサービスフロー識別子および第2のサービスフロー識別子を割り振り、第1のサービスフロー識別子および第2のサービスフロー識別子をユーザ機器に送信するステップをさらに含む。図18Aおよび図18Bのステップ1803または図19Aおよび図19Bのステップ1903の説明を参照されたい。詳細は繰り返さない。
【０３９２】
任意選択で、本方法は、セッション管理機能ネットワーク要素が、ユーザプレーン機能ネットワーク要素に上り転送規則を送信するステップであって、上り転送規則がユーザプレーン機能ネットワーク要素に、同じ通し番号を有し、第1のサービスフロー識別子と第2のサービスフロー識別子とをそれぞれ有する2つの上りパケットの重複を排除するよう指示する、ステップをさらに含む。図18Aおよび図18Bのステップ1814または図19Aおよび図19Bのステップ1914の説明を参照されたい。詳細は繰り返さない。
【０３９３】
任意選択で、本方法は、セッション管理機能ネットワーク要素が、NASメッセージを使用してユーザ機器に指示情報を送信するステップであって、指示情報がユーザ機器に、第1の上りパケットおよび第2の上りパケットを取得するために上りパケットを複製し、第1の上りパケットと第2の上りパケットとを異なる無線ベアラ上で送信するよう指示し、第1の上りパケットと第2の上りパケットとが同じ通し番号を有する、ステップをさらに含む。さらに、任意選択で、指示情報は、第1の上りパケットがQFI−aに対応し、第2の上りパケットがQFI−bに対応することをさらに指示する。詳細については、図18Aおよび図18Bのステップ1804からステップ1806の説明を参照されたい。詳細は繰り返さない。
【０３９４】
任意選択で、本方法は、ユーザ機器が、（例えばHRP層で）第1の上りパケットに第1のサービスフロー識別子を付加し、第2の上りパケットに第2のサービスフロー識別子を付加するステップをさらに含む。例えば、指示情報は、ユーザ機器に、第1の上りパケットに第1のサービスフロー識別子を付加し、第2の上りパケットに第2のサービスフロー識別子を付加するようさらに指示する。
【０３９５】
任意選択で、第1のアクセスネットワークトンネル情報と第2のアクセスネットワークトンネル情報とにそれぞれ対応する2つの経路を経由して送信される第1のサービスの下りパケットは、第1の下りパケットおよび第2の下りパケットを含み、第1の下りパケットと第2の下りパケットとは同じ第1の通し番号を含む。第1の下りパケットは第1のサービスフロー識別子に対応し、第2の下りパケットは第2のサービスフロー識別子に対応する。任意選択で、UEによって送信された第1の下りパケットは第1のサービスフロー識別子を含み、第2の下りパケットは第2のサービスフロー識別子を含む。図18A、図18B、図19A、または図19Bの説明を参照されたい。詳細は繰り返さない。
【０３９６】
任意選択で、指示情報は、ユーザ機器に、第1の下りパケットと第2の下りパケットの重複を排除するようさらに指示する。第1の下りパケットと第2の下りパケットとは、同じ通し番号を有し、第1のサービスフロー識別子と第2のサービスフロー識別子とにそれぞれ関連付けられている。
【０３９７】
本出願の一実施形態はパケット伝送方法をさらに提供する。図7に示されるように、本方法は以下のステップを含む。
【０３９８】
ステップ701：基地局が、第1のサービスに対応する第1のアクセスネットワークトンネル情報および第2のアクセスネットワークトンネル情報を決定する。
【０３９９】
例えば、基地局は図3Aおよび図3Bのマスタ基地局または図5の基地局であり得る。
【０４００】
ステップ701については、図3Aおよび図3Bのステップ306およびステップ307または図5のステップ506の説明を参照されたい。ここでは詳細を繰り返さない。
【０４０１】
ステップ702：基地局が、第1のアクセスネットワークトンネル情報および第2のアクセスネットワークトンネル情報をセッション管理機能ネットワーク要素に送信し、第1のアクセスネットワークトンネル情報および第2のアクセスネットワークトンネル情報が下り転送規則の決定に使用され、下り転送規則がユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する。
【０４０２】
例えば、セッション管理機能ネットワーク要素は、図3A、図3B、または図5のSMFであり得る。デュアルコネクティビティシナリオでは、2つの経路は、ユーザプレーン機能ネットワーク要素とマスタ基地局との間の第1の経路、およびユーザプレーン機能ネットワーク要素とセカンダリ基地局との間の第2の経路であり得る。シングルコネクティビティシナリオでは、2つの経路は、ユーザプレーン機能ネットワーク要素と基地局との間の第1の経路および第2の経路であり得る。
【０４０３】
ステップ702については、図3Aおよび図3Bのステップ311およびステップ312または図5のステップ507およびステップ508の説明を参照されたい。ここでは詳細を繰り返さない。
【０４０４】
前述の方法によれば、基地局は、第1のアクセスネットワークトンネル情報および第2のアクセスネットワークトンネル情報をセッション管理機能ネットワーク要素に送信する。特定の第1のサービス（例えば、高信頼性を必要とするURLLCサービス）について、セッション管理機能ネットワーク要素が、ユーザプレーン機能ネットワーク要素に、第1のアクセスネットワークトンネル情報および第2のアクセスネットワークトンネル情報を含む下り転送規則を送信するので、第1のサービスの下りパケットを続いて受信した後、ユーザプレーン機能ネットワーク要素は、第1のサービスの下りパケットを複製し、第1のサービスの下りパケットを、第1のアクセスネットワークトンネル情報と第2のアクセスネットワークトンネル情報とにそれぞれ対応する2つの経路を経由して送信する。このようにして、第1のサービスのパケット伝送の信頼性が改善される。
【０４０５】
同様に、本出願の本実施形態の方法は、複数の（3つ以上の）経路を経由して第1のサービスの上りパケット／下りパケットを伝送するためにさらに使用され得る。詳細は繰り返さない。したがって、URLLCサービスのパケット伝送の信頼性が改善される。
【０４０６】
任意選択で、第1のサービスがサービスフロー粒度である場合、下り転送規則は第1のサービスのサービスフロー識別子およびセッション識別子をさらに含むか、または第1のサービスがセッション粒度である場合、下り転送規則は第1のサービスのセッション識別子をさらに含む。したがって、異なる粒度のサービスについて、対応する粒度についての下り転送規則が提供され得るので、ユーザプレーン機能ネットワーク要素は、より正確で効率的なパケット伝送を実施することができる。
【０４０７】
任意選択で、本方法は、基地局が、セッション管理機能ネットワーク要素から指示情報を受信するステップであって、指示情報が第1のアクセスネットワークトンネル情報および第2のアクセスネットワークトンネル情報の決定をトリガする、ステップをさらに含む。ステップ701は、基地局が、指示情報に基づいて第1のアクセスネットワークトンネル情報および第2のアクセスネットワークトンネル情報を決定するステップを含む。言い換えると、指示情報を受信した後、基地局は、第1のアクセスネットワークトンネル情報および第2のアクセスネットワークトンネル情報が決定される必要があることを知る。例えば、指示情報は、サービス品質パラメータ、スライス識別情報、データネットワーク名、ならびに第1のコアネットワークトンネル情報および第2のコアネットワークトンネル情報のうちの少なくとも1つを含み得る。サービス品質パラメータは、5QIおよびQFIの少なくとも一方を含む。
【０４０８】
任意選択で、本方法は、基地局が、セッション管理機能ネットワーク要素から上り転送規則を受信するステップであって、上り転送規則が、第1のコアネットワークトンネル情報および第2のコアネットワークトンネル情報を含む、ステップと、基地局が、上り転送規則に従って第1のサービスの受信した上りパケットを複製し、第1のサービスの上りパケットを、第1のコアネットワークトンネル情報と第2のコアネットワークトンネル情報とにそれぞれ対応する2つの経路を経由してユーザプレーン機能ネットワーク要素に送信するステップとをさらに含む。基地局はこの場合、シングルコネクティビティシナリオの基地局である。
【０４０９】
同様に、第1のサービスがサービスフロー粒度である場合、上り転送規則は第1のサービスのサービスフロー識別子およびセッション識別子をさらに含むか、または第1のサービスがセッション粒度である場合、上り転送規則は第1のサービスのセッション識別子をさらに含む。
【０４１０】
任意選択で、本方法は、基地局が、ASメッセージを使用してユーザ機器に指示情報を送信するステップであって、指示情報がユーザ機器に、第1の上りパケットおよび第2の上りパケットを取得するために上りパケットを複製し、第1の上りパケットと第2の上りパケットとを異なる無線ベアラ上で送信するよう指示し、第1の上りパケットと第2の上りパケットとが同じ通し番号を有する、ステップをさらに含む。さらに、任意選択で、指示情報は、第1の上りパケットがQFI−aに対応し、第2の上りパケットがQFI−bに対応することをさらに指示する。図19Aおよび図19Bのステップ1906の説明を参照されたい。詳細は繰り返さない。
【０４１１】
任意選択で、本方法は、基地局がセッション管理機能ネットワーク要素に、第1のアクセスネットワークトンネル情報に対応する第1のサービスフロー識別子および第2のアクセスネットワークトンネル情報に対応する第2のサービスフロー識別子を送信するステップをさらに含む。
【０４１２】
任意選択で、本方法は、基地局が、ユーザ機器に、第1の上りパケットにサービスフロー識別子を付加するよう指示するステップをさらに含む。
【０４１３】
任意選択で、本方法は、基地局がパケットをデュアルコネクティビティ方式で伝送すると決定したとき、基地局が、ユーザ機器に、2つの第2の上りパケットを生成するよう指示するステップであって、2つの第2の上りパケットが同じ通し番号および同じサービスフロー識別子を有する、ステップをさらに含む。
【０４１４】
任意選択で、本方法は、基地局が、ユーザ機器に、同じ通し番号および同じサービスフロー識別子を有する受信した下りパケットの重複を排除するよう指示するステップをさらに含む。例えば、デュアルコネクティビティ（またはデュアル基地局）の下りシナリオでは、基地局はユーザ機器に、同じ通し番号および同じサービスフロー識別子を有する受信した下りパケットの重複を排除するよう指示する。
【０４１５】
任意選択で、本方法は、基地局が、第1のアクセスネットワークトンネル情報と第2のアクセスネットワークトンネル情報とにそれぞれ対応する2つの経路を経由して第1のサービスの下りパケットを受信するステップと、同じ通し番号およびサービスフロー識別子を有する下りパケットの重複を排除するステップとをさらに含む。例えば、シングルコネクティビティ（またはシングル基地局）の下りシナリオでは、基地局は、同じ通し番号および同じサービスフロー識別子を有する下りパケットの重複を排除する。
【０４１６】
図3A、図3B、図5、図12Aおよび図12Bの説明に関連して、本出願の一実施形態はパケット伝送方法をさらに提供する。図13に示されるように、本方法は以下のステップを含む。
【０４１７】
ステップ1301：基地局が第1の指示を取得する。
【０４１８】
第1の指示は、セッション管理ネットワーク要素からのものである能力情報または指示情報を含む。
【０４１９】
例えば、指示情報は基地局に、ユーザ機器に、第1のセッションの上りパケットまたは第1のセッションの第1のサービスフローの上りパケットにサービスフロー識別子を付加するよう指示するよう指示する。
【０４２０】
能力情報は、基地局（すなわちマスタ基地局）にデュアルコネクティビティ方式でパケットを伝送または受信する能力があるかどうか、基地局の近隣の基地局（すなわち、基地局とのXnインターフェースを有する基地局、例えばセカンダリ基地局）にデュアルコネクティビティ方式でパケットを伝送または受信する能力があるかどうか、およびデュアルコネクティビティ方式でパケットを伝送または受信する能力がある別の基地局（例えばセカンダリ基地局）が、基地局と関連付けられたスライスに配置されているかどうか、のうちの少なくとも1つを指示する。
【０４２１】
ステップ1302：基地局が、第1の指示に従って、ユーザ機器に、第1の上りパケットにサービスフロー識別子を付加するよう指示する。
【０４２２】
サービスフロー識別子は、セッション識別子、QFI、および5タプルのうちの少なくとも1つを含み得る。
【０４２３】
例えば、第1の指示が指示情報を含むとき、基地局は、受信した指示情報に基づいて、ユーザ機器に、第1の上りパケットにサービスフロー識別子を付加するよう指示する。
【０４２４】
第1の指示が能力情報を含むとき、基地局が第1の指示に従って、ユーザ機器に、サービスフロー識別子を第1の上りパケットに付加するよう指示するステップは、能力情報が第1の条件を満たす場合、基地局が、ユーザ機器に、第1の上りパケットにサービスフロー識別子を付加するよう指示するステップであって、第1の条件が、能力情報が、基地局にデュアルコネクティビティ方式でパケットを伝送または受信する能力があることを指示すること、能力情報が、基地局の近隣の基地局にデュアルコネクティビティ方式でパケットを伝送または受信する能力があることを指示すること、および能力情報が、デュアルコネクティビティ方式でパケットを伝送または受信する能力がある別の基地局が、基地局と関連付けられたスライスに配置されていることを指示すること、のうちの少なくとも1つを含む、ステップを含む。
【０４２５】
例えば、ステップ1301およびステップ1302については、図3Aおよび図3Bの説明を参照されたい。ここでは詳細を繰り返さない。
【０４２６】
したがって、デュアルコネクティビティ方式が使用されるか、またはデュアルコネクティビティ方式が続いて使用され得る場合、基地局はUEに、上りパケットにサービスフロー識別子を付加するよう指示する。このように、UEでは、同じプロトコルスタックフォーマットが、シングルコネクティビティ方式とデュアルコネクティビティ方式とに使用される。UEが続いてデュアルコネクティビティ方式に切り替わった後、UEは、プロトコルスタックフォーマットに基づいて処理を直接行って、複雑な動作およびシグナリング交換を回避し、レイテンシを低減させることができ、それによってユーザ体験が改善される。
【０４２７】
任意選択で、本方法は、基地局がパケットをデュアルコネクティビティ方式で伝送または受信すると決定したとき、基地局が、ユーザ機器に、2つの第2の上りパケットを生成するよう指示するステップであって、2つの第2の上りパケットが同じ通し番号および同じサービスフロー識別子を有する、ステップをさらに含む。
【０４２８】
任意選択で、本方法は、基地局が、ユーザ機器に、同じ通し番号および同じサービスフロー識別子を有する受信した下りパケットの重複を排除するよう指示するステップをさらに含む。例えば、デュアルコネクティビティ（またはデュアル基地局）の下りシナリオでは、基地局はユーザ機器に、同じ通し番号および同じサービスフロー識別子を有する受信した下りパケットの重複を排除するよう指示する。
【０４２９】
任意選択で、本方法は、基地局が、第1のアクセスネットワークトンネル情報と第2のアクセスネットワークトンネル情報とにそれぞれ対応する2つの経路を経由して第1のサービスの下りパケットを受信するステップと、同じ通し番号および同じサービスフロー識別子を有する下りパケットの重複を排除するステップとをさらに含む。例えば、シングルコネクティビティ（またはシングル基地局）の下りシナリオでは、基地局は、同じ通し番号および同じサービスフロー識別子を有する下りパケットの重複を排除する。このステップについては、図12Aおよび図12Bのステップ1212の説明を参照されたい。
【０４３０】
図3A、図3B、図11Aおよび図11Bの説明に関連して、本出願の一実施形態はパケット伝送方法をさらに提供する。本方法は、デュアルコネクティビティシナリオに適用可能である。図14に示されるように、本方法は以下のステップを含む。
【０４３１】
ステップ1401：ユーザ機器が、第1の基地局から取得された指示に従って第1の上りパケットおよび第2の上りパケットを生成し、第1の上りパケットと第2の上りパケットとが同じ第1のサービスフロー識別子および同じ第1の通し番号を有する。
【０４３２】
ステップ1402：ユーザ機器が、第1の上りパケットを第1の基地局に送信し、第2の上りパケットを第2の基地局に送信する。
【０４３３】
ステップ1401およびステップ1402については、図3A、図3B、図11Aおよび図11Bのステップ1101の説明を参照されたい。
【０４３４】
したがって、デュアルコネクティビティ方式では、UEは、基地局の指示に従って上りパケットにサービスフロー識別子および通し番号を付加する。特定のサービス（例えば、高信頼性を必要とするURLLCサービス）のパケットについて、UEはパケットを複製する。このようにして、特定のサービスのパケット伝送の信頼性が改善される。
【０４３５】
任意選択で、本方法は、ユーザ機器が、第1の基地局と第2の基地局とからそれぞれ第1の下りパケットと第2の下りパケットとを受信するステップであって、第1の下りパケットと第2の下りパケットとが同じ第2のサービスフロー識別子および同じ第2の通し番号を含む、ステップと、ユーザ機器が、基地局の指示に従って第1の下りパケットと第2の下りパケットの重複を排除するステップとをさらに含む。このステップについては、図11Aおよび図11Bのステップ1113の説明を参照されたい。
【０４３６】
本出願で提供される前述の実施態様では、本出願の実施形態で提供される通信方法の解決策が、各ネットワーク要素の観点と、ネットワーク要素間のインタラクションの観点とから別々に説明されている。前述の機能を実施するために、各ネットワーク要素、例えば、前述のセッション管理機能ネットワーク要素や基地局は、各機能を行うための対応するハードウェア構造および／またはソフトウェアモジュールを含むことが理解されよう。本明細書で開示される実施形態に記載される例のユニットおよびアルゴリズムステップと組み合わせて、本出願がハードウェアまたはハードウェアとコンピュータソフトウェアとの組み合わせによって実現され得ることを、当業者は容易に理解するはずである。機能が行われるのがハードウェアによってかそれともコンピュータソフトウェアによって駆動されるハードウェアによってかは、技術的解決策の個々の用途および設計上の制約条件に依存する。当業者であれば、特定の用途ごとに様々な方法を使用して記載の機能を実施し得るが、その実施態様は本出願の範囲を超えるものと見なされるべきではない。
【０４３７】
例えば、ネットワーク要素がソフトウェアモジュールを使用して対応する機能を実施する場合、パケット伝送装置は、図8に示されるように、受信モジュール801と送信モジュール802とを含み得る。本装置は、セッション管理機能ネットワーク要素またはチップであり得る。
【０４３８】
本装置は、図3A、図3B、図5、図18A、図18B、図19A、もしくは図19BのSMF、または図6のセッション管理機能ネットワーク要素の動作を行うように構成され得る。例えば、受信モジュール801は、第1のサービスに対応する第1のアクセスネットワークトンネル情報および第2のアクセスネットワークトンネル情報を受信するように構成される。送信モジュールは、ユーザプレーン機能ネットワーク要素に下り転送規則を送信し、下り転送規則が、第1のアクセスネットワークトンネル情報および第2のアクセスネットワークトンネル情報を含み、下り転送規則がユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する、ように構成される。
【０４３９】
したがって、特定の第1のサービス（例えば、高信頼性を必要とするURLLCサービス）について、セッション管理機能ネットワーク要素が、ユーザプレーン機能ネットワーク要素に、第1のアクセスネットワークトンネル情報および第2のアクセスネットワークトンネル情報を含む下り転送規則を送信するので、第1のサービスの下りパケットを続いて受信した後、ユーザプレーン機能ネットワーク要素は、第1のサービスの下りパケットを複製し、第1のサービスの下りパケットを、第1のアクセスネットワークトンネル情報と第2のアクセスネットワークトンネル情報とにそれぞれ対応する2つの経路を経由して送信する。このようにして、第1のサービスのパケット伝送の信頼性が改善される。
【０４４０】
任意選択で、第1のサービスがサービスフロー粒度である場合、下り転送規則は第1のサービスのサービスフロー識別子およびセッション識別子をさらに含むか、または第1のサービスがセッション粒度である場合、下り転送規則は第1のサービスのセッション識別子をさらに含む。
【０４４１】
任意選択で、送信モジュール802は、基地局に指示情報を送信し、指示情報が第1のアクセスネットワークトンネル情報および第2のアクセスネットワークトンネル情報の決定をトリガする、ようにさらに構成される。例えば、指示情報は、サービス品質パラメータ、スライス識別情報、データネットワーク名、ならびに第1のコアネットワークトンネル情報および第2のコアネットワークトンネル情報、のうちの少なくとも1つを含む。
【０４４２】
任意選択で、送信モジュール802は、基地局に上り転送規則を送信し、上り転送規則が、第1のコアネットワークトンネル情報および第2のコアネットワークトンネル情報を含み、上り転送規則が基地局に、第1のサービスの受信した上りパケットを複製し、第1のサービスの上りパケットを、第1のコアネットワークトンネル情報と第2のコアネットワークトンネル情報とにそれぞれ対応する2つの経路を経由してユーザプレーン機能ネットワーク要素に送信するよう指示する、ように構成される。さらに、任意選択で、第1のサービスがサービスフロー粒度である場合、上り転送規則は第1のサービスのサービスフロー識別子およびセッション識別子をさらに含むか、または第1のサービスがセッション粒度である場合、上り転送規則は第1のサービスのセッション識別子をさらに含む。
【０４４３】
任意選択で、第1のアクセスネットワークトンネル情報と第2のアクセスネットワークトンネル情報とにそれぞれ対応する2つの経路を経由して送信される第1のサービスの下りパケットは、第1の下りパケットおよび第2の下りパケットを含み、第1の下りパケットと第2の下りパケットとは同じ通し番号を有し、第1の下りパケットは第1のサービスフロー識別子をさらに含み、第2の下りパケットは第2のサービスフロー識別子をさらに含む。
【０４４４】
任意選択で、送信モジュール802は、ユーザプレーン機能ネットワーク要素に上り転送規則を送信し、上り転送規則がユーザプレーン機能ネットワーク要素に、同じ通し番号を有し、第1のサービスフロー識別子と第2のサービスフロー識別子とをそれぞれ有する2つの上りパケットの重複を排除するよう指示する、ようにさらに構成される。
【０４４５】
任意選択で、送信モジュール802は、非アクセス層NASメッセージを使用してユーザ機器に指示情報を送信するようにさらに構成され、指示情報がユーザ機器に、第1の上りパケットおよび第2の上りパケットを取得するために上りパケットを複製し、第1の上りパケットと第2の上りパケットとを異なる無線ベアラ上で送信するよう指示し、第1の上りパケットと第2の上りパケットとが同じ通し番号を有する。例えば、第1の上りパケットは第1のサービスフロー識別子に対応し、第2の上りパケットは第2のサービスフロー識別子に対応する。
【０４４６】
本装置は、処理モジュール803をさらに含み得る。例えば、処理モジュール803は、第1のサービスに第1のサービスフロー識別子および第2のサービスフロー識別子を割り振り、第1のサービスフロー識別子および第2のサービスフロー識別子をユーザ機器に送信する、ように構成される。本装置の受信モジュール801、送信モジュール802、および処理モジュール803は、前述の方法のSMFまたはセッション管理機能ネットワーク要素の別の動作または機能をさらに実施し得る。ここでは詳細を繰り返さない。
【０４４７】
図9に示されるように、別のパケット伝送装置は、処理モジュール901と送信モジュール902とを含み得る。任意選択で、本装置は、受信モジュール903をさらに含む。
【０４４８】
一実施形態では、本装置は、基地局またはチップであり得る。本装置は、図3A、図3B、図18A、図18B、図19A、もしくは図19Bのマスタ基地局、または図5もしくは図7の基地局の動作を行うように構成され得る。例えば、処理モジュール901は、第1のサービスに対応する第1のアクセスネットワークトンネル情報および第2のアクセスネットワークトンネル情報を決定するように構成される。送信モジュール902は、第1のアクセスネットワークトンネル情報および第2のアクセスネットワークトンネル情報をセッション管理機能ネットワーク要素に送信し、第1のアクセスネットワークトンネル情報および第2のアクセスネットワークトンネル情報が下り転送規則の決定に使用可能であり、下り転送規則がユーザプレーン機能ネットワーク要素に、第1のサービスの受信した下りパケットを複製し、第1のサービスの下りパケットを、第1のアクセスネットワークトンネル情報と第2のアクセスネットワークトンネル情報とにそれぞれ対応する2つの経路を経由して送信するよう指示する、ように構成される。
【０４４９】
したがって、基地局は、第1のアクセスネットワークトンネル情報および第2のアクセスネットワークトンネル情報をセッション管理機能ネットワーク要素に送信する。特定の第1のサービス（例えば、高信頼性を必要とするURLLCサービス）について、セッション管理機能ネットワーク要素が、ユーザプレーン機能ネットワーク要素に、第1のアクセスネットワークトンネル情報および第2のアクセスネットワークトンネル情報を含む下り転送規則を送信するので、第1のサービスの下りパケットを続いて受信した後、ユーザプレーン機能ネットワーク要素は、第1のサービスの下りパケットを複製し、第1のサービスの下りパケットを、第1のアクセスネットワークトンネル情報と第2のアクセスネットワークトンネル情報とにそれぞれ対応する2つの経路を経由して送信する。このようにして、第1のサービスのパケット伝送の信頼性が改善される。
【０４５０】
任意選択で、第1のサービスがサービスフロー粒度である場合、下り転送規則は第1のサービスのサービスフロー識別子およびセッション識別子をさらに含むか、または第1のサービスがセッション粒度である場合、下り転送規則は第1のサービスのセッション識別子をさらに含む。
【０４５１】
任意選択で、受信モジュール903は、処理モジュール901が第1のサービスに対応する第1のアクセスネットワークトンネル情報および第2のアクセスネットワークトンネル情報を決定する前に、セッション管理機能ネットワーク要素から指示情報を受信し、指示情報が基地局をトリガして、第1のアクセスネットワークトンネル情報および第2のアクセスネットワークトンネル情報を決定させる、ように構成される。処理モジュール901は、指示情報に基づいて第1のアクセスネットワークトンネル情報および第2のアクセスネットワークトンネル情報を決定するように構成される。例えば、指示情報は、サービス品質パラメータ、スライス識別情報、データネットワーク名、ならびに第1のコアネットワークトンネル情報および第2のコアネットワークトンネル情報、のうちの少なくとも1つを含む。
【０４５２】
任意選択で、受信モジュール903は、セッション管理機能ネットワーク要素から上り転送規則を受信し、上り転送規則が、第1のコアネットワークトンネル情報および第2のコアネットワークトンネル情報を含む、ように構成される。処理モジュール901は、上り転送規則に従って第1のサービスの受信した上りパケットを複製するように構成され、送信モジュール902は、第1のサービスの上りパケットを、第1のコアネットワークトンネル情報と第2のコアネットワークトンネル情報とにそれぞれ対応する2つの経路を経由してユーザプレーン機能ネットワーク要素に送信するように構成される。さらに、任意選択で、第1のサービスがサービスフロー粒度である場合、上り転送規則は第1のサービスのサービスフロー識別子およびセッション識別子をさらに含むか、または第1のサービスがセッション粒度である場合、上り転送規則は第1のサービスのセッション識別子をさらに含む。
【０４５３】
任意選択で、送信モジュール902は、アクセス層ASメッセージを使用してユーザ機器に指示情報を送信し、指示情報がユーザ機器に、第1の上りパケットおよび第2の上りパケットを取得するために上りパケットを複製し、第1の上りパケットと第2の上りパケットとを異なる無線ベアラ上で送信するよう指示する、ようにさらに構成される。
【０４５４】
別の実施形態では、処理モジュール901は、送信モジュール902を、第1の基地局とユーザ機器との間の第1の無線ベアラの確立を開始するよう制御するように構成される。第2の基地局とユーザ機器との間の第2の無線ベアラを確立するプロセスにおいて、送信モジュール902または第2の基地局の送信モジュールは、ユーザ機器に指示情報を送信し、指示情報はユーザ機器に、第1の無線ベアラおよび第2の無線ベアラをユーザ機器上の同じパケットデータ収束プロトコルPDCPエンティティと関連付けるよう指示する例えば、第1の基地局または第2の基地局は、無線リソース制御RRC層メッセージを使用してユーザ機器に指示情報を送信する。
【０４５５】
加えて、本装置の処理モジュール901、送信モジュール902、および受信モジュール903は、前述の方法の（例えば、図11A、図11B、図12A、図12B、または図13の）基地局またはマスタ基地局の別の動作または機能をさらに実施し得る。ここでは詳細を繰り返さない。
【０４５６】
別の実施形態では、本装置は、UEまたはチップであり得る。本装置は、図11A、図11B、図15A、図15B、図17、図18A、図18B、図19A、図19B、または図20のUEの動作を行うように構成され得る。例えば、処理モジュール901は、第1の基地局から取得された指示に従って第1の上りパケットおよび第2の上りパケットを生成し、第1の上りパケットと第2の上りパケットとが同じ第1のサービスフロー識別子および同じ第1の通し番号を有する、ように構成される。送信モジュール902は、第1の上りパケットを第1の基地局に送信し、第2の上りパケットを第2の基地局に送信するように構成される。
【０４５７】
したがって、デュアルコネクティビティ方式では、UEは、基地局の指示に従って上りパケットにサービスフロー識別子および通し番号を付加する。特定のサービス（例えば、高信頼性を必要とするURLLCサービス）のパケットについて、UEはパケットを複製する。このようにして、特定のサービスのパケット伝送の信頼性が改善される。
【０４５８】
任意選択で、受信モジュール903は、第1の基地局と第2の基地局とからそれぞれ第1の下りパケットと第2の下りパケットとを受信し、第1の下りパケットと第2の下りパケットとが同じ第2のサービスフロー識別子および同じ第2の通し番号を含む、ように構成される。処理モジュール901は、基地局の指示に従って第1の下りパケットと第2の下りパケットの重複を排除するようにさらに構成される。
【０４５９】
別の例では、送信モジュール902および／または受信モジュール903は、第1の基地局とユーザ機器との間の第1の無線ベアラを確立するために、第1の基地局とやり取りするように構成される。第2の基地局とユーザ機器との間の第2の無線ベアラを確立するプロセスにおいて、受信モジュール903は、第1の基地局または第2の基地局から指示情報を受信し、指示情報がユーザ機器に、第1の無線ベアラおよび第2の無線ベアラをユーザ機器上の同じパケットデータ収束プロトコルPDCPエンティティと関連付けるよう指示する、ように構成される。処理モジュール901は、指示情報に基づいて第1のパケットおよび第2のパケットを生成し、第1のパケットと第2のパケットとが同じ通し番号を有する、ように構成される。送信モジュール902は、第1のパケットを第1の無線ベアラ上で第1の基地局に送信し、第2のパケットを第2の無線ベアラ上で第2の基地局に送信するように構成される。例えば、ユーザ機器が、指示情報に基づいて第1のパケットおよび第2のパケットを生成するステップは、ユーザ機器が、第1のパケットおよび第2のパケットを取得するために、指示情報に基づいてPDCP層でパケットを複製するステップを含む。
【０４６０】
あるいは、別の例では、受信モジュール903は、ネットワーク側機器から指示情報を取得するように構成され、処理モジュール901は、指示情報に基づいて第1の上りパケットおよび第2の上りパケットを生成し、第1の上りパケットを第1の無線ベアラ上で第1の基地局に送信し、第2の上りパケットを第2の無線ベアラ上で第2の基地局に送信し、第1の上りパケットと第2の上りパケットとが同じ通し番号を有する、ように構成される。第1の上りパケットは第1のサービスフロー識別子に対応し、第2の上りパケットは第2のサービスフロー識別子に対応する。
【０４６１】
任意選択で、ユーザ機器が、指示情報に基づいて第1の上りパケットおよび第2の上りパケットを生成するステップは、ユーザ機器が、第1の上りパケットおよび第2の上りパケットを取得するために、指示情報に基づいて第1のプロトコル層でパケットを複製するステップを含む。例えば、第1のプロトコル層は高信頼プロトコルHRP層を含み、ユーザ機器は、非アクセス層NASメッセージを使用してセッション管理機能ネットワーク要素から指示情報を取得するか、または第1のプロトコル層はサービスデータ適応プロトコルSDAP層を含み、ユーザ機器はASメッセージを使用して第1の基地局から指示情報を取得する。
【０４６２】
任意選択で、受信モジュール903は、第1の基地局と第2の基地局とからそれぞれ第1の下りパケットと第2の下りパケットとを受信し、第1の下りパケットが第2の通し番号を有し、第1のサービスフロー識別子に対応し、第2の下りパケットが第2の通し番号を有し、第2のサービスフロー識別子に対応する、ようにさらに構成され、処理モジュール901は、指示情報に基づいて第1の下りパケットと第2の下りパケットの重複を排除する、ようにさらに構成される。
【０４６３】
別の実施形態では、本装置は、UPFまたはチップであり得る。本装置は、図18A、図18B、図19A、図19B、図20、または図21のUPFの動作を行うように構成され得る。例えば、受信モジュール903は、セッション管理機能ネットワーク要素から上り転送規則を受信し、第1の上りパケットおよび第2の上りパケットを受信し、第1の上りパケットが第1のサービスフロー識別子および第1の通し番号を有し、第2の上りパケットが第2のサービスフロー識別子および第1の通し番号を有する、ように構成され、処理モジュール901は、上り転送規則に従って第1の上りパケットと第2の上りパケットの重複を排除するように構成される。
【０４６４】
任意選択で、上り転送規則はユーザプレーン機能ネットワーク要素に、同じ通し番号を有し、第1のサービスフロー識別子と第2のサービスフロー識別子とをそれぞれ有する2つの上りパケットの重複を排除するよう指示する。
【０４６５】
任意選択で、受信モジュール903は、セッション管理機能ネットワーク要素から下り転送規則を受信するようさらに構成され、処理モジュール901は、下り転送規則に従って第1の下りパケットおよび第2の下りパケットを生成するようさらに構成され、送信モジュール902は、第1の下りパケットを第1の基地局に送信し、第2の下りパケットを第2の基地局に送信し、第1の下りパケットが第1のサービスフロー識別子および第2の通し番号を有し、第2の下りパケットが第2のサービスフロー識別子および第2の通し番号を有する、ように構成される。例えば、下り転送規則に従って第1の下りパケットおよび第2の下りパケットを生成するために、処理モジュール901は、第1の下りパケットおよび第2の下りパケットを取得するために、下り転送規則に従って第1のプロトコル層でパケットを複製し、第1のプロトコル層が高信頼プロトコルHRP層または汎用パケット無線システムトンネリングプロトコル・ユーザプレーンGTP−U層を含む、ように構成される。
【０４６６】
図10は、前述の実施形態におけるパケット伝送装置の別の可能な概略的構造図である。本装置は、図10に示されるように、送受信機1001とプロセッサ1002とを含む。
【０４６７】
例えば、プロセッサ1002は、汎用マイクロプロセッサ、データ処理回路、特定用途向け集積回路（application specific integrated circuit、ASIC）、またはフィールドプログラマブルゲートアレイ（field−programmable gate arrays、FPGA）であり得る。本装置は、メモリ1003をさらに含み得る。例えば、メモリはランダムアクセスメモリ（random access memory、RAM）である。メモリは、プロセッサ1002に結合し、本装置に必要なコンピュータプログラム10031を格納する、ように構成される。
【０４６８】
加えて、前述の実施形態の通信方法は、コンピュータ可読記憶媒体1004（例えばハードディスク）をさらに提供する。コンピュータ可読記憶媒体は、前述の装置のコンピュータプログラム10041をさらに格納し、コンピュータプログラム10041は、プロセッサ1002にロードされ得る。
【０４６９】
コンピュータプログラム10031または10041がコンピュータ（例えばプロセッサ1002）上で実行されると、コンピュータは前述の方法を行うことができるようになり得る。
【０４７０】
例えば、一実施形態では、プロセッサ1002は、セッション管理機能ネットワーク要素（例えばSMF）の動作または機能を行うように構成される。送受信機1004は、本装置とユーザプレーン機能ネットワーク要素、基地局（もしくはマスタ基地局）、または別の制御プレーンネットワーク要素（例えばAMF）との間の通信を実施するように構成される。
【０４７１】
別の実施形態では、プロセッサ1002は、基地局（またはマスタ基地局）の動作または機能を行うように構成される。送受信機1004は、本装置とユーザプレーン機能ネットワーク要素との間および本装置とセッション管理機能ネットワーク要素（例えばSMF）との間の通信を実施するように構成される。
【０４７２】
さらに別の実施形態では、プロセッサ1002は、UEの動作または機能を行うように構成される。送受信機1004は、本装置と基地局との間および本装置とユーザプレーン機能ネットワーク要素との間の通信を実施するように構成される。
【０４７３】
さらに別の実施形態では、プロセッサ1002は、UPFの動作または機能を行うように構成される。送受信機1004は、本装置と基地局との間および本装置とセッション管理機能ネットワーク要素との間の通信を実施するように構成される。
【０４７４】
本パケット伝送装置のものである、本出願を実行するように構成されるプロセッサは、中央処理装置（CPU）、汎用プロセッサ、デジタル信号プロセッサ（DSP）、特定用途向け集積回路（ASIC）、フィールドプログラマブルゲートアレイ（FPGA）もしくは別のプログラマブル論理デバイス、トランジスタ論理デバイス、ハードウェアコンポーネント、またはそれらの任意の組み合わせであり得る。プロセッサは、本出願で開示される内容に関して記載される様々な例示的な論理ブロック、モジュール、および回路を実施または実行し得る。プロセッサは、計算処理機能を実施する1つまたは複数のプロセッサの組み合わせ、例えば、1つまたは複数のマイクロプロセッサの組み合わせや、DSPとマイクロプロセッサの組み合わせであってもよい。
【０４７５】
本出願で開示される内容と組み合わせて記載されている方法またはアルゴリズムステップは、ハードウェアによって実施され得るか、またはプロセッサがソフトウェア命令を実行することによって実施され得る。ソフトウェア命令は対応するソフトウェアモジュールによって形成され得る。ソフトウェアモジュールは、RAMメモリ、フラッシュメモリ、ROMメモリ、EPROMメモリ、EEPROMメモリ、レジスタ、ハードディスク、リムーバブル磁気ディスク、CD−ROM、または当分野で周知の任意の他の形態の記憶媒体に格納され得る。例えば、記憶媒体はプロセッサに結合されるので、プロセッサは記憶媒体から情報を読み取り、記憶媒体に情報を書き込むことができる。当然ながら、記憶媒体は代替としてプロセッサの構成要素であってもよい。プロセッサおよび記憶媒体はASIC内に位置していてもよい。加えて、ASICは通信装置内に位置していてもよい。当然ながら、プロセッサおよび記憶媒体は、通信装置内にディスクリートコンポーネントとして存在し得る。
【０４７６】
前述の実施形態の全部または一部が、ソフトウェア、ハードウェア、ファームウェア、またはそれらの任意の組み合わせによって実現され得る。各実施形態を実現するためにソフトウェアが使用される場合、各実施形態は、完全に、または部分的にコンピュータプログラム製品の形態で実現され得る。コンピュータプログラム製品は、1つまたは複数のコンピュータ命令を含む。コンピュータプログラム命令がロードされ、コンピュータ上で実行されると、本発明の実施形態による手順または機能の全部または一部が生成される。コンピュータは、汎用コンピュータ、専用コンピュータ、コンピュータネットワーク、または別のプログラマブル装置であり得る。コンピュータ命令は、コンピュータ可読記憶媒体に格納され得るか、またはコンピュータ可読記憶媒体から別のコンピュータ可読記憶媒体に伝送され得る。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、もしくはデジタル加入者線（DSL））または無線（例えば、赤外線、電波、もしくはマイクロ波）方式で伝送され得る。コンピュータ可読記憶媒体は、コンピュータがアクセスできる任意の使用可能な媒体、または、1つもしくは複数の使用可能な媒体を統合した、サーバやデータセンタなどのデータ記憶装置であり得る。使用可能な媒体は、磁気媒体（例えば、フロッピーディスク、ハードディスク、または磁気テープ）、光媒体（例えばDVD）、半導体媒体（例えば、ソリッドステートドライブ（Solid State Disk（SSD））などであり得る。
【０４７７】
以上の説明は、単に、本発明の具体的実施態様であり、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うものとする。
【符号の説明】
【０４７８】
201  ユーザ機器（UE）
202  M−RAN機器
202’  RAN
203  S−RAN機器
204  AMFネットワーク要素
205  SMFネットワーク要素
206  UPFネットワーク要素
207  データネットワーク（DN）
801  受信モジュール
802  送信モジュール
803  処理モジュール
901  処理モジュール
902  送信モジュール
903  受信モジュール
1001  送受信機
1002  プロセッサ
1003  メモリ
1004  記憶媒体
10031  コンピュータプログラム
10041  コンピュータプログラム
【図１】
2021518079.tif 000003
【図２】
2021518079.tif 000004
【図３Ａ】
2021518079.tif 000005
【図３Ｂ】
2021518079.tif 000006
【図４】
2021518079.tif 000007
【図５】
2021518079.tif 000008
【図６】
2021518079.tif 000009
【図７】
2021518079.tif 000010
【図８】
2021518079.tif 000011
【図９】
2021518079.tif 000012
【図１０】
2021518079.tif 000013
【図１１Ａ】
2021518079.tif 000014
【図１１Ｂ】
2021518079.tif 000015
【図１２Ａ】
2021518079.tif 000016
【図１２Ｂ】
2021518079.tif 000017
【図１３】
2021518079.tif 000018
【図１４】
2021518079.tif 000019
【図１５Ａ】
2021518079.tif 000020
【図１５Ｂ】
2021518079.tif 000021
【図１６】
2021518079.tif 000022
【図１７】
2021518079.tif 000023
【図１８Ａ】
2021518079.tif 000024
【図１８Ｂ】
2021518079.tif 000025
【図１９Ａ】
2021518079.tif 000026
【図１９Ｂ】
2021518079.tif 000027
【図２０】
2021518079.tif 000028
【図２１】
2021518079.tif 000029
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
セッション管理機能ネットワーク要素が、第1のアクセスネットワークトンネル情報および第2のアクセスネットワークトンネル情報を受信するステップと、
前記セッション管理機能ネットワーク要素が、ユーザプレーン機能ネットワーク要素に下り転送規則を送信するステップであって、前記下り転送規則が、前記第1のアクセスネットワークトンネル情報および前記第2のアクセスネットワークトンネル情報を含み、前記下り転送規則が前記ユーザプレーン機能ネットワーク要素に、前記第1のサービスの受信した下りパケットを複製し、前記第1のサービスの下りパケットを、前記第1のアクセスネットワークトンネル情報と前記第2のアクセスネットワークトンネル情報とにそれぞれ対応する2つの経路を経由して送信するよう指示する、ステップと
を含む、パケット伝送方法。
【請求項２】
前記方法が、
前記セッション管理機能ネットワーク要素が、前記ユーザプレーン機能ネットワーク要素から第1のコアネットワークトンネル情報および第2のコアネットワークトンネル情報を受信するステップと、
前記セッション管理機能ネットワーク要素が、基地局に上り転送規則を送信するステップであって、前記上り転送規則が、前記第1のコアネットワークトンネル情報および前記第2のコアネットワークトンネル情報を含み、前記上り転送規則が前記基地局に、前記第1のサービスの受信した上りパケットを複製し、前記第1のサービスの上りパケットを、前記第1のコアネットワークトンネル情報と前記第2のコアネットワークトンネル情報とにそれぞれ対応する2つの経路を経由して前記ユーザプレーン機能ネットワーク要素に送信するよう指示する、ステップとを含む、請求項1に記載の方法。
【請求項３】
前記第1のコアネットワークトンネル情報および前記第2のコアネットワークトンネル情報が、前記基地局をトリガして前記第1のアクセスネットワークトンネル情報および前記第2のアクセスネットワークトンネル情報を割り振らせる、請求項2に記載の方法。
【請求項４】
前記第1のアクセスネットワークトンネル情報と前記第2のアクセスネットワークトンネル情報とにそれぞれ対応する前記2つの経路を経由して送信される前記第1のサービスの前記下りパケットが、同じ通し番号および同じサービスフロー識別子を有する、請求項1から3のいずれか一項に記載の方法。
【請求項５】
前記方法が、
前記セッション管理機能ネットワーク要素が、前記ユーザプレーン機能ネットワーク要素に上り転送規則を送信するステップであって、前記上り転送規則が前記ユーザプレーン機能ネットワーク要素に、同じ通し番号および同じサービスフロー識別子を有する2つの上りパケットの重複を排除するよう指示する、ステップを含む、請求項4に記載の方法。
【請求項６】
前記第1のサービスがサービスフロー粒度であり、前記下り転送規則が前記第1のサービスのサービスフロー識別子およびセッション識別子を含む、請求項1から5のいずれか一項に記載の方法。
【請求項７】
前記第1のサービスが前記サービスフロー粒度であり、前記上り転送規則が前記第1のサービスのサービスフロー識別子およびセッション識別子を含む、請求項2または3に記載の方法。
【請求項８】
基地局が、第1のアクセスネットワークトンネル情報および第2のアクセスネットワークトンネル情報を決定するステップと、
前記基地局が、前記第1のアクセスネットワークトンネル情報および前記第2のアクセスネットワークトンネル情報をセッション管理機能ネットワーク要素に送信するステップであって、前記第1のアクセスネットワークトンネル情報および前記第2のアクセスネットワークトンネル情報が決定下り転送規則に使用可能であり、前記下り転送規則がユーザプレーン機能ネットワーク要素に、第1のサービスの受信した下りパケットを複製し、前記第1のサービスの下りパケットを、前記第1のアクセスネットワークトンネル情報と前記第2のアクセスネットワークトンネル情報とにそれぞれ対応する2つの経路を経由して送信するよう指示する、ステップと
を含む、パケット伝送方法。
【請求項９】
前記方法が、
前記基地局が、前記セッション管理機能ネットワーク要素から第1のコアネットワークトンネル情報および第2のコアネットワークトンネル情報を受信するステップを含み、
基地局が、第1のサービスに対応する第1のアクセスネットワークトンネル情報および第2のアクセスネットワークトンネル情報を決定する前記ステップが、
前記基地局が、前記第1のコアネットワークトンネル情報および前記第2のコアネットワークトンネル情報に基づいて前記第1のアクセスネットワークトンネル情報および前記第2のアクセスネットワークトンネル情報を決定するステップを含む、請求項8に記載の方法。
【請求項１０】
前記基地局が、前記セッション管理機能ネットワーク要素から第1のコアネットワークトンネル情報および第2のコアネットワークトンネル情報を受信するステップが、
前記基地局が、前記セッション管理機能ネットワーク要素から上り転送規則を受信するステップであって、前記上り転送規則が、前記第1のコアネットワークトンネル情報および前記第2のコアネットワークトンネル情報を含む、ステップを含み、
前記方法が、
前記基地局が、前記上り転送規則に従って前記第1のサービスの受信した上りパケットを複製し、前記第1のサービスの上りパケットを、前記第1のコアネットワークトンネル情報と前記第2のコアネットワークトンネル情報とにそれぞれ対応する2つの経路を経由して前記ユーザプレーン機能ネットワーク要素に送信するステップをさらに含む、請求項9に記載の方法。
【請求項１１】
前記第1のサービスが前記サービスフロー粒度であり、前記上り転送規則が前記第1のサービスのサービスフロー識別子前記セッション識別子を含む、請求項10に記載の方法。
【請求項１２】
前記第1のサービスがサービスフロー粒度であり、前記下り転送規則が、前記第1のサービスのサービスフロー識別子およびセッション識別子を含む、請求項8から11のいずれか一項に記載の方法。
【請求項１３】
ユーザプレーン機能ネットワーク要素が、セッション管理機能ネットワーク要素から上り転送規則を受信するステップと、
前記ユーザプレーン機能ネットワーク要素が、第1の上りパケットおよび第2の上りパケットを受信するステップであって、前記第1の上りパケットと前記第2の上りパケットとが同じサービスフロー識別子および同じ通し番号を有する、ステップと、
前記ユーザプレーン機能ネットワーク要素が、前記上り転送規則に従って前記第1の上りパケットと前記第2の上りパケットの重複を排除するステップと
を含む、パケット伝送方法。
【請求項１４】
前記方法が、
前記ユーザプレーン機能ネットワーク要素が、前記セッション管理機能ネットワーク要素から下り転送規則を受信するステップであって、前記下り転送規則が、第1のアクセスネットワークトンネル情報および第2のアクセスネットワークトンネル情報を含む、ステップと、
前記ユーザプレーン機能ネットワーク要素が、前記下り転送規則に従って第1の下りパケットおよび第2の下りパケットを生成するステップと、
前記第1の下りパケットと前記第2の下りパケットとを、前記第1のアクセスネットワークトンネル情報に対応し、前記ユーザプレーン機能ネットワーク要素と前記基地局とを接続する第1の経路と、前記第2のアクセスネットワークトンネル情報に対応し、前記ユーザプレーン機能ネットワーク要素と前記基地局とを接続する第2の経路とを経由して別々に基地局に送信するステップであって、前記第1の下りパケットと前記第2の下りパケットとが同じサービスフロー識別子および同じ通し番号を有する、ステップとを含む、請求項13に記載の方法。
【請求項１５】
前記ユーザプレーン機能ネットワーク要素が、前記下り転送規則に従って第1の下りパケットおよび第2の下りパケットを生成する前記ステップが、
前記ユーザプレーン機能ネットワーク要素が、前記第1の下りパケットおよび前記第2の下りパケットを取得するために、前記下り転送規則に従って第1のプロトコル層でパケットを複製するステップであって、前記第1のプロトコル層が汎用パケット無線システムトンネリングプロトコル・ユーザプレーンGTP−U層を含む、ステップを含む、請求項14に記載の方法。
【請求項１６】
前記上り転送規則が前記ユーザプレーン機能ネットワーク要素に、前記同じ通し番号および前記同じサービスフロー識別子を有する前記2つの上りパケットの重複を排除するよう指示する、請求項13から15のいずれか一項に記載の方法。
【請求項１７】
コンピュータ可読記憶媒体であって、前記記憶媒体がプログラムを格納し、前記プログラムが実行されると、請求項1から16のいずれか一項に記載のパケット伝送方法が実施される、コンピュータ可読記憶媒体。
【請求項１８】
パケット伝送装置であって、
前記装置が、
プログラム命令に関連したハードウェアであって、前記ハードウェアが、請求項1から16のいずれか一項に記載の方法のステップを行うように構成される、ハードウェアを含む、パケット伝送装置。
【国際調査報告】
2021518079.tif 000030
2021518079.tif 000031
2021518079.tif 000032
2021518079.tif 000033